(57)【要約】【課題】改善されたインタフェースを提供する。【解決手段】陽圧療法用のインタフェースは、マスクアセンブリを含む。マスクアセンブリは、鼻の下に位置するように適合されたマスクシールを備える。マスクシールは、鼻の外側を上方に延在する。マスクシールは、鼻の下の一次シールと鼻に沿った二次シールとを有する。マスクシールは、マスクシールの一部分がマスクシールの別の部分に対して変形するのを可能にするヒンジを備える。一構成では、鼻の下に位置するマスクシールの部分は、マスクシールの下方部分に対して変形するように構成される。【選択図】図１２３
2020151490.tif 000002
【特許請求の範囲】
【請求項１】
陽圧呼吸療法を提供するために使用されるインタフェースであって、
マスクシールおよびマスクベースを備えるマスクアセンブリであって、使用者の顔面の鼻梁より完全に低く位置決めされるように構成され、前記使用者の前記鼻の露出した先端を提供するように構成されているマスクアセンブリ
を備え、
前記マスクベースが、中心部分と前記中心部分から後方に伸びる一対のウイングとを備え、前記中心部分において前記マスクベースにコネクタ用の開口部が形成されており、
前記マスクシールが、前記マスクベースに接続されており、前記マスクシールが、下方部分の少なくとも１つの口開口部と上方部分の少なくとも１つの鼻開口部とを備え、前記少なくとも１つの口開口部が、前記コネクタ用の前記開口部と反対側に位置決めされ、前記少なくとも１つの鼻開口部が、前後方向において前記コネクタ用の前記開口部と前記口開口部との間に位置決めされており、
前記マスクシールが、第１パドルおよび第２パドルを備え、上方支持面が前記第１パドルと前記第２パドルとの間に位置決めされ、それにより、上方に開放した谷部が、前記第１パドル、前記上方支持面および前記第２パドルによって画定され、前記少なくとも１つの鼻開口部の少なくとも一部が、前記谷部内の前記上方支持面に位置決めされており、
前記マスクシールが、前記マスクベースの上面と前記上方支持面との間に位置決めされたローリングヒンジを備え、それが、前記マスクシールの上方部分が前記マスクシールの下方部分に対して下方に変形するのを可能にする、インタフェース。
【請求項２】
前記ローリングヒンジが、一対の厚壁部分の間に位置決めされた薄壁部分を備える、請求項１に記載のインタフェース。
【請求項３】
前記一対の厚壁部分のうちの上方の部分が、肉厚化バンドによって少なくとも部分的に画定される、請求項２に記載のインタフェース。
【請求項４】
前記肉厚化バンドが、第１断面寸法を有する中心部分と、前記第１断面寸法より大きい第２断面寸法を有する外端部分とを有する、請求項３に記載のインタフェース。
【請求項５】
前記肉厚化バンドが、前記マスクシールの内面に位置決めされる、請求項３に記載のインタフェース。
【請求項６】
前記薄壁部分と前記一対の厚壁部分のうちの一方との間に遷移部分をさらに備え、前記遷移部分が可変壁厚さを画定する、請求項２〜５のいずれか一項に記載のインタフェース。
【請求項７】
前記遷移部分が、前記薄壁部分に実質的に等しい第１壁厚さを画定し、前記遷移部分が、前記厚壁部分に実質的に等しい第２壁厚さを画定する、請求項６に記載のインタフェース。
【請求項８】
前記ローリングヒンジが、前記マスクシールを横方向に横切って延在する、請求項１〜７のいずれか一項に記載のインタフェース。
【請求項９】
前記ローリングヒンジが、前記マスクベースの上面の幅と実質的に等しい長さを画定する、請求項８に記載のインタフェース。
【請求項１０】
前記ローリングヒンジが、前記マスクシールの前方に面する面にロールオーバーする、請求項１〜９のいずれか一項に記載のインタフェース。
【請求項１１】
前記マスクシールが、前記使用者の前記鼻の下で、前記鼻に隣接する前記使用者の顔面の一部に沿って、かつ前記使用者の口の周囲で封止するように適合される、請求項１〜１０のいずれか一項に記載のインタフェース。
【請求項１２】
前記マスクアセンブリが、前記使用者の前記鼻のいかなる前方に面する部分も覆わないように構成される、請求項１〜１１のいずれか一項に記載のインタフェース。
【請求項１３】
前記上面が、前記第１パドルの内側部分と前記第２パドルの内側部分との間にハンモック状につられている、請求項１〜１２のいずれか一項に記載のインタフェース。
【請求項１４】
前記上面に対する下方の圧力により、前記第１パドルおよび前記第２パドルが互いに向かって偏向する、請求項１３に記載のインタフェース。
【請求項１５】
前記シール部材が、前記使用者の顔面に接触するように適合された背面を備え、前記背面が、第１突起および第２突起を備える、請求項１〜１４のいずれか一項に記載のインタフェース。
【請求項１６】
前記第１突起の少なくとも一部および前記第２突起の少なくとも一部が、垂直方向に前記少なくとも１つの口開口部の前記上面と最上部分との間に位置決めされる、請求項１５に記載のインタフェース。
【請求項１７】
前記第１突起の前記一部が第１ピークを備え、前記第２突起の前記一部が第２ピークを備える、請求項１６に記載のインタフェース。
【請求項１８】
前記第１ピークおよび前記第２ピークが、垂直方向に前記少なくとも１つの鼻開口部の一部と前記少なくとも１つの口開口部との間に位置決めされる、請求項１７に記載のインタフェース。
【請求項１９】
前記第１ピークおよび前記第２ピークが、前記少なくとも１つの口開口部より前記少なくとも１つの鼻開口部に対して垂直方向に近接して位置決めされる、請求項１８に記載のインタフェース。
【請求項２０】
前記マスクシールが、前記顔面の２つの位置で係留されるように適合される、請求項１〜１９のいずれか一項に記載のインタフェース。
【請求項２１】
前記マスクシールが、下唇の下方でかつ前記鼻の下方で係留されるように構成される、請求項２０に記載のインタフェース。
【請求項２２】
前記マスクシールが、下唇の下方で、ただし顎の上方かつ前記鼻の下方で係留されるように構成される、請求項２０に記載のインタフェース。
【請求項２３】
前記２つの位置が、前記鼻の底部より低く、前記マスクシールが、前記鼻の前記底部を越えて上方に延在する、請求項２０に記載のインタフェース。
【請求項２４】
前記マスクシールが、前記最上係留位置の垂直方向上方の位置において前記顔面に対して封止するように適合される、請求項２３に記載のインタフェース。
【請求項２５】
前記上方支持面が、前記少なくとも１つの鼻開口部を包囲する領域において下方にかつ後方に傾斜している、請求項１〜２４のいずれか一項に記載のインタフェース。
【請求項２６】
前記少なくとも１つの鼻開口部が、鼻パッドインサートを備える、請求項１〜２５のいずれか一項に記載のインタフェース。
【請求項２７】
前記鼻パッドインサートが、前記マスクシールとは異なる材料から形成される、請求項２６に記載のインタフェース。
【請求項２８】
前記鼻パッドインサートが、凹状パッド支持領域において前記マスクシールに固定される、請求項２６に記載のインタフェース。
【請求項２９】
前記鼻パッドインサートおよび前記マスクシールが、相関する適合機構を備える、請求項２６に記載のインタフェース。
【請求項３０】
前記鼻パッドインサートおよび前記マスクシールが、前記少なくとも１つの鼻開口部を概して包囲する封止されたインタフェースを有する、請求項２６に記載のインタフェース。
【請求項３１】
前記鼻パッドインサートが、凹状中心部分を備える、請求項２６に記載のインタフェース。
【請求項３２】
前記凹状中心部分が、前記少なくとも１つの鼻開口部の概して前方に位置決めされる、請求項３１に記載のインタフェース。
【請求項３３】
外周部分が、前記第１パドルおよび前記第２パドルの内側に面する部分に対して剛性が高い、請求項１〜３２のいずれか一項に記載のインタフェース。
【請求項３４】
前記外周部分が、前記第１パドルおよび前記第２パドルの前記内側に面する部分に対して厚さが増大する、請求項３３に記載のインタフェース。
【請求項３５】
前記第１パドルが、外側に面する面と内側に面する面との間に位置決めされた第１隆起を備え、前記第２パドルが、外側に面する面と内側に面する面との間に位置決めされた第２隆起を備え、前記第１隆起および前記第２隆起が、前記内側に面する面に対して剛性が高い、請求項１〜３４のいずれか一項に記載のインタフェース。
【請求項３６】
前記第１パドルが、外側に面する面と内側に面する面との間に位置決めされた第１隆起を備え、前記第２パドルが、外側に面する面と内側に面する面との間に位置決めされた第２隆起を備え、前記第１隆起および前記第２隆起が、前記内側に面する面に対して厚さが増大する、請求項１〜３４のいずれか一項に記載のインタフェース。
【請求項３７】
前記マスクアセンブリと前記使用者の前記顔面との間にわずかに上方の力を加えるように適合されたヘッドギアアセンブリをさらに備える、請求項１〜３６のいずれか一項に記載のインタフェース。
【請求項３８】
前記ヘッドギアアセンブリが、前記マスクアセンブリの角度を調整するように構成される、請求項３７に記載のインタフェース。
【請求項３９】
前記ヘッドギアが、Ｔ字部品を含まない、請求項３７に記載のインタフェース。
【請求項４０】
前記マスクアセンブリおよび前記ヘッドギアアセンブリが、前記マスクアセンブリまたは前記ヘッドギアアセンブリのいかなる部分も、水平方向に前記眼の外側の間の位置において前記眼の垂直方向上方のいかなる位置においても前記使用者の前記顔面に接触しないように構成される、請求項３７に記載のインタフェース。
【請求項４１】
前記マスクアセンブリが、少なくとも１つの鼻プロングを備える、請求項１〜４０のいずれか一項に記載のインタフェース。
【請求項４２】
前記少なくとも１つの鼻プロングが、前記マスクアセンブリの正中垂直面に向かって傾斜している、請求項４１に記載のインタフェース。
【発明の詳細な説明】
【技術分野】
【０００１】
関連出願の参照による組込み
本出願は、以下の関連出願の全体を参照により本明細書に組み込む。すなわち、２０１１年１０月３１日に出願された米国仮特許出願第６１／５５３，８７２号明細書、２０１２年４月１３日に出願されたＰＣＴ／ＩＢ２０１２／０００８５８号明細書、２０１１年４月１５日に出願された米国仮特許出願第６１／４７６，１８８号明細書、２０１１年７月４日に出願された米国仮特許出願第６１／５０４，２９５号明細書および２０１１年１０月２８日に出願された米国仮特許出願第６１／５５３，０６７号明細書である。
【０００２】
本発明は、概して、使用者の鼻および口のうちの少なくとも一方を覆って陽圧下で呼吸ガスを供給するフェイスマスクに関する。より詳細には、本発明のいくつかの態様は、改善された鼻シール部分と変形可能領域またはローリング（ｒｏｌｌｉｎｇ）ヒンジとを有するこうしたマスクに関する。
【背景技術】
【０００３】
フェイスマスクを、陽圧下で使用者に呼吸ガスを提供するために使用することができる。使用者の口および鼻の両方が覆われる構成では、フルフェイスマスクは、通常、鼻梁の上に重なる。概して、単一シールが、使用者の鼻および口の周囲を囲む。こうしたシールは、使用者の鼻梁の上を通る。
【０００４】
こうしたフルフェイスマスクは、一般に、使用者の頭部にヘッドギアによって固定される。漏れを十分に低減するために、ヘッドギアは、通常、締め付けられ、それにより、使用者の鼻梁に高い圧力がかけられることになる。言い換えれば、ヘッドギアが締め付けられる際、シリコーンシールが、通常、鼻梁に徐々に増大する荷重を加える。圧力は、不快の原因である可能性があり、状況によっては、時間の経過により褥瘡をもたらす可能性がある。
【発明の概要】
【発明が解決しようとする課題】
【０００５】
本開示の目的は、少なくとも上述したことを改善するのにいくらか助けになるか、または少なくとも一般大衆あるいは医療専門家に有用な選択肢を提供する、１つまたは複数の構成および／または方法を提供することである。
【課題を解決するための手段】
【０００６】
したがって、陽圧呼吸療法を提供するために使用されるインタフェースが提供される。インタフェースはマスクアセンブリを備えている。マスクアセンブリは、マスクシールと、マスクシールに取外し可能に接続されるマスクベースとを備えている。マスクシールは、マスクシールの少なくとも一部より剛性が高いマスクシールクリップを備えている。マスクシールクリップは、形態が概してカップ状であり、開放された近位端および概して閉鎖された遠位端を有している。略五角形リップが、近位端の周囲に延在している。マスクシールクリップは、外面を有する弓形上方部分を備えている。マスクシールクリップ弧長は、一対のヒンジ点の間の上方部分の上端に隣接する外面に沿って画定されている。ヒンジ軸が、ヒンジ点の間でマスクアセンブリを横切って横方向に延在し、マスクシールクリップの上方部分の少なくとも一部が、ヒンジ軸より垂直方向に高く位置決めされている。マスクシールクリップ上方部分は、支持面を備えている。略中心通路が、マスククリップを通って、マスクシールによって画定されるチャンバ内に延在している。マスクシールは、使用者の鼻領域の上に位置決めされるように構成された可撓性上方部分を備えている。マスクシール上方部分は、ヒンジ軸より垂直方向に高く位置決めされている。マスクシール上方部分は、堅さ（ｓｔｉｆｆｎｅｓｓ）が増大した２つの領域の間に位置する堅さ低減領域を備えている。堅さ低減領域は、マスクシールクリップに対するマスクシール上方部分の枢動を可能にするようにロールする（ｒｏｌｌ）ことができる。堅さが増大した２つの領域のうちの一方は、小半径屈曲部（ｂｅｎｄ）に隣接して位置決めされ、堅さが増大した２つの領域のうちの他方は、補強構成要素に隣接して位置決めされている。小半径屈曲部および補強構成要素は境界を画定し、その境界の間で、マスクの上方部分が、枢支軸を中心とする上方部分の枢動中にロールする。マスクシール上方部分は、小半径屈曲部に隣接する第１曲線長と、補強バンドに隣接する第２曲線長とを有している。第１曲線長は第２曲線長より短い。曲線長は、測定された位置がマスクシールクリップから離れるに従って増大する。マスクベースは、マスクシールクリップの少なくとも一部の上に重なる。マスクベースは、第１ポケットおよび第２ポケットを備えている。第１ポケットおよび第２ポケットは、マスクベースを実質的に二分する中心面に対して対称的に位置決めされている。第１ポケットおよび第２ポケットの各々は横寸法より大きい縦寸法を有している。マスクベースはまた、中心開口部を画定する壁も備えている。壁は、マスクシールクリップの略中心通路内に延在している。接続ポートアセンブリが、ボール状部材で終端するエルボを備えている。ボール状部材は、中心開口部を画定する壁によって保持されるようにサイズが決められかつ構成されている。接続ポートアセンブリはまた、取外し可能なスイベル部材も備えている。取外し可能なスイベル部材は、レバーによって固定される。レバーは、ポートの上に重なる。ポートは、フラップによって選択的に覆われ得る。フラップはまた、エルボ内で中心通路を閉鎖することができる。ポート開口部は、エルボがマスクに接続された時に概してマスクの方向にある。ヘッドギアアセンブリが、一対の上部ストラップおよび一対の下部ストラップを備えている。一対の上部ストラップの一方と一対の下部ストラップのうちの一方とが、第１クリップに接続される。一対の上部ストラップの別の方と一対の下部ストラップの別の方とが、第２クリップに接続される。第１クリップおよび第２クリップは、マスクベースのポケット内に固定可能であり、それにより、クリップは、ストラップ引張力方向に対して実質的に垂直な方向に移動させることにより、ポケット内に係合するようになる。
【０００７】
いくつかの構成では、マスクシールはフルフェイスマスクである。
【０００８】
いくつかの構成では、マスクシールクリップはマスクシール内に、マスクシールから分離不可能であるように組み込まれる。
【０００９】
いくつかの構成では、マスクベースは、マスクシールに取外し可能に接続される。
【００１０】
いくつかの構成では、上方部分の外面は、マスクシールクリップの支持面の上にロールし、支持面は、マスクシールクリップの上方部分の外面を画定する。
【００１１】
いくつかの構成では、堅さ低減領域は、堅さが増大した領域に比較して厚さが低減した領域を含む。
【００１２】
いくつかの構成では、マスクシールの上方部分は、第１壁および第２壁によって画定される頂点を備え、補強構成要素は、第１壁の少なくとも一部に沿って、かつ第２壁の少なくとも一部に沿って延在している。好ましくは、補強構成要素は、マスクシールの上方部分の頂点の上に延在している。
【００１３】
いくつかの構成では、補強構成要素は、両端において、ヒンジ点より垂直方向に概して高い位置で終端する。
【００１４】
マスクアセンブリは、マスクシールを備えることができる。マスクシールは、上方部分および下方部分を備えている。上方部分は、下方部分に対して枢動可能である。上方部分は、第１境界と第２境界との間に位置決めされる堅さ低減領域を備えている。第１境界は、堅さ低減領域の堅さより大きい堅さによって画定される。第２境界は、堅さ低減領域の堅さより大きい堅さによって画定される。第１境界が第２境界に向かって移動すると、堅さ低減領域は、単一方向に座屈して材料のロールを画定し、それは、第１境界が第２境界に向かって移動し続けるに従ってサイズが変化する。
【００１５】
いくつかの構成では、堅さ低減領域は、シール部材の下方部分に対するシール部材の上方部分の移動を容易にする。好ましくは、上方部分は、マスクの鼻梁部分を備え、第２境界に向かう第１境界の移動により、マスクの鼻梁部分のマスクの下方部分に対する移動が容易になる。
【００１６】
いくつかの構成では、第２境界は、上方部分と下方部分との間に位置決めされる。好ましくは、マスクは、マスクシールに対して剛性が増大したマスクシールクリップをさらに備えており、第２境界は、マスクシールクリップの端部に沿って位置決めされる。より好ましくは、材料のロールは、マスクシールクリップの少なくとも一部の上に重なる。
【００１７】
いくつかの構成では、第１境界は、補強構成要素に沿って画定される。好ましくは、補強構成要素はプラスチックバンドを含む。
【００１８】
いくつかの構成では、堅さ低減領域は、第１境界に対して低減した厚さによって画定される。
【００１９】
いくつかの構成では、第２境界は、半径の小さい隅によって画定される。
【００２０】
いくつかの構成では、ロールは、マスクシールの少なくとも一部の上に延在する。
【００２１】
いくつかの構成では、ロールは、第１境界が第２境界に向かって完全に移動した時に、マスクシールクリップの少なくとも一部の上に重なる。
【００２２】
マスクアセンブリは、マスクシールを備えることができる。マスクシールは、鼻領域および口領域を含む。鼻領域および口領域は一体的に形成される。鼻領域は口領域に対して移動可能であり、それにより、口領域によってかけられる力が増大する一方で、複数の位置において鼻領域によってかけられる力が実質的に一定のままである。
【００２３】
マスクアセンブリは、ヘッドギアアセンブリに接続されたマスクシールを備えている。マスクシールは、使用者の鼻梁領域および口領域を取り囲むように構成されている。マスクシールは、ヘッドギアアセンブリが締め付けられる時に口領域に加えられる力が増大する間に、鼻梁領域に実質的に一定の力を加える非プリーツ状手段を備えている。
【００２４】
マスクアセンブリは、シールを備えている。シールは、使用者の顔面と係合するフランジを備えている。シールは、マスクベースに取外し可能に接続される。マスクベースは、第１開口部および第２開口部を備えている。第１開口部および第２開口部は、関連するヘッドギアアセンブリからの第１クリップおよび第２クリップを受け入れる。マスクベースは、第１開口部と第２開口部との間に概して位置決めされる通路をさらに備えている。通路は、呼吸チューブコネクタを受け入れるように適合されている。
【００２５】
いくつかの構成では、マスクアセンブリは、マスクシールに接続されかつマスクベースに取外し可能に接続されるマスクシールクリップをさらに備えている。好ましくは、マスクベースは、マスクシールクリップの実質的な部分の上に重なる。より好ましくは、マスクベースは、周縁を備え、少なくとも１つの凹部が、マスクシールクリップの上に重なる位置でマスクベースの周縁に沿って画定されている。
【００２６】
マスクアセンブリは、マスクシールを備えている。マスクシールは、使用者の顔面に接触するように適合された近位型フランジを備えている。マスクシールは、遠位側に面する面を備えている。マスクベースが周縁を備え、カバー面が、周縁から延在している。マスクベースカバー面は、マスクシールの遠位側に面する面の少なくとも一部の上に重なり、それにより、マスクベースカバー面は、マスクシールの遠位側に面する面から遠位方向に間隔を空けて配置され、それにより、マスクベースカバー面およびマスクシールの遠位側に面する面は、マスクアセンブリに対して、水分のレインアウトを低減する断熱効果を提供する。
【００２７】
使用者に陽圧空気流を提供するインタフェースは、マスクベースと、マスクベースに取外し可能に接続されたマスクシールとを備えることができる。マスクシールは、使用者の鼻の下に位置するように適合される第１封止面と、使用者の鼻の先端の上で折り返すことなく使用者の鼻の１つまたは複数の鼻孔の少なくとも線維脂肪組織の上に延在するように適合された第２封止面とを備えている。
【００２８】
いくつかの構成では、第１封止面は、上面によって画定される。シール部材の中にチャンバを画定することができ、上面を通る開口部は、上面と概して同一平面であり得る。
【００２９】
いくつかの構成では、第２封止面は第１パドルおよび第２パドルを備えている。第１パドルおよび第２パドルは、上面より垂直方向に高く延在し、第１パドル、上面および第２パドルによって谷部が画定されている。谷部は、使用者の鼻の先端がマスクシールによって覆われないように適合されている。
【００３０】
いくつかの構成では、第１パドルおよび第２パドルは、各々、シール部材内に画定されたチャンバと流体連通する内側ポケットを備えている。内側ポケットの外側部分は、マスクシールの上面より垂直方向に高く延在している。
【００３１】
いくつかの構成では、マスクシールはリップをさらに備え、リップは、上面から下方に垂れ下がり、かつ口開口部の少なくとも一部を画定するように適合されている。口開口部は、上面の開口部から分離している。
【００３２】
いくつかの構成では、マスクシールは、マスクシールに画定された一体化した口−鼻開口部の口部分を概して取り囲むリップをさらに備えている。
【００３３】
いくつかの構成では、インタフェースは、一体化した口−鼻開口部の第１側部を一体化した口−鼻開口部の第２側部に接続するクリップをさらに含む。
【００３４】
いくつかの構成では、マスクシールは、側壁によって接続される前方に面する面および後方に面する面を備えている。
【００３５】
いくつかの構成では、第１パドルおよび第２パドルにおける後方に面する面の一部は、厚さが、第１パドルおよび第２パドルにおける前方に面する面の一部より小さい。
【００３６】
いくつかの構成では、マスクの中心顎領域における後方に面する面の一部は、厚さが、中心顎領域の横方向外側の後方に面する面の一部の厚さより小さい。
【００３７】
使用者に陽圧空気流を提供するインタフェースは、マスクベースと、マスクベースに取外し可能に接続されたマスクシールとを備えている。マスクシールは、第１封止面に接続されている第１パドルおよび第２パドルを備えている。第１パドルおよび第２パドルは、二次封止構造を画定している。第１パドルおよび第２パドルを、第１パドルの上方部分と第２パドルの上方部分との間に第１間隙が画定される第１位置から、第１パドルの上方部分と第２パドルの上方部分との間に第２間隙が画定される第２位置まで移動可能とすることができる。第１間隙は第２間隙より大きい。
【００３８】
いくつかの構成では、上面の第１位置から第２位置までの下方の移動により、第１パドルおよび第２パドルの第１位置から第２位置までの移動がもたらされる。
【００３９】
いくつかの構成では、マスクシールは、側壁によって接続されている前方に面する面と後方に面する面とを備えている。
【００４０】
いくつかの構成では、第１パドルおよび第２パドルにおける後方に面する面の一部は、厚さが、第１パドルおよび第２パドルにおける前方に面する面の一部より小さい。
【００４１】
いくつかの構成では、マスクの中心顎領域における後方に面する面の一部は、厚さが、中心顎領域の横方向外側の後方に面する面の一部の厚さより小さい。
【００４２】
いくつかの構成では、陽圧呼吸療法を提供するために使用されるインタフェースが提供される。インタフェースは、マスクシールおよびマスクベースを備えるマスクアセンブリを備えている。マスクアセンブリは、使用者の顔の鼻梁より完全に低く位置決めされるように構成され、前記使用者の前記鼻の露出した先端を提供するように構成されている。マスクベースは、中心部分と中心部分から後方に伸びる一対のウイングとを備えている。ウイングは、中心部分より垂直方向の広がりが大きい。中心部分においてマスクベースにコネクタ用の開口部が形成されている。マスクシールは、マスクベースに接続されている。マスクシールは、マスクベースに隣接する肉厚化領域を備えている。マスクシールは、下方部分の少なくとも１つの口開口部と上方部分の少なくとも１つの口開口部とを備えている。少なくとも１つの口開口部は、コネクタ用の開口部と反対側に位置決めされ、少なくとも１つの鼻開口部は、前後方向にコネクタ用の開口部と口開口部との間に位置決めされている。マスクシールは、第１パドルおよび第２パドルを備えている。上方支持面が、第１パドルと第２パドルとの間に位置決めされ、それにより、上方に開放した谷部が、第１パドル、上方支持面および第２パドルによって画定されている。少なくとも１つの鼻開口部の少なくとも一部が、谷部内の上方支持面に位置決めされている。第１パドルは第１ポケットを備え、第２パドルは第２ポケットを備えている。第１ポケットおよび第２ポケットは、マスクアセンブリ内に画定されたチャンバと流体連通している。
【００４３】
いくつかの構成では、マスクシールは、使用者の鼻の下で、鼻に隣接する使用者の顔面の一部に沿ってかつ使用者の口の周囲で封止するように適合されている。
【００４４】
いくつかの構成では、マスクアセンブリは、使用者の鼻のいかなる前方に面する部分も覆わないように構成されている。
【００４５】
いくつかの構成では、上面が、第１パドルの内側部分と第２パドルの内側部分との間にハンモック状につられている（ｈａｍｍｏｃｋｅｄ）。
【００４６】
いくつかの構成では、上面に対する下方の圧力により、第１パドルおよび第２パドルが互いに向かって偏向する。
【００４７】
いくつかの構成では、シール部材は、使用者の顔面に接触するように適合された背面を備え、背面は、第１突起および第２突起を備えている。
【００４８】
いくつかの構成では、第１突起の少なくとも一部および第２突起の少なくとも一部が、垂直方向に少なくとも１つの口開口部の上面と最上部分との間に位置決めされている。
【００４９】
いくつかの構成では、第１突起の一部は第１ピークを備え、第２突起の一部は第２ピークを備えている。
【００５０】
いくつかの構成では、第１ピークおよび第２ピークは、垂直方向に少なくとも１つの鼻開口部の一部と少なくとも１つの口開口部との間に位置決めされている。
【００５１】
いくつかの構成では、第１ピークおよび第２ピークは、少なくとも１つの口開口部より少なくとも鼻開口部に対して垂直方向に近接して位置決めされている。
【００５２】
いくつかの構成では、マスクシールは、顔面の２つの位置で係留されるように適合されている。
【００５３】
いくつかの構成では、マスクシールは、下唇の下方でかつ鼻の下方で係留されるように構成されている。
【００５４】
いくつかの構成では、マスクシールは、下唇の下方で、ただし顎の上方かつ鼻の下方で係留されるように構成されている。
【００５５】
いくつかの構成では、２つの位置は、鼻の底部より低く、マスクシールは、鼻の底部を越えて上方に延在している。
【００５６】
いくつかの構成では、マスクシールは、最上係留位置の垂直方向上方の位置において顔面に対して封止するように適合されている。
【００５７】
いくつかの構成では、上方支持面は、少なくとも１つの鼻開口部を包囲する領域において下方にかつ後方に傾斜している。
【００５８】
いくつかの構成では、少なくとも１つの鼻開口部は、鼻パッドインサートを備えている。
【００５９】
いくつかの構成では、鼻パッドインサートは、マスクシールとは異なる材料から形成されている。
【００６０】
いくつかの構成では、鼻パッドインサートは、凹状パッド支持領域においてマスクシールに固定されている。
【００６１】
いくつかの構成では、鼻パッドインサートおよびマスクシールは、相関する適合（ｋｅｙｉｎｇ）機構を備えている。
【００６２】
いくつかの構成では、鼻パッドインサートおよびマスクシールは、少なくとも１つの鼻開口部を概して包囲する封止されたインタフェースを有している。
【００６３】
いくつかの構成では、鼻パッドインサートは、凹状中心部分を備えている。
【００６４】
いくつかの構成では、凹状中心部分は、少なくとも１つの鼻開口部の概して前方に位置決めされている。
【００６５】
いくつかの構成では、外周部分が、第１パドルおよび第２パドルの内側に面する部分に対して剛性が高い。
【００６６】
いくつかの構成では、外周部分は、第１パドルおよび第２パドルの内側に面する部分に対して厚さが増大している。
【００６７】
いくつかの構成では、第１パドルは、外側に面する面と内側に面する面との間に位置決めされた第１隆起を備え、第２パドルは、外側に面する面と内側に面する面との間に位置決めされた第２隆起を備え、第１隆起および第２隆起は、内側に面する面に対して剛性が高い。
【００６８】
いくつかの構成では、第１パドルは、外側に面する面と内側に面する面との間に位置決めされた第１隆起を備え、第２パドルは、外側に面する面と内側に面する面との間に位置決めされた第２隆起を備え、第１隆起および第２隆起は、内側に面する面に対して厚さが増大している。
【００６９】
いくつかの構成では、インタフェースは、マスクアセンブリと使用者の顔面との間にわずかに上方の力を加えるように適合されたヘッドギアアセンブリをさらに備えている。
【００７０】
いくつかの構成では、ヘッドギアアセンブリは、マスクアセンブリの角度を調整するように構成されている。
【００７１】
いくつかの構成では、ヘッドギアは、Ｔ字部品を含まない。
【００７２】
いくつかの構成では、マスクアセンブリおよびヘッドギアアセンブリは、マスクアセンブリまたはヘッドギアアセンブリのいかなる部分も、水平方向に眼の外側の間の位置において眼の垂直方向上方のいかなる位置においても使用者の顔面に接触しないように構成されている。
【００７３】
いくつかの構成では、マスクアセンブリは、少なくとも１つの鼻プロングを備えている。
【００７４】
いくつかの構成では、少なくとも１つの鼻プロングは、マスクアセンブリの正中垂直面に向かって傾斜している。
【００７５】
いくつかの構成では、陽圧呼吸療法を提供するために使用されるインタフェースが提供される。インタフェースは、マスクシールおよびマスクベースを備えるマスクアセンブリを備えている。マスクアセンブリは、使用者の顔の鼻梁より完全に低く位置決めされるように構成され、使用者の鼻の露出した先端を提供するように構成されている。マスクベースは、中心部分と中心部分から後方に伸びる一対のウイングとを備えている。中心部分においてマスクベースにコネクタ用の開口部が形成されている。マスクシールは、マスクベースに接続されている。マスクシールは、下方部分の少なくとも１つの口開口部と上方部分の少なくとも１つの口開口部とを備えている。少なくとも１つの口開口部は、コネクタ用の開口部と反対側に位置決めされ、少なくとも１つの鼻開口部は、前後方向においてコネクタ用の開口部と口開口部との間に位置決めされている。マスクシールは、第１パドルおよび第２パドルを備えている。上方支持面が、第１パドルと第２パドルとの間に位置決めされ、それにより、上方に開放した谷部が、第１パドル、上方支持面および第２パドルによって画定されている。少なくとも１つの鼻開口部の少なくとも一部が、谷部内の上方支持面に位置決めされている。マスクシールは、マスクベースの上面と上方支持面との間に位置決めされたローリングヒンジを備えている。ローリングヒンジは、マスクシールの上方部分がマスクシールの下方部分に対して下方に変形するのを可能にする。
【００７６】
いくつかの構成では、ローリングヒンジは、一対の厚壁部分の間に位置決めされた薄壁部分を備えている。
【００７７】
いくつかの構成では、一対の厚壁部分のうちの上方の部分は、肉厚化バンドによって少なくとも部分的に画定されている。
【００７８】
いくつかの構成では、肉厚化バンドは、第１断面寸法を有する中心部分と、第１断面寸法より大きい第２断面寸法を有する外端部分とを有している。
【００７９】
いくつかの構成では、肉厚化バンドは、マスクシールの内面に位置決めされている。
【００８０】
いくつかの構成では、薄壁部分と一対の厚壁部分のうちの一方との間に遷移部分が設けられている。遷移部分は、可変壁厚さを画定している。
【００８１】
いくつかの構成では、遷移部分は、薄壁部分に実質的に等しい第１壁厚さを画定し、遷移部分は、厚壁部分に実質的に等しい第２壁厚さを画定している。
【００８２】
いくつかの構成では、ローリングヒンジは、マスクシールを横方向に横切って延在している。
【００８３】
いくつかの構成では、ローリングヒンジは、マスクベースの上面の幅と実質的に等しい長さを画定している。
【００８４】
いくつかの構成では、ローリングヒンジは、マスクシールの前方に面する面の上にロールオーバーする。
【００８５】
いくつかの構成では、マスクシールは、使用者の鼻の下で、鼻に隣接する使用者の顔面の一部に沿ってかつ使用者の口の周囲で封止するように適合されている。
【００８６】
いくつかの構成では、マスクアセンブリは、使用者の鼻のいかなる前方に面する部分も覆わないように構成されている。
【００８７】
いくつかの構成では、上面が、第１パドルの内側部分と第２パドルの内側部分との間にハンモック状につられている。
【００８８】
いくつかの構成では、上面に対する下方の圧力により、第１パドルおよび第２パドルが互いに向かって偏向する。
【００８９】
いくつかの構成では、シール部材は、使用者の顔面に接触するように適合された背面を備え、背面は、第１突起および第２突起を備えている。
【００９０】
いくつかの構成では、第１突起の少なくとも一部および第２突起の少なくとも一部が、垂直方向に少なくとも１つの口開口部の上面と最上部分との間に位置決めされている。
【００９１】
いくつかの構成では、第１突起の一部は第１ピークを備え、第２突起の一部は第２ピークを備えている。
【００９２】
いくつかの構成では、第１ピークおよび第２ピークは、垂直方向に少なくとも１つの鼻開口部の一部と少なくとも１つの口開口部との間に位置決めされている。
【００９３】
いくつかの構成では、第１ピークおよび第２ピークは、少なくとも１つの口開口部より少なくとも鼻開口部に対して垂直方向に近接して位置決めされている。
【００９４】
いくつかの構成では、マスクシールは、顔面の２つの位置で係留されるように適合されている。
【００９５】
いくつかの構成では、マスクシールは、下唇の下方でかつ鼻の下方で係留されるように構成されている。
【００９６】
いくつかの構成では、マスクシールは、下唇の下方で、ただし顎の上方かつ鼻の下方で係留されるように構成されている。
【００９７】
いくつかの構成では、２つの位置は、鼻の底部より低く、マスクシールは、鼻の底部を越えて上方に延在している。
【００９８】
いくつかの構成では、マスクシールは、最上係留位置の垂直方向上方の位置において顔面に対して封止するように適合されている。
【００９９】
いくつかの構成では、上方支持面は、少なくとも１つの鼻開口部を包囲する領域において下方にかつ後方に傾斜している。
【０１００】
いくつかの構成では、少なくとも１つの鼻開口部は、鼻パッドインサートを備えている。
【０１０１】
いくつかの構成では、鼻パッドインサートは、マスクシールとは異なる材料から形成されている。
【０１０２】
いくつかの構成では、鼻パッドインサートは、凹状パッド支持領域においてマスクシールに固定されている。
【０１０３】
いくつかの構成では、鼻パッドインサートおよびマスクシールは、相関する適合機構を備えている。
【０１０４】
いくつかの構成では、鼻パッドインサートおよびマスクシールは、少なくとも１つの鼻開口部を概して包囲する封止されたインタフェースを有している。
【０１０５】
いくつかの構成では、鼻パッドインサートは、凹状中心部分を備えている。
【０１０６】
いくつかの構成では、凹状中心部分は、少なくとも１つの鼻開口部の概して前方に位置決めされている。
【０１０７】
いくつかの構成では、外周部分が、第１パドルおよび第２パドルの内側に面する部分に対して剛性が高い。
【０１０８】
いくつかの構成では、外周部分は、第１パドルおよび第２パドルの内側に面する部分に対して厚さが増大している。
【０１０９】
いくつかの構成では、第１パドルは、外側に面する面と内側に面する面との間に位置決めされた第１隆起を備え、第２パドルは、外側に面する面と内側に面する面との間に位置決めされた第２隆起を備え、第１隆起および第２隆起は、内側に面する面に対して剛性が高い。
【０１１０】
いくつかの構成では、第１パドルは、外側に面する面と内側に面する面との間に位置決めされた第１隆起を備え、第２パドルは、外側に面する面と内側に面する面との間に位置決めされた第２隆起を備え、第１隆起および第２隆起は、内側に面する面に対して厚さが増大している。
【０１１１】
いくつかの構成では、インタフェースは、マスクアセンブリと使用者の顔面との間にわずかに上方の力を加えるように適合されたヘッドギアアセンブリをさらに備えている。
【０１１２】
いくつかの構成では、ヘッドギアアセンブリは、マスクアセンブリの角度を調整するように構成されている。
【０１１３】
いくつかの構成では、ヘッドギアは、Ｔ字部品を含まない。
【０１１４】
いくつかの構成では、マスクアセンブリおよびヘッドギアアセンブリは、マスクアセンブリまたはヘッドギアアセンブリのいかなる部分も、水平方向に眼の外側の間の位置において眼の垂直方向上方のいかなる位置においても使用者の顔面に接触しないように構成されている。
【０１１５】
いくつかの構成では、マスクアセンブリは、少なくとも１つの鼻プロングを備えている。
【０１１６】
いくつかの構成では、少なくとも１つの鼻プロングは、マスクアセンブリの正中垂直面に向かって傾斜している。
【０１１７】
本発明の実施形態のこれらおよび他の特徴、態様および利点について、以下の図面を参照して説明する。
【図面の簡単な説明】
【０１１８】
【図１】本発明のいくつかの特徴、態様および利点に従って配置され構成されるインタフェースを着用している使用者の正面図である。
【図２】図１のインタフェースを着用している使用者の側面図である。
【図３】図１のインタフェースのマスクシールおよびマスクシールクリップの斜視図である。
【図４】図３のマスクシールおよびマスクシールクリップの側面図である。
【図５】図３のマスクシールクリップの背面斜視図である。
【図６】図３のマスクシールクリップの背面図である。
【図７】図３のマスクシールクリップの側面図である。
【図８】図３のマスクシールクリップの上面図である。
【図９】図３のマスクシールおよびマスクシールクリップの正面図である。
【図１０】図３のマスクシールおよびマスクシールクリップの背面図である。
【図１１】図３のマスクシールおよびマスクシールクリップの側面図である。
【図１２Ａ】図３のマスクシールおよびマスクシールクリップの一部の拡大断面図である。
【図１２Ｂ】図３のマスクシールおよびマスクシールクリップの一部の拡大断面図である。
【図１２Ｃ】図３のマスクシールおよびマスクシールクリップの一部の拡大断面図である。
【図１２Ｄ】図３のマスクシールおよびマスクシールクリップの一部の拡大断面図である。
【図１３】図１のインタフェースのマスクシール、マスクシールクリップおよびマスクベースの組立分解正面斜視図である。
【図１４】図１３のマスクシール、マスクシールクリップおよびマスクベースの断面図である。
【図１５】図１３のマスクシール、マスクシールクリップおよびマスクベースの側面図である。
【図１６】図１３のマスクシール、マスクシールクリップおよびマスクベースの上面図である。
【図１７】図１の接続ポートアセンブリの斜視図である。
【図１８】図１７の接続ポートアセンブリの側面図である。
【図１９】図１７の接続ポートアセンブリの背面図である。
【図２０】図１７の接続ポートアセンブリの側断面図である。
【図２１】図１７の接続ポートアセンブリの斜視断面図である。
【図２２】図１のクリップアセンブリの斜視図である。
【図２３】図２２のクリップアセンブリの断面図である。
【図２４】マスクシールクリップ１１２の一部の下でロールするように構成されたマスクシールを示す図１２の断面図に類似する断面図である。
【図２５】マスクシールクリップの寸法が低減している、図１４の断面図に類似する断面図である。
【図２６】マスクシールクリップが省略されている、図１４の断面図に類似する断面図である。
【図２７】マスクシールクリップが省略されている、図１４の断面図に類似するさらなる断面図である。
【図２８】マスクの伸張の関数として使用者の身体に対する荷重（または力）の間の関係を示すグラフ図である。
【図２９】図１および図２のヘッドギアアセンブリと適合性のあるバックボーンの斜視図である。
【図３０】図２９の下部アームの端部領域の拡大図である。
【図３１】図３０の端部領域の拡大断面図である。
【図３２】マスク、クリップおよびストラップを備えるマスクアセンブリの斜視図である。
【図３３】図３２の２つのクリップのうちの一方の側面図である。
【図３４】図３３のクリップの組立分解図である。
【図３５】図３３のクリップの内部留め具の上面図である。
【図３６】２つの取付支柱を有するマスクベース、および左取付支柱に取り付けられたクリップの１つの内部留め具の正面図である。
【図３７】２つの取付支柱を有するマスクベースの別の構成、およびマスクベースの左取付支柱に取り付けられたクリップの別の構成の正面図である。
【図３８】クリップならびに関連するマスクおよび取付支柱のさらなる構成である。
【図３９】クリップならびに関連するマスクおよび取付支柱のさらなる構成である。
【図４０】クリップならびに関連するマスクおよび取付支柱のさらなる構成である。
【図４１】クリップならびに関連するマスクおよび取付支柱のさらなる構成である。
【図４２】クリップならびに関連するマスクおよび取付支柱のさらなる構成である。
【図４３】クリップならびに関連するマスクおよび取付支柱のさらなる構成である。
【図４４】クリップならびに関連するマスクおよび取付支柱のさらなる構成である。
【図４５】クリップならびに関連するマスクおよび取付支柱のさらなる構成である。
【図４６】クリップならびに関連するマスクおよび取付支柱のさらなる構成である。
【図４７】クリップならびに関連するマスクおよび取付支柱のさらなる構成である。
【図４８】スイベルアセンブリの別の構成の側面図である。
【図４９】図４８のスイベルアセンブリの組立分解図である。
【図５０】図４８の線５０−５０に沿って取り出された断面図である。
【図５１】図４８の線５１−５１に沿って取り出された断面図である。
【図５２】使用者の頭部に取り付けられた図２９のバックボーンの側面図である。
【図５３】使用者の頭部に取り付けられた図２９のバックボーンの背面斜視図である。
【図５４】使用者の顔面に位置決めされたマスク構成の正面図である。
【図５５】図５４の線５５−５５に沿って取り出されたマスク構成の断面図である。
【図５６】図５４のマスク構成の斜視図である。
【図５７】図５４のマスク構成の背面斜視図である。
【図５８】図５４のマスク構成の背面図である。
【図５９】図５４のマスク構成に対して異なるマスクシールを有するマスク構成の背面図である。
【図６０】図５４および図５９のマスク構成に対して異なるマスクシールを有する別のマスク構成の背面斜視図である。
【図６１】図５４のマスク構成の側面図である。
【図６２】図６１の線６２−６２に沿って取り出された断面である。
【図６３】図５４のマスク構成のマスクシールの背面図である。
【図６４】図５４のマスク構成のマスクシールの側面図である。
【図６５】図５４のマスク構成のマスクシールの正面図である。
【図６６】別のマスク構成の正面図である。
【図６７】ヘッドギアアセンブリが取り付けられている図６６のマスク構成の斜視図である。
【図６８】図６７のマスク構成およびヘッドギアアセンブリの側面図である。
【図６９】図６９のマスク構成およびヘッドギアアセンブリの背面斜視図である。
【図７０】使用者の顔の斜視図である。
【図７１】使用者の適所に示されているマスク構成の正面図である。
【図７２】使用者の適所に示されているマスク構成の斜視図である。
【図７３】コネクタなしで示されている図７１のマスク構成の正面図である。
【図７４】コネクタなしで示されている図７１のマスク構成の側面図である。
【図７５】図７１のマスク構成の側断面図である。
【図７６】図７１のマスク構成の背面図である。
【図７７】図７１のマスク構成の部分組立分解正面斜視図である。
【図７８】図７１のマスク構成の部分組立分解背面斜視図である。
【図７９】図７１のマスク構成の断面図である。
【図８０】種々の厚さ領域を示す図７１のマスク構成のマスクシールの正面図である。
【図８１】種々の厚さ領域を示す図７１のマスク構成のマスクシールの背面図である。
【図８２】種々の厚さ領域を示す図７１のマスク構成の側面図である。
【図８３】図８１のマスクシールの上に示されている高さにおいて図７１のマスク構成を通して取り出された断面図である。
【図８４】図８１のマスクシールの上に示されている高さにおいて図７１のマスク構成を通して取り出された断面図である。
【図８５】図８１のマスクシールの上に示されている高さにおいて図７１のマスク構成を通して取り出された断面図である。
【図８６】図８１のマスクシールの上に示されている高さにおいて図７１のマスク構成を通して取り出された断面図である。
【図８７】図８１のマスクシールの上に示されている高さにおいて図７１のマスク構成を通して取り出された断面図である。
【図８８】図８１のマスクシールの上に示されている高さにおいて図７１のマスク構成を通して取り出された断面図である。
【図８９】図７１のマスクアセンブリとともに使用することができるヘッドギアアセンブリの図である。
【図９０】図７１のマスクアセンブリとともに使用することができるヘッドギアアセンブリの図である。
【図９１】図７１のマスクアセンブリとともに使用することができるヘッドギアアセンブリの図である。
【図９２】図７１のマスクアセンブリとともに使用することができるヘッドギアアセンブリの図である。
【図９３】図７１のマスクアセンブリとともに使用することができるヘッドギアアセンブリの図である。
【図９４】図７１のマスクアセンブリとともに使用することができるヘッドギアアセンブリの図である。
【図９５】図７１のマスクアセンブリとともに使用することができるヘッドギアアセンブリの図である。
【図９６】図７１のマスクアセンブリとともに使用することができるヘッドギアアセンブリの図である。
【図９７】図７１のマスクアセンブリとともに使用することができるヘッドギアアセンブリの図である。
【図９８】図７１のマスクアセンブリとともに使用することができるヘッドギアアセンブリの図である。
【図９９】図７１のマスクアセンブリとともに使用することができるヘッドギアアセンブリの図である。
【図１００】図７１のマスクアセンブリとともに使用することができるヘッドギアアセンブリの図である。
【図１０１】図７１のマスクアセンブリとともに使用することができるヘッドギアアセンブリの図である。
【図１０２】図７１のマスクアセンブリとともに使用することができるヘッドギアアセンブリの図である。
【図１０３】図７１のマスクアセンブリとともに使用することができるヘッドギアアセンブリの図である。
【図１０４】図７１のマスクアセンブリとともに使用することができるヘッドギアアセンブリの図である。
【図１０５】図７１のマスクアセンブリとともに使用することができるヘッドギアアセンブリの図である。
【図１０６】図７１のマスクアセンブリとともに使用することができるヘッドギアアセンブリの図である。
【図１０７】図７１のマスクアセンブリとともに使用することができるヘッドギアアセンブリの図である。
【図１０８】図７１のマスクアセンブリとともに使用することができるヘッドギアアセンブリの図である。
【図１０９】図７１のマスクアセンブリとともに使用することができるヘッドギアアセンブリの図である。
【図１１０】別のマスク構成の正面斜視図である。
【図１１１】図１１０のマスク構成の背面斜視図である。
【図１１２】図１１０のマスク構成の側断面図である。
【図１１３】図１１０のマスク構成の背面斜視図である。
【図１１４】図１１３に示す線に沿って取り出された断面図である。
【図１１５】図１１３に示す線に沿って取り出された断面図である。
【図１１６】図１１３に示す線に沿って取り出された断面図である。
【図１１７】図１１３に示す線に沿って取り出された断面図である。
【図１１８】図１１３に示す線に沿って取り出された断面図である。
【図１１９】図１１３に示す線に沿って取り出された断面図である。
【図１２０】種々の厚さ領域が示されている、図１１０のマスク構成の背面図である。
【図１２１】使用者の適所に示されている別のマスク構成の正面図である。
【図１２２】使用者の適所に示されている図１２１のマスク構成の斜視図である。
【図１２３】図１２１のマスク構成の斜視図である。
【図１２４】図１２１のマスク構成の側面図である。
【図１２５】図１２１のマスク構成の背面斜視図である。
【図１２６】図１２１のマスク構成の、マスクシールの一部がマスクベースに対して変形している位置が破線で示されている、側面図である。
【図１２７】図１２１のマスク構成の部分側断面図である。
【図１２８】図１２７の円１２８によって示されかつマスクシールとマスクベースとの交差部を示すマスク構成の一部の拡大図である。
【図１２９】図１２７の円１２９によって示されかつマスクシールの変形可能部分を示すマスク構成の一部の拡大図である。
【図１３０】図１２４に示す線に沿って取り出された断面図である。
【図１３１】図１２４に示す線に沿って取り出された断面図である。
【図１３２】図１２４に示す線に沿って取り出された断面図である。
【図１３３】図１２４に示す線に沿って取り出された断面図である。
【図１３４】マスク構成のいくつかのゾーンの間の厚さの変化を示す図１２１のマスク構成の表現の正面図である。
【図１３５】図１３４のマスク構成の表現の側面図である。
【図１３６】図１３４のマスク構成の表現の背面図である。
【図１３７】図１２１のマスク構成の変更形態の背面斜視図である。
【発明を実施するための形態】
【０１１９】
最初に図１および図２を参照すると、インタフェース１００が、使用者Ｕの適所に示されている。インタフェース１００は、呼吸療法の分野において使用することができるインタフェースを含む。インタフェース１００には、陽圧呼吸療法の形態に有用性がある。たとえば、インタフェース１００を、連続気道陽圧（ｃｏｎｔｉｎｕｏｕｓ  ｐｏｓｉｔｉｖｅ  ａｉｒｗａｙ  ｐｒｅｓｓｕｒｅ）（「ＣＰＡＰ」）治療を施すために使用することができる。さらに、インタフェース１００を、可変気道陽圧（ｖａｒｉａｂｌｅ  ｐｏｓｉｔｉｖｅ  ａｉｒｗａｙ  ｐｒｅｓｓｕｒｅ）（「ＶＰＡＰ」）治療および二層性気道陽圧（ｂｉ−ｌｅｖｅｌ  ｐｏｓｉｔｉｖｅ  ａｉｒｗａｙ  ｐｒｅｓｓｕｒｅ）（「ＢｉＰＡＰ」）治療で使用することができる。インタフェースを、あらゆる好適なＣＰＡＰシステムで使用することができる。
【０１２０】
インタフェース１００は、あらゆる好適なマスク構成を備えることができる。たとえば、本発明のいくつかの特徴、態様および利点は、鼻マスク、フルフェイスマスク、口鼻マスクまたは他のあらゆる陽圧マスクに有用性を見つけることができる。図１に示すマスクは、フルフェイスマスクである。図示するインタフェース１００は、概して、マスクアセンブリ１０２、接続ポートアセンブリ１０４およびヘッドギアアセンブリ１０６を備えている。
【０１２１】
図１３を参照すると、マスクアセンブリ１０２は概してマスクシール１１０を備え、マスクシール１１０は、マスクシールクリップ１１２およびマスクベース１１４を含むことができる。説明するように、マスクシールクリップ１１２は、好ましくは、マスクシール１１０をマスクベース１１４に接続する。図示するマスクシール１１０およびマスクシールクリップ１１２は、別個に形成され合わせて固定されるが、いくつかの構成では、マスクシール１１０およびマスクシールクリップ１１２を単一構成要素に統合することができる。いくつかの構成では、マスクシール１１０は、マスクシールクリップ１１２にオーバモールドされる。
【０１２２】
図３を参照すると、マスクシールクリップ１１２は、マスクシール１１０より相対的に剛性が高く、堅く、または可撓性が低い。いくつかの構成では、マスクシールクリップ１１２は、ポリカーボネート材料から形成されている。いくつかの構成では、マスクシールクリップ１１２の少なくとも一部は、ポリカーボネートまたは他の剛性あるいは半剛性材料から形成されている。いくつかの構成では、マスクシールクリップ１１２は、シリコーンまたは別の好適な材料から少なくとも部分的に形成されている。こうした構成では、マスクシールクリップ１１２の少なくともシリコーン部分を、マスクシール１１０のより可撓性の高い部分と比較して相対的に厚いように形成することができる。マスクシールクリップ１１２は、図示する構成では、マスクシール１１０に構造的支持を提供する。
【０１２３】
図１４に示すように、マスクシールクリップ１１２は、マスクアセンブリ１０２の大部分を画定することができる。図示するように、図示するマスクベース１１４は、マスクシールクリップ１１２の大部分の上に重なる。図２５〜図２７を参照すると、マスクアセンブリ１０２を、要求に応じて異なる構造で構成することができる。たとえば、図２５を参照すると、マスクシールクリップ１１２は、マスクシール１１０とのインタフェースから限られた量、延在している。図２５に示す構成では、マスクベース１１４は、マスクシールクリップ１１２の少なくとも一部の上に重なり、マスクシールクリップ１１２は、マスクシール１１０の周囲に非常に限られたるリム状構成を画定している。
【０１２４】
図２６を参照すると、マスクシールクリップは全体として省略されており、マスクシール１１０は、マスクベース１１４に直接オーバモールドされている。しかしながら、いくつかの構成では、マスクシール１１０およびマスクベース１１４を、それらの２つの構成要素を分離することができるように構成することができる。たとえば、図２７に示すように、マスクシール１１０は、周辺フランジ１１１を備え、マスクベース１１４は、マスクシール１１０をマスクベース１１４に取外し可能に固定することができるように周辺フランジ１１１を受け入れる周辺チャネル１１５を備えることができる。いくつかの構成では、他の好適な方法を使用して、マスクシール１１０をマスクベース１１４に固定することができる。さらに、図２７の図示する構成は、マスクシールクリップ１１２のない実施形態を示し、マスクシールクリップ１１２およびマスクベース１１４は、マスクベース１１４に結合されている。
【０１２５】
図５を参照すると、図示するマスクシールクリップ１１２は、実質的にカップ状の構成を備えている。近位端１２０は、図示するマスクシールクリップ１１２の開放端を画定し、遠位端１２２は、図示するマスクシールクリップ１１２の略閉鎖端を画定している。図示する構成では、近位端１２０は、概してリップ１２４によって周囲が囲まれている。リップ１２４は、背面から見ると略五角形である（図５を参照）。図７に示すように、壁１２６が、概して、弓状に前方に伸びている。壁１２６に対する弓形形状は、図示するマスクシールクリップ１１２に対して３次元構成を提供する。
【０１２６】
続けて図７を参照すると、図示するマスクシールクリップ１１２の上方部分１３０は、形態が概して弓形である。さらに、図示するマスクシールクリップ１１２の略弓形形態は、図１および図２に示すように、相対的に大きい鼻を収容するように構成されているが、マスクシール１１０ほどには鼻の上を上方に延在していない。
【０１２７】
最初に図３を参照すると、図示するマスクシールクリップ１１２の上方部分１３０は、好ましくは２つの弓形寸法を備えている。第１に、弧長１３２を、図示するマスクシールクリップ１１２の上方部分１３０の上端に沿って画定することができる。弧長１３２を、図示するマスクシールクリップ１１２の周囲に沿って見つけられる変曲点１３４の間に画定することができる。
【０１２８】
図７に示すように、図示するマスクシールクリップ１１２の上方部分１３０は、側面半径１３６も備えている。図示するように、上方部分１３０は、上端からの距離が増大するに従って半径がわずかに増大するように、わずかに増大する側面半径１３６を有することができる。いくつかの構成では、上方部分１３０は、実質的に一定の側面半径１３６または低減する側面半径を備えることができる。有利には、わずかに増大する側面半径１３６によって、マスク１００内の使用者の鼻に近接する容積が増大する。
【０１２９】
図３および図６を参照すると、マスクシールクリップ１１２は、好ましくは、少なくとも２つの凹部１４０を備えている。図示する構成では、マスクシールクリップ１１２は、略垂直中心面ＣＰ（図６を参照）の２つの外側に配置されている２つの凹部１４０を備えている。略垂直中心面ＣＰは、好ましくは、使用者の正中矢状面に対応し、図示するマスクシールクリップ１１２を実質的に鏡像半体に分割する。２つの凹部１４０は、図示するマスクシールクリップ１１２に２つの概して密閉されたポケットを画定している。図示する凹部１４０はさらなる凹部１４２を備え、それは、マスクアセンブリ１０２によって画定されるチャンバの鼻領域内への侵入の量を制限しながら、後述する理由に対して適切な隙間を提供するために使用される。
【０１３０】
図示するマスクシールはまた、壁１４６によって画定される略中心通路１４４も備えている。図示する構成では、壁１４６は、通路１４４を概して密閉する。好ましくは、壁１４６は、形態が略円筒状であり、壁１２６を通って延在している。他の構成も可能である。
【０１３１】
図１４を参照すると、マスクシール１１０は、マスクシールクリップ１１２の近位端１２０から離れるように延在する可撓性部分を備えている。図示する構成では、マスクシール１１０はマスクシールクリップ１１２の上に、マスクシール１１０およびマスクシールクリップ１１２が結合して一体化された好ましくは分離不可能なアセンブリを形成するように、オーバモールドされる。いくつかの構成では、マスクシール１１０およびマスクシールクリップ１１２を分離しようとすることにより、それらの構成要素の間の接続部が破壊され、かつ／またはマスクシール１１０およびマスクシールクリップ１１２の一方または両方が破壊されることになる。上述したように、マスクシールクリップ１１２をマスクシール１１０に接続するために他のアセンブリを使用することも可能である。しかしながら、図示する構成により、有利には、清掃および保守が容易である構造がもたらされる。
【０１３２】
図４を参照すると、マスクシールクリップ１１２は、好ましくは、マスクシール１１０の内側リム１５０と概して同一平面であるように配置されている。図示する構成では、マスクシール１１０は、上方部分１５４に接する相対的に小半径部分１５２を備えている。マスクシール１１０の上方部分１５４は、使用者の鼻領域にわたって延在するように構成されている。いくつかの構成では、上方部分１５４は、使用者Ｕの鼻梁領域にわたって延在するように構成されている。
【０１３３】
上方部分１５４は、マスクシール１１０の下方部分１５６に接続されている。下方部分１５６は、図９に示すように、マスクシールクリップ１１２から横方向外側に延在している。さらに、下方部分１５６は、図４および図１０にそれぞれ示すように、後方にかつ内側に折り返している。合わせて、フルフェイスマスクアセンブリ１０２の近位側において、上方部分１５４および下方部分１５６が結合して、図１０に示す顔面接触フランジ１６０を画定している。顔面接触フランジ１６０は、使用者の下唇の下に位置し、口の外側に沿って延在し、頬骨に沿って上方に延在し、使用者の鼻梁を横切って延在するように構成されている。したがって、図示する顔面接触フランジ１６０は、略涙形開口部１６２を画定している。マスクアセンブリ１０２が使用者の顔面に設置されると、フランジ１６０は、使用者の鼻梁、頬骨、口の外側の上にかつ下唇の下方に平坦に位置する。陽圧空気の供給により、マスクシール１１０は、膨らんで（ｂａｌｌｏｏｎ）使用者の顔面に対して封止し、フランジ１６０と使用者の顔面との間の漏れの可能性を低減するかまたはなくす。
【０１３４】
図１１において破線によって示すように、マスクシール１１０の上方部分１５４は、マスクアセンブリ１０２の外面１７０の上にロールオーバーするように設計されている。図示する構成では、マスクシール１１０の外面は、マスクシールクリップ１１２の外面が支持面を形成するように、滑らかにロールしてマスクシールクリップ１１２の外面に当接する。いくつかの構成では、上方部分１５４が上にロールする外面１７０は、マスクシールクリップ１１２の外面の少なくとも一部を含む。いくつかの構成では、上方部分１５４が上にロールする外面１７０は、マスクシールクリップ１１２の外面を略排他的に含む。いくつかの構成では、上方部分１５４は、マスクシール１１０の別の部分の上にロールする。いくつかの構成では、上方部分１５４は、マスクシールベース１１４の上にロールする。
【０１３５】
図１２を参照すると、上方部分１５４がロールするのを補助するために、上方部分１５４は、可変厚さまたは可変堅さを有することができる。図１２に示す構成では、上方部分１５４は、厚／薄／厚構成を備えている。言い換えれば、上方部分１５４を顔面接触フランジ１６０とマスクシールクリップ１１２に近接する小さい半径１５２との間の領域でロールさせるために、堅さ低減領域１７２を組み込むことができる。図示する構成では、堅さ低減領域１７２は、マスクシール１１０内に組み込まれている。堅さ低減領域１７２は、マスクシール１１０がロールする所望の領域以外の領域で座屈するかまたは不都合に変形する可能性を低減するかまたはなくす。
【０１３６】
図示する構成は厚さが低減した領域を用いるが、堅さ低減領域１７２を提供する他の手段を用いて、シール部材１１０のローリングをもたらすことも可能である。たとえば、シール部材１１０の材料を、材料選択または材料特性を通して堅さが低減するように構成することができる。さらに、材料の複合物を使用して堅さまたは剛性が低減した領域を提供することができる。さらに、あらゆる好適な技法の組合せを使用することができる。それにも関らず、厚さが低減するように構成される図示する領域１７２は、堅さ低減領域１７２を達成する単純な方法を提供する。さらに、堅さ低減領域１７２の堅さを調整することにより、領域１７２のローリングをもたらすために必要な力を制御することができ、その力は、使用者の鼻に対して加えられる力を制御する。たとえば、堅さを変化させることにより、移動に対して、移動の範囲にわたって抵抗を徐々に大きくするかまたは小さくすることができる。
【０１３７】
上方部分１５４が堅さ低減領域１７２を備える場合、マスクシール１１０の上方部分１５４は、陽圧療法治療中に受けるような内圧の下で外側に膨らむ傾向があり、この膨らみは、顕著な構造なしにシリコーンの広い領域を画定する堅さ低減領域１７２によってもたらされるものと考えられる。図４および図１２を参照すると、上方部分１５４の膨らみの広がりを低減するために、かつ上方部分１５４に強化された構造を提供するために、バンド１７４等、１つまたは複数の補強構成要素を、上方部分１５４の少なくとも一部に沿って配置することができる。バンド１７４を、マスクシール１１０を形成するシリコーンまたは他の材料より剛性が高いか、またはそれに対して増大した堅さを特徴とする材料から形成された構成要素とすることができる。たとえば、堅さ低減領域１７２に対して厚さが著しく増大した領域を、その領域がマスクシール１１０を形成する同じ材料から形成されている場合、１つまたは複数の補強構成要素の堅さを増大させるために使用することができる。
【０１３８】
いくつかの構成では、バンド１７４を、マスクシール１１０の材料によって少なくとも部分的に包み込まれる別個に形成された構成要素とすることができる。図示する構成では、バンド１７４を、共成形された（ｃｏｍｏｌｄｅｄ）プラスチック構成要素とすることができ、またはマスクシール１１０を、バンド１７４の上にオーバモールドすることができる。いくつかの構成では、バンド１７４を、周囲の領域に対して堅さが増大した上方部分１５４の部分によって画定することができる。たとえば、限定されないが、バンド１７４を、厚さが増大した部分、材料の異なる部分、または堅さの増大をもたらす材料特性等によって画定することができる。
【０１３９】
図９を参照すると、バンド１７４は、マスクシール１１０の上方部分１５４の少なくとも一部に沿って延在している。マスクの上方部分１５４は、正面から見ると頂点１８０を備えている。頂点１８０を、マスクシール１１０の先端、頂部および角のある頂上として画定することができ、その頂点１８０は、使用時に使用者の鼻に近接して位置決めされる。第１壁１８２および第２壁１８４は、図示する構成では頂点１８０に向かっている。
【０１４０】
いくつかの構成では、第１壁１８２の少なくとも一部および第２壁１８４の少なくとも一部は、バンド１７４等の１つまたは複数の構成要素または構造体によって補強される。図示する構成では、たとえばバンド１７４等の１つまたは複数の補強構成要素は、第１壁１８２の少なくとも一部および第２壁１８４の少なくとも一部を補強する。いくつかの構成では、たとえばバンド１７４等の１つまたは複数の補強構成要素は、第１壁１８２の少なくとも一部、第２壁１８４の少なくとも一部および頂点１８０を補強する。
【０１４１】
続けて図９を参照すると、図示するバンド１７４は、第１端１８６と第１端１８６の反対側の第２端１８８とを有している。いくつかの構成では、バンド１７４を、マスクシールクリップ１１２とは別個に形成し、１つまたは複数の可撓性構成要素によってマスクシールクリップ１１２に取り付けることができる。いくつかの構成では、バンド１７４を、機械的ヒンジ構造によってマスクシールクリップ１１２に接続することができる。図示する構成では、第１端１８６および第２端１８８は、ヒンジ軸Ｈの頂点１８０と同じ側に配置されている。好ましくは、第１端１８６および第２端１８８は、ヒンジ軸Ｈから離れる方向に頂点１８０に向かって間隔を空けて配置されている。
【０１４２】
図１２に示すように、屈曲部１５２と堅さ低減領域１７２に隣接する相対的に堅い領域（たとえば、断面が相対的に厚い領域）とは、堅さ低減領域１７２のローリングの開始に役立つ。言い換えれば、堅さ低減領域１７２の制御された座屈が、隣接する相対的に堅い部分によって発生する。さらに、相対的に剛性が高いマスクシールクリップ１１２の縁を屈曲部１５２に隣接して位置決めすることが、堅さ低減領域１７２にローリングをもたらすのにさらに役立つ。いくつかの構成では、堅さ低減領域１７２は、第１境界および第２境界によって境界が定められており、第１境界および第２境界は、堅さ低減領域に対して堅さが増大している。図示する構成では、たとえば、第１境界はバンド１７４によってまたはそれに沿って画定され、第２境界は、屈曲部１５２によってまたはそれに沿って画定されている。
いくつかの構成では、第２境界を、より剛性の高いマスクシールクリップ１１２の縁によってまたはそれに沿って画定することができる。いくつかの構成では、第２境界を、マスクシールクリップ１１２と堅さ低減領域１７２との間に位置決めされたマスクシール１１０の一部に沿って画定することができる。
【０１４３】
マスクシール１１０の上方部分１５４がヒンジ軸Ｈを中心に変位する際、ロールのサイズが増大する。言い換えれば、第１境界が最初に第２境界に向かって移動する際、マスクシール１１０にロールが形成される。第１境界が第２境界に向かって移動し続けるに従い、ロールはサイズを増大させ続ける。したがって、図１１の図示する構成では、上方部分１５４に画定されたロールは、ゼロで開始し、破線に示すように上方部分１５４の変位中に徐々に増大する。好ましくは、第１境界と第２境界との間のローリングにより、第１境界と第２境界との間に単一の屈曲部または変曲部がもたらされる。単一の屈曲部により、第１境界が第２境界に向かって移動するに従いサイズが増大する、湾曲位置に近づく脚部がもたらされる。言い換えれば、第１境界の第２境界に向かう移動によってもたらされるローリングによって、好ましくは、プリーツ状形態等、扇状折畳みの外観がもたらされない。
【０１４４】
再び図３を参照すると、マスクシール１１０は、ローリングの開始に続いて堅さ低減領域１７２の連続したローリングを容易にするのに役立つ幾何学的形状を有することができる。弧長を、概して、ヒンジ軸Ｈのマスクシール１１０との第１交差部から、上方にかつマスクシール１１０の上方部分１５４を越えて、ヒンジ軸Ｈのマスクシール１１０との第２交差部まで下方に戻るように画定することができる。
【０１４５】
図３に示すように、図示するマスクシール１１０は、少なくとも第１弧長Ａ（破線で示す）、第２弧長Ｂ（一点鎖線で示す）および第３弧長Ｃ（バンド１７４の基部に沿って示す）を備えている。第１弧長Ａは、好ましくは、第１マスク弧長Ａに直接隣接するマスクシールクリップ１１２の弧長より長い。第２弧長Ｂは、第１弧長Ａと第３弧長Ｃとの間に位置決めされ、第２弧長Ｂは、好ましくは、第３弧長Ｃより短く、第１弧長Ａより長い。いくつかの実施形態では、弧長は、屈曲部１５２、または外面１７０に近接する別の領域からバンド１７４に向かって近位に着実に増大する。言い換えれば、角度α（図４を参照）が第１弧長Ａから増大するに従い、弧長は概して増大する。いくつかの構成では、弧長を、正面から背面まで（すなわち、角度αが増大するに従い）実質的に一定にすることができるが、弧長をロールが開始する部分から増大させることにより、図１１に示すように、頂点１８０の遠位方向におけるさらなる移動により、マスクシール１１０がそれ自体の上でかつ外面１７０の上で連続してロールすることになる。
【０１４６】
再び図４を参照すると、図示するマスクシール１１０の上方部分１５４はまた、側面から見ると可変半径を備えている。図示するように、Ｒ１＞Ｒ２＞Ｒ３である。したがって、図示するマスクシール１１０では、角度が増大するほど、半径は近位から遠位に低減する。いくつかの構成では、半径は、このように低減する必要はないが、半径の低減は、マスクシール１１０のローリングに役立つものと考えられる。
【０１４７】
さらに、ヒンジ点Ｈからのマスクシールクリップ１１２の半径ｒ１は、好ましくは、マスクシール１１０の半径Ｒ３より小さい。しかしながら、マスクシール１１０の柔軟な特質を考慮すると、マスクシール１１０がマスクシールクリップ１１２の上でロールするのを依然として可能にしながら、半径ｒ１および半径Ｒ３が実質的に同じであることが可能である。しかしながら、図示する構成では、半径ｒ１と半径Ｒ３との差により段差がもたらされる。このオフセットにより、マスクシール１１０がマスクシールクリップ１１２の上でロールすることができることに著しい影響を与えることなく、上述したように、側面半径１３６をわずかに増大させることが可能になる。段差が設けられなかった場合、側面半径１３６を増大させる可能性が非常に限られる。
【０１４８】
上述したように、フランジ１６０は、略涙形開口部１６２を取り囲んでいる。既知であるように、フープ応力を、内圧の結果として円筒形状部分における周方向応力として定義することができる。したがって、リングが拡張しようとするに従い、フープ応力が増大する。呼吸マスクを設置することからもたらされるフープ応力は、特に鼻梁の領域において、使用者に対して幾分かの不快の原因となり得る。鼻または上方部分１５４が使用者の鼻に対して移動する間、図示するマスクアセンブリ１０２の下方部分１５６は概して適所に固定される。上述したロール動作のために、図示するフルフェイスマスクアセンブリ１０２は、鼻から離れてロールするように作用し、それにより、特に鼻梁の周囲で、フープ応力の増大の発生が減少する。したがって、ロールするマスク構成は、マスクの設置中にフープ応力を維持または低減する手段を提供する。
【０１４９】
上述したように、かつ図１１に示すように、図示するマスクシール１１０の上方部分１５４は、図示する構成では外面１７０の上にロールオーバーする。マスク外面の上にロールオーバーすることは、フルフェイスマスクアセンブリ内に存在する陽圧を利用し、それは、空気圧の上昇により、マスクシールがそれ自体の上にロールする能力が強化され（すなわち、空気圧が、ロール中に互いに対して摺動するマスクシールの２つの面の間の表面張力を低下させ）、わずかな膨らみ効果が、マスクシール１１０の座屈、しわまたは望ましくない折畳みの可能性を低減するのに役立つ。さらに、いくつかの構成では、外側のロールオーバーにより、マスクシール１１０の下方部分１５６に対するマスクシール１１０の上方部分１５４の変位の程度または角度の視覚的手がかりを提供することができる。
【０１５０】
マスクの上方部分１５４がロールした程度を使用者により明確に示すために、視覚的インジケータを採用することができる。たとえば、いくつかの構成では、堅さ低減領域１７２の上または近くに、目盛りを刻印し、エンボス加工し、または他の方法で配置することができる。いくつかの構成では、目盛りを、堅さ低減領域１７２がロールオーバーするマスク１００の部分に沿って、位置決めすることができる。忠実性を高めるために、目盛りは、好ましくは、堅さ低減領域１７２がロールする程度を最大化することができるように、中心位置に位置決めされる。目盛りは、たとえば、限定されないが数値目盛りまたは色勾配目盛りであり得る。
【０１５１】
いくつかの構成では、ラチェットまたはロック機構をマスクと一体化することができ、それにより、堅さ低減領域１７２を所望のロール位置で固定することができる。たとえば、閉鎖部材（たとえば、ジップタイ式係止ラチェット）と係合する一連の歯を備えたラチェット機構を使用することができる。マスクの上方部分１５４がヒンジ点を中心に変位すると、ロック機構により、マスク１００が使用者Ｕの顔面から取り除かれた時に、上方部分１５４を適所に保持することができる。好ましくは、ロック機構は、マスクが極端に移動した場合に、上方部分をより適切な適合位置に弛緩させることができるように、要求に応じて、その係止された部分が容易に解除されるのを可能にする。したがって、使用者は、上方部分１５４が一度にロールする程度を設定することができ、その後は使用の度に同じレベルのロールがもたらされる。
【０１５２】
ロールすることにより、使用者の顔面に対してマスクのフランジ１６０によって加えられる圧力が増大するに従い、上方部分１５４（すなわち、鼻梁と接触するシール部材の部分）が移動する。移動の結果として、鼻梁の上に上方部分１５４によってかけられる力は、使用者の顔面の残りの部分に対して下方部分１５６によってかけられる広範囲の圧力にわたって実質的に一定である。同様に、上方部分１５４を移動させるために必要な力は、実質的に一定である。図２８に示すように、図示する構成により、移動の範囲に関連する力の約０．５Ｎ未満の増大により、上方部分の位置が完全に２５ｍｍ変化する結果となる。鼻に加えられる力が、角度および関連する上方部分変位の範囲にわたって概して一定であるため、鼻梁にかけられる力は、さまざまなヘッドギア引張レベルにおいて著しく変化しない。この場合もまた、こうした結果が図２８に示されており、そこでは、頂点１８０において５ｍｍから２５ｍｍの移動の範囲にわたって力が全体的に変化することにより、約０．２Ｎの力変化がもたらされる。さらに、鼻に加えられる力は、ある範囲の角度にわたって概して一定であるため、マスクを、鼻領域の敏感な鼻梁に対してかけられる圧力を制限しながら、種々の顔形状に対するフィット性を向上させるように調整することができる。
【０１５３】
プリーツ形状を特徴とする構造と比較すると、ローリング構成の使用により、顕著な改善が提供される。第１に、プリーツではない外側のローリングにより、マスクシールの材料が使用者の鼻を収容するように設計されたチャンバ内に侵入する可能性が低減するかまたはなくなる。したがって、外側のローリングにより、下方部分１５６に対する上方部分１５４の移動中のチャンバ内側での使用者の鼻との接触の可能性が低減する。第２に、プリーツの代りの外側のローリングにより、清潔な外観が提供され、外側空洞の数が低減し、それは、プリーツ状アセンブリと比較して、フルフェイスマスクアセンブリの使用者の感覚を改善すると考えられる。
【０１５４】
図２４を参照すると、図示するマスクシール１１０は外面１７０にロールオーバーするが、マスクシールを、マスクアセンブリの内側でロールするように構成することができる。言い換えれば、いくつかの構成では、内側のロールを使用することができる。内側へのロールオーバーは、外側へのロールオーバーに対して望ましくなく、それは、陽圧がローリングを妨げる傾向があるため、かつロール動作が、鼻を受け入れるチャンバ内に侵入する傾向があるためである。一方、内側のロールオーバーにより、外側のロールオーバーに対してより清潔な外観が提供され、それは、シール部材のいかなる膨らみもマスクシールクリップ内に収容されるためである。
【０１５５】
ここで図１および図２を参照すると、マスクアセンブリ１０２はマスクベース１１４を含み、それはマスクシール１１０より剛性が高い。マスクベース１１４を、あらゆる好適な材料から形成することができる。いくつかの構成では、マスクベース１１４は、ポリカーボネート材料から形成され、それにより、マスクシール１１０および／またはマスクシールクリップ１１２と接続するために撓曲することができる。
【０１５６】
ここで図１４を参照すると、マスクアセンブリ１０２が、マスクベース１１４がマスクシール１１０に固定された状態で示されている。より具体的には、図示する構成では、マスクベース１１４は、あらゆる好適な方法でマスクシール１１０に取り付けられるマスクシールクリップ１１２に固定されている。いくつかの構成では、マスクベース１１４およびマスクシール１１０またはマスクシールクリップ１１２は、取外し可能に接続されている。いくつかの構成では、マスクベース１１４は、マスクシール１１０およびマスクシールクリップ１１２の一方または両方とともに合わせてスナップ式に嵌まる。好ましくは、マスクシール１１０およびマスクシールクリップ１１２を、マスクベース１１４から取り除くことができ、スナップ接続は、マスクシールクリップ１１２をマスクベース１１４に固定する。
【０１５７】
図１４および図１５を参照すると、図示するマスクベース１１４は、マスクシールクリップ１１２の少なくとも一部の上に重なる。いくつかの構成では、マスクベース１１４は、マスクシールクリップ１１２を略全体的に覆う。いくつかの構成では、マスクベース１１４は、マスクシールクリップ１１２の半分を越えて延在する。マスクベース１１４がマスクシールクリップ１１２またはマスクシール１１０の実質的な部分の上に重なると、二層効果（たとえば、マスクシールクリップ１１２およびマスクベース１１４）がもたらされる。二層効果により、マスクベース１１４のかなりの部分がマスクシールクリップ１１２またはマスクシール１１０のかなりの部分に重なる時の保温性が向上する。保温性の向上により、相対的に温かい内側部分（たとえば、マスクシール１１０および／またはマスクシールクリップ１１２）が提供され、それにより、使用中の水分のレインアウトが低減する結果となる。好ましくは、マスクシールクリップ１１２の少なくとも一部は、マスクベース１１４の下から露出しており、それにより、マスクベース１１４をマスクシールクリップ１１２からより容易に分離することができる。図１５に示すように、マスクベース１１４の、下にあるマスクシール１１０および／またはマスクシールクリップ１１２からの分離に役立つように、図示するマスクベース１１４は、近位端に周辺面２００を備えている。マスクベース１１４は、下にある構成要素を収容するように内側が凹状である。言い換えれば、マスクベース１１４は、近位周辺面２００に対して遠位方向にボウル形状である。
【０１５８】
周辺面２００は、１つまたは複数の凹状部分２０２を備えている。好ましくは、凹部分２０２は、マスクベース１１４の互いに反対側に位置決めされている少なくとも２つの凹状部分２０２を含む。凹状部分２０２は、指を受け入れるように構成され、それにより、マスクベース１１４を、下にあるマスクシールクリップ１１２の正面からより容易に取り除くことができる。凹状部分２０２は、マスクベースを取り除くためにマスクベース１１４の下にあるアセンブリを把持する手段を画定することができるが、たとえば、限定されないが、外側に突出するタブ、突起部分等、他の構成を使用することができる。さらに、図示する凹状部分２０２は、マスクベース１１４の対向する側面に配置されているが、凹状部分２０２を、要求に応じて頂部および底部にまたは他の領域に配置することができる。
【０１５９】
図１３に示すように、マスクベース１１４は、好ましくは、壁２１２によって画定される開口部２１０を備えている。（マスクシール１１０、マスクシールクリップ１１２およびマスクベース１１４を通る断面である）図１４を参照すると、マスクベース１１４を通して開口部２１０を画定する壁２１２は、好ましくは、マスクシールクリップ１１２を通して通路１４４を画定する壁１４６の中に嵌まる。図１４に示すように、壁２１２は、壁１４６と軸方向に同一の広がりを持つことができる。さらに、壁１４６、２１２の寸法および形状を、それらの壁が互いに相互作用して壁１４６、２１２間の相対的な滑りを低減し、マスクシール基部１１４がマスクシールクリップ１１２から不注意で分離する可能性を低減するようなものすることができる。いくつかの構成では、壁１４６、２１２は、嵌合して、それらの壁の間の接触面を通る漏れの可能性を低減する。好ましくは、テーパロックが、壁１４６、２１２を合わせて固定する。
【０１６０】
さらに図１４を参照すると、壁２１２は、曲線状（ｃｏｎｔｏｕｒｅｄ）内面２１４を備えている。曲線状面２１４を、図１７に示すもの等、スイベルエルボ２２２のボール端２２０を受け入れるように丸みをつけることができる。図１８によりよく示すように、ボール端２２０は、マスクベース１１４に形成された曲線状面２１４にスナップフィットすることができる曲線状面２２４を有している。２つの曲線状面２１４、２２４の間の接続により、それらの面が互いに相対的に自由に摺動することができ、それにより、スイベルエルボ２２２の位置を容易に変更することができる。いくつかの構成では、エルボ２２２を、玉継手構成を有することなく回転または旋回するように構成することができる。
【０１６１】
再び図１３を参照すると、マスクベース１１４はまた、少なくとも２つのポケット２３０を備えている。図示するマスクベース１１４は２つのポケット２３０を備えている。ポケット２３０は、マスクベース１１４内に引っ込み、マスクベース１１４から後方に突出する。ポケット２３０は、マスクシールクリップ１１２の凹部１４０内に受け入れられる。マスクシールクリップ１１２に形成されたさらなる凹部１４２の上に位置するのは、周囲の壁２３４によって画定される開口部２３２である。
【０１６２】
図示するポケット２３０は、１つのポケット２３０がマスクベース１１４の各側面に形成されるように形成されている。ポケット２３０を、中心面ＣＰに対して対称に位置決めすることができ、中心面ＣＰは、マスクベース１１４を実質的に二分している。いくつかの構成では、図１５に示すように、ポケット２３０は、横寸法２４２に対して縦寸法２４０が拡大している。同様に、図１５に示すように、開口部２３２は、横寸法２４６に対して縦寸法２４４が拡大している。
【０１６３】
図示するマスクベース１１４では、各ポケット２３０の横方向内側部分は、支持壁２５０を備えている。支持壁２５０は、ポケット２３０の基礎面２４８に対する垂線に対して中心面ＣＰに向かって位置決めされている。ポケット２３０の各々は、クリップ２５２（図２２を参照）を受け入れるように構成されている。クリップ２５２がポケット２３０内に設置されると、支持壁２５０は、ポケット２３０に対してクリップ２５２の回転を制限するのに役立つ。さらに、大きい縦寸法は、使用者が設置中にクリップ２５２とともにポケット２３０を位置付けるのに役立つ。
【０１６４】
図２２を参照すると、クリップ２５２は、２部構造、すなわち外側カバー２５４および内側留め具２５６を有することができる。ストラップ２６０を、各クリップ２５２にあらゆる好適な方法で固定することができる。１つの好適な構成を図２に示す。いくつかの構成では、ストラップ２６０を、外側カバー２５４と内側留め具２５６との間に介挿することができる。いくつかの構成では、ループまたは開口部あるいは穴をクリップ２５２に設けることができ、ストラップ２６０をそれに通すことができる。好ましくは、１つのクリップ２５２を、ヘッドギアアセンブリ１０６の上部ストラップおよび下部ストラップの両方に接続することができる。こうした構成により、ヘッドギアアセンブリ１０６のフルフェイスマスクアセンブリ１０２への容易な接続とヘッドギアアセンブリ１０６のフルフェイスマスクアセンブリ１０２からの容易な分離とが促進される。
【０１６５】
図２３に示すように、クリップ２５２は傾斜面２６２を備えている。傾斜面２６２を、外側カバー２５４に位置決めすることができる。傾斜面２６２は、支持壁２５０と協働して、クリップ２５２をマスクベース１１４のポケット２０３に対して方向付けるのに役立つ。
【０１６６】
クリップ２５２は、噛合い機構２６４を含む。噛合い機構２６４は、マスクベース１１４のポケット２３０に画定された開口部２３２に挿入されるように構成されている。噛合い機構２６４は、図１３に示すように、マスクベース１１４の開口部２３２を画定する壁２３４に沿って画定されたタブ２３６とスナップフィット式に係合することができる。クリップ２５２をポケット２３０と噛み合わせる他の方法も使用することができる。
【０１６７】
図２３を参照すると、図示するクリップ２５２の噛合い機構２６４は、解除レバー２６６で終端するＵ字型構成要素２６８を備えている。Ｕ字型端部２６８は、タブ２３６との接続を可能にするように十分な距離突出しているが、マスクシールクリップ１１２のさらなる凹部１４２の底部が噛合い機構２６４の開口部２３２内への適切な挿入を阻止するのを可能にするほど突出しない。Ｕ字型端２６８は、クリップ２５２のマスクベース１１４への接続中に、最初に開口部２３２の壁と接触する。図示する構成では、Ｕ字型端２６８は、挿入中に開口部２３２の壁２３４と接触し、壁２３４は、クリップ２５２をポケット２３０内の適所に案内する。開口部２３２、または開口部２３２を画定する１つあるいは複数の面は、概して、クリップ２５２のマスクベース１１４への接続中にマスクベース１１４に対してクリップ２５２を位置合せする。
【０１６８】
解除レバー２６６の端部は、壁２７２に画定された開口部２７０を通って突出している。好ましくは、解除レバー２６６の端部は、解除レバー２６６の容易な操作を可能にするように十分な距離、開口部２７０を通って突出している。解除レバー２６６を、噛合い機構２６４のＵ字形状を閉鎖するように移動させることにより、噛合い機構２６４を、マスクベース１１２の開口部２３２を画定する壁２３４のタブ２３６との係合から解除することができる。
【０１６９】
図３２〜図３９は、使用者の頭部にマスクアセンブリ１０２を固定するように構成されるクリップアセンブリ２５２のさらなる構成を示す。図３２および図３３のクリップ２５２は、使用者がマスクアセンブリ１０２からヘッドギア１０６を容易に取り外すのを可能にする隆起縁４００（フィンガタブ４００と呼ぶ場合もある）を有している。隆起縁４００は、使用者が、クリップ２５２をマスクベース１１４からはじいて外すために単に後方に引っ張ることができるように向けられている。マスクベース１１４から１つまたは複数のクリップ２５２を取り除くことにより、マスクアセンブリ１０２を使用者の頭部から容易に取り除くことができる。隆起縁４００は、マスクアセンブリ１０２に対するヘッドギア１０６の取付および取外し中に把持点を提供する。たとえば、使用者の親指および人差し指を、マスクアセンブリ１０２からのクリップ２５２の取外し中に隆起縁４００の両側に配置することができる。さらに、使用者は、クリップ２５２を把持し、マスクフィッティングプロセスを通して刃時を維持することができる。これにより、組立中にストラップ２６０に対して無分別に把握する必要がなくなる。それによってまた、使用者が、隆起縁４００上の把持を維持しながらクリップ２５２を取り付け、取り外しかつ再度取り付けることも可能になる。
【０１７０】
図３４は、図３２および図３３のクリップ２５２の組立分解図を示す。クリップ２５２は、外側カバー２５４および内側留め具２５６を含む。内側留め具２５６は、ヘッドギアストラップ２６０の遠位端を受け入れる１つまたは複数の溝穴４０２を含む。内側留め具２５６はまた、図３８および図３９の構成に関連して示すもの等、いくつかの圧力バンプも含むことができる。圧力バンプは、外側カバー２５４および内側留め具２５６に対して、それらが互いに固定されるように追加の圧力を提供する。１つの構成では、ヘッドギアストラップ２６０は、組み立てられたクリップ２５２から取外し可能である。
【０１７１】
内側留め具２５６は、図３８に示すように、細長い溝穴４０４を含む。溝穴４０４は、直径が溝穴４０４の幅より大きい円形開口部４０６を含む。溝穴４０４および円形開口部４０６は、クリップ２５２のマスクアセンブリ１０２との位置合せに役立つ面取りされた凹部を含むことができる。円形開口部４０６は、後により詳細に考察するように、クリップ２５２のマスクアセンブリ１０２に対する取付および取外しを容易にする。２つの溝４０８が、溝穴４０４の側面に対して平行に延在し、それにより、溝穴４０４の両側に溝穴壁４１０（クリップレバーと呼ぶ場合もある）を画定している。溝４０８は、クリップ２５２のマスクアセンブリ１０２に対する取付および取外し中に溝穴壁４１０の適切な撓曲を可能にするようなサイズである。さらに、溝穴壁４１０は、内側留め具２５６の最長寸法に沿って頂部および底部に向かって延在し、それにより、より長い溝穴壁４１０を採用することが可能になる。溝穴壁４１０が長くなることにより、クリップを取付支柱の上に嵌めている時に溝穴壁に対する応力のレベルが低減する。
【０１７２】
図３２〜図３５のクリップ２５２と使用するのに好適なマスクベース１１４の１つの構成を図３６に示す。マスクベース１１４は、マスクベース１１４の両側に対称的に位置決めされた２つの凹部１４０を含む。取付支柱４１２が、各凹部１４０内でマスクベース１１４の本体から延在している。取付支柱４１２を、マスクベース１１４と一体的に形成するか、または別個に形成してマスクベース１１４に固定することができる。取付支柱４１２は、使用者がクリップ２５６を適所にスナップ式に嵌めると、クリップ２５６をマスクベース１１４に固定するキノコ状形態を有することができる。球状のキノコ状支柱４１２の丸い頂部は、中心穴４０６の位置を定めそれを方向付けるのに役立つ。クリップ２５２が支柱４１２の上に押圧されると、溝穴壁４１０は外側に、支柱４１２から離れるように偏向する。支柱４１２の頭部が溝穴壁４１０の縁を通過すると、溝穴壁４１０はそれらの元の位置にスナップ式に戻り、それにより、クリップ２５２が適切にマスクアセンブリ１０２に取り付けられているという触覚の、場合によっては可聴フィードバックを提供する。
【０１７３】
取付支柱４１２はまた、内側留め具２５６の細長い溝穴４０４と嵌合するサイズである、細長い、楕円形の隆起部分４１４（ラグまたはウイングと呼ぶ場合もある）も備えることができる。細長い隆起部分４１４は、マスクアセンブリ１０２に対するヘッドギア１０６の適切な位置合せに役立つように面取り縁を備えている。部分４１４はまた、クリップ２５２がマスクアセンブリ１０２に対して回転するのも防止する。これは、使用者が眠っている間にヘッドギアストラップ２６０に対する一定の張力を保証するのに役立つ。
【０１７４】
図３７は、クリップ２５２をマスクアセンブリのマスクベース１１４に固定するさらに別の構成の部分的アセンブリを示す。クリップ２５２は、マスクベース１１４の凹部１４０内に位置する。円筒状ボタンヘッド支柱４１２が、凹部１４０内のマスクベース１１４の表面から延在している。支柱４１２は、その円筒状形態のために、クリップ２５２が取り付けられた時にクリップ２５２のわずかな回転を可能にする。しかしながら、図３８および図３９に示すように、溝穴４０４、溝４０８および溝穴壁４１０は、内側留め具２５６の短い方の平面方向に沿って、その前端および後端に向かって延在している。
【０１７５】
内側留め具２５６は、いくつかの圧力バンプ４１４も含む。上述したように、圧力バンプは、外側カバー２５４および内側留め具２５６に対してさらなる圧力を提供し、それによりそれらが互いに固定される。
【０１７６】
クリップ２５２のさらなる構成を、図４０〜図４７に示す。図４０のクリップ２５２は、３つの細長い楕円形溝穴４０４およびフィンガタブ４００を含む。フィンガタブ４００は、マスクアセンブリ１０２からクリップ２５２を解除するためのレバーをもたらすように使用される。中心溝穴４０４は、マスク本体の外面から延在する取付支柱４１２を受け入れるようなサイズである。１つのこうした好適な取付支柱４１２を図４３に示す。取付支柱４１２は、隆起４１４および２つの溝穴４１６を含む。クリップ２５２が取付ポスト４１２に押圧されると、支柱４１２の外側部分は、溝穴４１６によって提供される間隔のために互いに向かって撓曲する。隆起４１４がクリップ２５２の上面を通過すると、取付支柱４１２は、その元の位置にスナップ式に戻り、隆起４１４はクリップ２５２を適所に係止する。
【０１７７】
図４４〜図４７に、同様の構成を示す。図４５のクリップ２５２は、フィンガタブを含まず、その中心開口部４０４は、図４０〜図４４の細長い溝穴より丸く、より楕円形の形状を有している。
【０１７８】
上述した構成のすべてにより、マスクアセンブリ１０２を使用者の頭部に固定する手続きが簡略化される。たとえば、クリップ２５２により、ヘッドギア１０６は閉ループではないように開くことができる。開くことにより、使用者に自身の頭部をヘッドギア１０６に通させるのではなく、ヘッドギア１０６を頭部の周囲に回すことができる。
【０１７９】
図２を参照すると、ストラップ２６０に加えて、ヘッドギアアセンブリ１０６はまた、後部ストラップ２８０および頂部ストラップ２８２も備えている。他のヘッドギアアセンブリを使用することも可能である。後部ストラップ２８０は、概して首の首筋の上方であるが概して後頭骨突出部の下方の位置で使用者Ｕの頭部の後部の周囲に延在する。使用者の耳の後方の位置で、後部ストラップ２８０は、上部アーム２８４および下部アーム２８６に分岐する。上部アーム２８４は、使用者の耳の上方の位置まで上向きに弧状に進み、その後、使用者の耳の略前方の位置まで下向きに弧状に進む。下部アーム２８６は、使用者の耳の略下方の位置まで下向きに弓状に進み、耳のわずかに前方に延在する。
【０１８０】
ストラップ２６０を、後部ストラップ２８０にあらゆる好適な方法で接続することができる。図示する構成では、ストラップ２６０は、上部アーム２８４および下部アーム２８６にそれぞれ接続する。好ましくは、上部アーム２８４および下部アーム２８６はストラップ２６０より剛性が高く、それにより、ヘッドギアアセンブリ１０６が着用されている際にアーム２８４、２８６は概して形状を維持する。いくつかの構成では、上部アーム２８４および下部アーム２８６の各々は、それ自体の重量を支持する。いくつかの構成では、上部アーム２８４および下部アーム２８６の各々は、着用中にもつれがないような構造になっている。たとえば、アーム２８４、２８６は、装着されている時によじれの可能性を低減するのに十分なねじり剛性を有している。
【０１８１】
好ましくは、ストラップ２６０は、耳の前方の位置で上部アーム２８４および下部アーム２８６のうちの少なくとも一方に接続する。こうした構成は、使用者が、それほど困難なくストラップ２６０の位置を定めるのに役立つ。さらに、図示する構成におけるストラップ２６０はクリップ２５２内に埋め込まれているため、上部アーム２８４および下部アーム２８６の端部は溝穴２９０、２９２を備えることができ、それにより、ストラップ２６０を溝穴２９０、２９２に通すことができる。さらに、ストラップ２６０は、Ｖｅｌｃｒｏ（登録商標）またはバックル構成等、調整機構２９４を備えることができる。調整機構２９４により、マスクシール１１０と使用者Ｕの顔面との間の力を調整することができる。あらゆる好適な調整機構２９４を使用することができる。
【０１８２】
図２に示すように、頂部ストラップ２８２は、好ましくは可撓性があり、長さが調整可能である。頂部ストラップ２８２は、上部アーム２８４に、溝穴２９６を通して接続し、上部アーム２８４が使用者の頭部から滑り落ちて使用者の耳に接触する可能性を低減する。好ましくは、頂部ストラップ２８２は、使用者の耳の略上方の位置で上部アーム２８４に接続する。
【０１８３】
有利には、図１および図２に示すように、ストラップ２６０は、方向Ｃにおける移動により、マスクベース１１４に接続している間に矢印Ｆの方向に力をかけ、方向Ｃは、力Ｆの方向に対して略垂直である。言い換えれば、ストラップ３６０は、前方に引っ張ることにより張力がかけられ、クリップ２５２は、前方引張に対して垂直な方向の移動によりマスクベース１１４に接続される。こうした構成により、使用者の顔面へのインタフェース１００の固定が容易になる。
【０１８４】
別の構成では、ヘッドギアアセンブリ１０６は、マスクアセンブリ１０２を使用者の頭部に固定するために（図２９に示すような）半剛性ヘッドギア３８０を含む。半剛性ヘッドギア３８０は、軟縁３８４に接合される半剛性ストラップ３８２を備える複合構造として形成される。たとえば、軟縁３８４を、プラスチックオーバモールド加工により、または接着剤の使用により半剛性ストラップ３８２に結合することができる。図２９に示すように、軟縁３８４を、軟縁３８４を半剛性ストラップ３８２に重ねることなく、半剛性ヘッドギア３８０の連続した外形を維持するように、半剛性ストラップ３８２に突合せ接合することができる。半剛性ストラップ３８２は、マスクアセンブリ１０２を使用者の頭部に向かって引っ張るようにストラップ２６０から張力が加えられる際に、半剛性ヘッドギア形状を画定し維持する。言い換えれば、半剛性ストラップ３８２は、その上部アーム２８４および下部アーム２８６が張力下で過度に変形しないように、その平面軸に沿って十分に剛性がある。半剛性ストラップ３８２を、プラスチックまたは金属を含む、種々の剛性または半剛性材料から作製することができる。いくつかの構成では、半剛性ストラップ３８２はＰＶＣから作製される。
【０１８５】
特に、半剛性ヘッドギアアセンブリに関連して、形状保持または自己支持型の特質により、直観的に嵌めることができるアセンブリ全体をもたらすことができる。特に、接続および／またはヘッドギア部材は、３次元形態を維持するように自己支持型である場合、ヘッドギアを、あるとしても非常にわずかな指示で正しい向きに嵌めることができる。自己支持型構成では、ストラップがもつれにくい傾向があることにより、アセンブリ全体を取り付けるのにかかる時間もまた短縮される。
【０１８６】
本明細書で用いる「半剛性」という用語は、ヘッドギアアセンブリ３８０が、患者の解剖学的構造に概して一致するのに十分な可撓性も有していながら、ヘッドギアが嵌まるように設計されている患者の頭部に近似する寸法の３次元形状を呈することができるように、十分堅いことを示すために使用される。たとえば、ヘッドギアアセンブリ３８０の他の構成要素のうちのいくつか（たとえば、アームまたはストラップ）を、部分的にまたは全体として「半剛性」とすることも可能であり、それにより、それらの構成要素は、実質的に自己支持型である３次元形態を保持することができる。「半剛性」ヘッドギアアセンブリは、ヘッドギアアセンブリのありとあらゆる構成要素が必ず半剛性であることを意味するように意図されていない。たとえば、自己支持型ヘッドギアアセンブリ３８０が呈することができる実質的３次元形態は、主に、ヘッドギアアセンブリ３８０の後部部分および最上部分に関連することができる。さらに、半剛性ヘッドギアアセンブリ３８０は、患者の頭部に配置された時に耳の前方にかつ耳の上方に延在する半剛性領域を含むことができる。
【０１８７】
左上部アーム２８４および右下部アーム２８６を、同様に半剛性材料から形成することができる。本明細書で用いる場合、半剛性材料は、限定されないが、均質なプラスチック材料および結合不織繊維材料を含む、成形プラスチックまたはシート材料を含むことができる。
【０１８８】
いくつかの構成では、アームまたはストラップのうちの１つまたは複数は、実質的に非伸縮性（ｉｎｅｌａｓｔｉｃ）材料から形成されている。アームまたはストラップを、半剛性ヘッドギアアセンブリ３８０が実質的３次元形状を呈しかつ概してもつれないように、半剛性、自己支持型材料から形成することができる。いくつかの構成では、材料は、たとえば、限定されないが、形状適合性（ｃｏｎｆｏｒｍａｂｌｅ）であるとともに半剛性の部分の積層構造を備えることができる。半剛性ストラップ３８２は、たとえば、限定されないが、Ｓａｎｔｏｐｒｅｎｅ、ポリオレフィン、ポリプロピレン、ポリエチレン、発泡ポリオレフィン、ナイロンまたは不織布ポリマー材料等、自己支持型、弾性、実質的非伸縮性材料であり得る。いくつかの構成では、半剛性ストラップ３８２は、ポリエチレンまたはポリプロピレン群から形成されている。材料は、引張降伏強度が９．６５ＭＰａ、引張破壊強度が８．９６ＭＰａ、２％セカント曲げ弾性率が２３４ＭＰａであるリニア低密度ポリエチレンである、Ｄｏｗｌｅｘ２５１７等の低密度ポリエチレンであり得る。半剛性ストラップ３８２は、好ましくは、半剛性ヘッドギア３８０がその向きに関らずそれ自体の重量下で実質的に形状を維持するような材料から形成される。いくつかの構成では、半剛性ストラップ３８２は、３０Ｎ引張荷重下でおよそ６ｍｍを越えて伸長しない。いくつかの構成では、半剛性ストラップ３８２は、３０Ｎ引張荷重下でおよそ３ｍｍを越えて伸長しない。
【０１８９】
いくつかの構成では、半剛性ストラップ３８２は、ポリオレフィンと結合される（たとえば、オーバモールドされるかまたは積層される）不織布ポリオレフィン（ＮＷＰ）から形成される。こうした構成では、オーバモールドされたポリオレフィン材料は、本来の形状維持特性を提供する。さらに、より軟質なＮＷＰ材料は、皮膚と接触し、所望の快適レベルを提供するように適合される。さらに、ＮＷＰ材料は、所望の耐引張荷重特性等、所望の耐荷重特性を提供するのに役立つことができる。
【０１９０】
半剛性ヘッドギア３８０は、概して、半剛性材料から形成される。本明細書で用いる半剛性材料は、たとえば、限定されないが均質なプラスチック材料および結合不織繊維材料を含む、成形プラスチックまたはシート材料を含むことができる。上部アーム２８４および下部アーム２８６もまたこうした半剛性材料を含み、それは、アーム２８４、２８６が、半剛性ヘッドギア３８０と一体的に形成されかつその一部であるためである。好ましくは、右下部アームおよび左下部アーム２８６は、使用時、患者の頭部の後方の周囲にかつ首の回りに延在する一体化構成要素として形成される。
【０１９１】
軟縁３８４が、半剛性ストラップ３８２の周辺の少なくとも一部を覆うかまたはそれに取り付けられている。一構成では、軟縁３８４は、半剛性ストラップ３８２の正面または背面を覆わない。たとえば、軟縁３８４および半剛性ストラップ３８２の厚さは、それらが合わせて接合される位置で同じであり得る。
【０１９２】
軟縁３８４は、半剛性ストラップ３８２の周辺と使用者の皮膚との間に軟質の快適な接触面を提供する。軟縁３８４を、限定しないがプラスチック、エラストマー、シリコーンまたは熱可塑性ポリウレタン（ＴＰＵ）プラスチックを含む種々の軟質材料から作製することができる。軟縁３８４は、１０ショアＡ〜８０ショアＡの範囲のショア硬度を有することができる。
【０１９３】
本明細書においてヘッドギアおよびストラップに関して用いる際の「軟性、軟質」は、触覚から得られる反応によって評価される材料の品質を意味する、材料の手触りを述べるために使用される。さらに、本明細書においてヘッドギアおよびストラップに関して用いる際の「形状適合」は、材料が、患者の（たとえば、顔の造作の周囲の）解剖学的特徴に一致することができることを述べるために使用される。特に、少なくとも「軟質」かつ／または「形状適合」材料の要素を含むストラップはまた、「半剛性」でありかつ／または軸方向に非伸縮性でもあり得る。
【０１９４】
軟縁３８４は、均一な厚さを有することができ、またはいくつかの構成では不均一な厚さを有することができる。たとえば、いくつかの構成では、軟縁３８４は、半剛性ストラップ３８２と同じ厚さである。他の構成では、軟縁３８４は、半剛性ストラップ３８２より薄く、半剛性ストラップ３８２の球状端を形成し、または単に半剛性ストラップ３８２より厚い。半剛性ヘッドギア３８０の種々の断面図を図２９に示す。各断面図（Ａ−Ａ’〜Ｆ−Ｆ’）は、要求に応じて結合することができる、半剛性ストラップ３８２および軟縁３８４の厚さの１つのあり得る構成を示す。たとえば、あらゆる１つの特定の軟縁３８４厚さおよび形状を、一部または半剛性ストラップ３８２全体に適用することができ、または図２９に示す他のあらゆる特定のカバー厚さおよび形状と結合することができる。
【０１９５】
同様に、他の多くの厚さ構成を提供することができる。さらに、材料厚さを、半剛性ストラップ３８２に対称的にまたは非対称に適用することができる。たとえば、断面図Ｃ−Ｃ’およびＦ−Ｆ’は非対称に示されているが、他の構成では、軟縁３８４のいずれかの端部の厚さは、半剛性ストラップ３８２に対称的に適用される。いくつかの構成では、半剛性ストラップ３８２は、追加の剛性および支持を提供するように選択的に厚さが増大している。たとえば、断面図Ｆ−Ｆ’として示す２つの構成のうちの２番目の構成はこうした肉厚化部を有している。最後に、いくつかの構成では、換気貫通穴３９６が、半剛性ヘッドギア３８０を通して（図２９に示すように、半剛性ストラップ３８２の上または軟縁３８４の上等に）設けられ、換気および発汗管理を提供する。
【０１９６】
図２９に示すように平らに置かれると、半剛性ヘッドギア３８０は、３つのＣ字型の弓形領域３８６、３８８、３９０を画定する。２つの耳包囲領域３８６、３８８は、上部アーム２８４および下部アーム２８６によって画定され、後方領域３９０は、下部アーム２９６および後部ストラップ部分２８０によって画定されている。半剛性ヘッドギア３８０は、使用者の頭部の形状に適合するように屈曲するために十分可撓性があり、それにより、耳包囲領域３８６、３８８は、少なくとも部分的に使用者の耳を包囲するかまたは取り囲み、後方領域３９０は、少なくとも部分的に、首の上方の使用者の頭部の後部を少なくとも部分的に包囲するかまたは取り囲む。
【０１９７】
各アーム２８０、２８４、２８６の湾曲を、快適なフィット性を提供するように、かつ使用者の頭部に対する半剛性ヘッドギア３８０の適用および除去を容易にするように選択することができる。たとえば、図示する構成では、上方耳包囲弓形領域３８６、３８８の開口部に対して、上部アーム２８４は凹状湾曲を有し、下部アーム２８６は凸状湾曲を有している。後部ストラップ部分２８０および下部アーム２８６はすべて、首包囲弓形領域３９０の開口部に対して凹状湾曲を有している。これらの湾曲により、たとえば、弓形領域に使用者の首および耳の上に容易に適合するようにサイズが決められかつ向けられた開口部を設けることにより、使用者の頭部に対する半剛性ヘッドギア３８０の適用および除去が容易になる。
【０１９８】
図２９の構成は、半剛性ヘッドギア３８０を使用者の頭部に固定するために第１頭頂アーム３９２および第２頭頂アーム３９４を備える一体化した頭頂ストラップを利用する。半剛性ヘッドギア３８０が使用者の頭部を部分的に包囲するように位置決めされると、第１頭頂アーム３９２および第２頭頂アーム３９４は互いに接触して、半剛性ヘッドギア３８０を適所に固定する。種々の機構のいずれかに第１頭頂アーム３９２および第２頭頂アーム３９４を設けてそれらが互いに付着するようにすることができる。たとえば、いくつかの構成では、フック・ループファブリック（たとえば、Ｖｅｌｃｒｏ（登録商標））、１つあるいは複数のスナップあるいはクリップを用いて、第１頭頂アーム３９２および第２頭頂アーム３９４を互いに取り付けることができる。
【０１９９】
頭頂ストラップは、耳に沿って頭蓋の頂部にわたって横方向に延在する。頭頂ストラップがこのように延在し、弓形領域３８６、３８８が使用者の耳を部分的に取り囲むように位置決めされると、半剛性ヘッドギア３８０の後部ストラップ２８０は、イニオンの上または下方に位置するはずである。使用者のイニオンは、頭蓋の後下方部分における後頭骨の最も顕著な突出部である。言い換えれば、イニオンは、外後頭隆起の最高点である。半剛性ヘッドギア３８０を、本明細書の第１段落の関連出願の参照による組込みに示す出願に記載されている構成のいずれかにしたがって、使用者の頭部に位置決めすることができ、そうした構成は、本開示の一体部分を形成し、全体として参照により本明細書に組み込まれる。
【０２００】
たとえば、後部ストラップ部分２８０は、使用者の頭部の後部と係合するように適合されている。好ましくは、後部ストラップ部分２８０は、外後頭隆起の上または下方の位置で頭部と係合するように適合されている。後部ストラップ部分２８０は、頭部の周囲の距離にわたり、頭部の両側まで延在する。いくつかの構成では、後部ストラップ部分２８０は、患者の外耳道を通って延在する水平面の約２５°下方に位置するように適合された長手方向中心を備えている。
【０２０１】
頭部の両側において、半剛性ヘッドギア３８０は、弓形領域３８６、３８８を形成する左側領域および右側領域内に上方にかつ下方に延在する。側部領域は、患者の耳の後方に延在するように適合されている。好ましくは、側部領域は、患者の乳様突起の後方に延在するようにも適合されている。半剛性ヘッドギア３８０の左側領域および右側領域の各々は、アーチ形部分３８６、３８８内に延在するかまたはそれを含む。アーチ状部分３８６、３８８は、前方に屈曲する。アーチ状部分３８６、３８８は、患者のそれぞれの耳の周囲に延在するように適合されている。好ましくは、アーチ状部分３８６、３８８の各々は、それぞれの終端部分で終端する。終端部分は、好ましくは、患者の耳の前方に位置するように適合されている。いくつかの構成では、半剛性ヘッドギア３８０の側部領域およびアーチ状部分３８６、３８８は、軟性の内部詰め物部分を含まないが、患者の頭部／毛髪に直接接触する自己支持型、弾性材料を含むことができる。
【０２０２】
半剛性ヘッドギア３８０の最上部分は、アーチ状部分３８６、３８８を合わせて接続する。最上部分を、いくつかの構成では、耳の前方に位置決めすることができる。好ましくは、最上部分は、概して耳から垂直に位置決めされる。より好ましくは、最上部分の長手方向中心は、外耳道と交差する垂直面の後方に１３ｍｍを超えて、好ましくは１３ｍｍ〜１００ｍｍの間で、間隔を空けて配置されるように適合されている。いくつかの構成では、最上部分は、第１セグメント３９２および第２セグメント３９４を備え、第１セグメント３９２および第２セグメント３９４は結合して最上部分を形成している。第１セグメント３９４は、左アーチ状部分３８６の頂点から上方に延在し、第２セグメント３９２は、右アーチ状部分３８８の頂点から上方に延在している。好ましくは、最上部分は、自己支持型かつ半剛性材料から形成されている。いくつかの構成では、最上部分は、軟質の詰め物入り裏当て層を含む、いかなる裏当ても含まない。
【０２０３】
上部アーム２８４および下部アーム２８６の各々は、各アーム端部の近くに溝穴２９２、２９０を備えている。各溝穴は、図２に示すように、マスクアセンブリ１０２からのストラップ２６０を受け入れるように構成されている。さらに、ストラップ２６０によって覆われる半剛性ヘッドギア３８０の部分３９８は、ストラップ２６０の厚さに適応するために対応するアーム２８４、２８６より薄い。たとえば、図３０および図３１に示すように、半剛性ヘッドギア部分３９８は、アーム２８６より薄い。部分３９８は、ストラップ２６０が溝穴２９０内に挿入されて引っ張られると、その厚さがアーム２８６を越えて広がらないような寸法である。ストラップ２６０および部分３９８の厚さをアーム２８６の厚さより小さく維持することにより、ストラップ２６０は、着用された時に使用者を刺激しない。
【０２０４】
さらに、上部アーム２８４は、使用者の耳の上方の位置から下方に延在するように構成され、それにより、調整可能な頂部ストラップ２６０は、着用時に使用者の耳に約１０ｍｍより近接して延在しない。下部アーム２８６は、頭部が上下に傾けられた時に使用者の首から外れないように構成されており、下部アーム２８６の終端点は使用者の耳の略下方に位置し、それにより、下部ストラップは、下部アーム２８６に取り付けられると、終端点２９０からマスクアセンブリ１２０まで下方に傾斜する。こうした構成では、図５２および図５３に示すように、下部ストラップおよび上部ストラップは三角形を形成し、マスクにおける下部ストラップと上部ストラップとの間の空間は、ヘッドギアにおける下部ストラップと上部ストラップとの間の空間より小さく、それにより、上方移動および下方移動に対してマスクアセンブリ１２０が安定する。
【０２０５】
再び図１７を参照すると、エルボ２２２は、分離可能なスイベルアセンブリ３０２を介して導管３００に接続する。図２０の断面図に示すように、エルボ２２２は、基部に内壁３０６を備えるステム３０４を備えている。内壁３０６は、凹部３０８を備えている。
【０２０６】
スリーブ３１０が、凹部３０８内に受け入れられるフランジ３１２を備えている。スリーブ３１０を、あらゆる好適な技法を用いてエルボ２２２内の適所に固定することができる。スリーブ３１０は、略円筒状外壁３１４を備えている。フランジ３１２は、レバー３１６に接続するように外側に延在する部分を備えている。好ましくは、フランジ３１２およびレバー３１６は、一体的に形成されている。図２１を参照すると、レバー３１６は、下方の内側に延在する留め具３２０を含み、レバー３１６をフランジ３１２に接続する部分を中心に枢動することができる。したがって、レバー３１６の上方部分３２２に対して内側に押圧することにより、留め具３２０は、スリーブ３１０の略円筒状外壁３１４から離れるように移動する。
【０２０７】
スイベル３３０は、略円筒状内壁３３２を備えている。内壁３３２は、スリーブ３１０の外壁３１４の上を摺動し、それにより、スイベル３３０とスリーブ３１０との間に滑り嵌めがもたらされる。上方部分３３４は肩部３３６を備えている。レバー３１６の留め具３２０は、肩部３３６と係合することにより、スイベル３３０をスリーブ３１０上の軸方向位置に固定することができる。レバー３１６の上方部分３２２が押下されると、留め具３２０は肩部３３６から離れるように移動し、それにより、スイベル３３０をスリーブ３１０から取り除くことができる。
【０２０８】
フラップ３５０を、ステム３０４とスリーブ３１０との間に取り付けることができる。図示する構成では、フラップ３５０は、ステム３０４とスリーブ３１０との間に介挿される基部３５４から流路３５２内に延在している。フラップ３５０は、スリーブ３１０から離れるように軸Ｘ（図２１を参照）を中心に上方に（図２０に示すように、矢印Ｐを参照）枢動することができ、それにより、陽圧発生器からの流れは、インタフェース１００を通して使用者に対して概して妨げられないままであり続けることができる。陽圧源が空気の加圧流を提供するのを停止した場合、フラップ３５０は下方に枢動して、スリーブ３１０と接触し、流路３５２を封止する。いくつかの構成では、フラップ３５０は、スリーブ３１０と完全に接触しない。いくつかの構成では、フラップ３５０は、下方位置にある時に流路３５２を封止しない。
【０２０９】
図２１を参照すると、フラップ３５０の上方の位置においてエルボ２２２を通してポート３６０が画定されている。ポート３６０は、好ましくは、軸Ｘの付近にあるエルボ２２２の一部に沿って位置決めされている。いくつかの構成では、ポート３６０は、フラップ３５０により空気の吸気流から実質的に遮蔽されるように位置決めされている。言い換えれば、空気がフラップ３５０をスリーブ３１０から離れるように枢動させる際、フラップ３５０は、少なくとも部分的にまたは完全にポート３６０を覆う位置まで移動する。
【０２１０】
いくつかの構成では、ポート３６０は、略平面内壁３６２を備えるエルボ２２２の壁を通って延在する。略平面内壁３６２は、フラップ３５０が、フラップがスリーブ３１０のフランジ３１２から離れるように上方に移動する時にポート３６０を概して封止するのに役立つ。
【０２１１】
いくつかの構成では、レバー３１６はポート３６０の大部分の上に位置し、それにより、ポート３６０は概して見えない。しかしながら、図２０に示すように、間隙３６４が、好ましくは、レバー３１６の少なくとも一部を包囲し、それにより、フラップ３５０がポート３６０の上に位置しない時に、空気の相対的に自由な流れがポート３６０を通過することができる。さらに、いくつかの構成では、ポート３６０およびレバー３１６は、エルボ２２２の、ボール端２２０内に画定された開口部３７０と同じ側に位置決めされており、その開口部は、接続ポートアセンブリ１０４がマスクアセンブリ１０２に組み付けられた時に、マスクアセンブリ１０２内に位置決めされる。有利には、こうした位置決めにより、ポート３６０は、エルボ２２２の使用者に面する位置に配置される。こうした位置は、使用中によりさらにポート３６０を見えなくし、その結果、より審美的に満足な構成になる。さらに、ポート３６０を通る流れが非常に低頻度となるため、ポート３６０を使用者に向かって配置することにより、使用者に対していかなる著しい不快ももたらさない。
【０２１２】
図示しないが、エルボ２２２はまた、１つまたは複数のバイアス流通気穴を備えることも可能である。バイアス流通気孔は、好ましくは、いかなるバイアス流も使用者に直接当たらないように前方に向けられた向きに位置決めされる。
【０２１３】
エルボアセンブリ３０２の別の構成を図４８〜図５１に示す。エルボアセンブリ３０２は、図４９に示すように、エルボ２２２、スリーブ３１０および／またはスイベル３３０を備えている。いくつかの構成では、エルボアセンブリ３０２は、エルボ２２２およびスリーブのみを含み、スイベル３３０を省略する。スイベルを、スリーブ３１０およびエルボ２２２に永久的にまたは取外し可能に取り付けることができ、いくつかの構成では、スイベル３３０は、送達導管の端部と一体的に形成されている。フラップ３５０は、少なくとも部分的にスリーブの流路３５２をふさぐようにスリーブ３１０の上に位置決めされる。エルボアセンブリ３０２は、図１７〜図２１のエルボアセンブリ３０２と同様に機能するが、図４８〜図５１のエルボアセンブリ３０２は、（図５０および図５１に示すように）フラップ３５０がその閉鎖位置まで落下した時に、ガスを患者から離れるように向ける追加の利点を提供する。
【０２１４】
図４９を参照すると、スリーブ３１０は、好ましくは、２つ以上の切取領域または凹部３５６を備えている。凹部３５６はあらゆる好適な形状を有することができ、図示する構成では、凹部３５６は、スリーブ３１０内に上方に延在する半円形状を備えている。スリーブ３１０はまた、少なくとも１つのバンプ３５７、および好ましくは２つ以上のバンプ３５７も備えている。好ましくは、バンプ３５７の各々は、約７０度の弧の回りに延在している。より好ましくは、バンプ３５７の各々は、概して２つの凹部３５６の間に中心が置かれ、バンプ３５７の各々は、スリーブ３１０の外面の回りに約７０度延在している。
【０２１５】
スイベル３３０は、好ましくは形態が略円筒状である。図４９に示すように、スイベル３３０は、内側に延在する隆起３５８を有している。隆起３５８は、好ましくは、内面全体を取り囲む。いくつかの構成では、隆起３５８を断続的にすることができる。しかしながら、好ましくは、隆起３５８は、バンプ３５７全体を収容するのに十分大きいいかなる中断部もなく、それにより、隆起３５８およびバンプ３５７は協働して、スイベル３３０をスリーブ３１０の上に取り付けたままにすることができる。スイベル３３０をスリーブ３１０に組み付ける時、凹部２１６により、バンプ２２０は内側に偏向し、それにより、バンプ３５７は、隆起３５８の上を摺動し、その後、隆起３５８の下でバンプ３５７を固定するように外側にスナップ式に戻る。
【０２１６】
エルボ２２２は、その側面に、通気路４２２と流体連通する開口部４２０を備えている。通気路４２２は、図５０および図５１に示すように、エルボの内壁３６２と外壁４２４との間の間隔によって形成されている。
【０２１７】
図５０および図５１に示すように、フラップ３５０がその閉鎖位置まで落下すると、使用者から吐出される空気は、エルボ２２２の開口部３７０に入る。呼気は、エルボの内壁３６２のポート３６０を通り、通気路４２２を通って、開口部４２０を介してエルボ２２２から出るまで流れる。
【０２１８】
図４８〜図５１の構成により、全長が短縮され、エルボ２２２の正面に位置する見苦しい穴をなくすことによって製品の美観が改善される。さらに、図４８〜図５１の構成により、空気が使用者の方に向けられることを防止することによって患者の快適さが向上する。代りに、開口部４２０が、空気流をエルボ２２２の側面から出て患者から離れるように向ける。
【０２１９】
図５４は、さらなるマスク構成５００を示す。図５４に示すマスク構成５００は、明確にするためにいかなるヘッドギアアセンブリも付随せずに示されている。マスク構成５００とともに、あらゆる好適なヘッドギアアセンブリを使用することができる。たとえば、限定されないが、本明細書に開示するあらゆるヘッドギアアセンブリを、マスク構成５００とともに使用することができる。
【０２２０】
続けて図５４を参照すると、図示するマスク構成５００は、概して、マスクベース５０２およびマスクシール５０４を備えている。マスクベース５０２は、好ましくは、マスクシール５０４より剛性が高い。たとえば、一構成では、マスクベース５０２はポリカーボネート材料から形成され、マスクシール５０４はシリコーン材料から形成される。マスクベース５０２およびマスクシール５０４の各々に対して、他の好適な材料も使用することができる。
【０２２１】
マスクシール５０４を、マスクベース５０２に、限定されないが本明細書内に開示するもののあらゆるものを含む、あらゆる好適な方法で固定することができる。たとえば、限定されないが、図５５を参照すると、マスクシール５０４のフランジ５０６を、マスクベース５０２の周辺に沿って設けられた溝５１０内に挿入することができる。いくつかの構成では、マスクシール５０４の少なくとも一部は、マスクベース５０２の少なくとも一部の下に位置することができる。いくつかの構成では、たとえば、限定されないが、クリップ等のより剛性の高い部材、またはより剛性の高い部分を、マスクシール５０４と一体的に形成することができ、より剛性の高い部材または部分を用いて、マスクシール５０４をマスクベース５０２に接続することができる。
【０２２２】
図５４に示すように、マスクシール５０４は、好ましくは、第１パドルまたはウイング５１２および第２パドルまたはウイング５１４を備えている。好ましくは、第１パドル５１２および第２パドル５１４は中空である。図６２に示すように、たとえば、限定されないが、第１パドル５１２および第２パドル５１４の各々の中にポケット５１８を画定することができる。ポケット５１８は、マスクシール５０４によって画定されたチャンバ５２０と流体連通している。したがって、マスクシール５０４によって画定されるチャンバ５２０内の圧力を用いて、第１パドル５１２および第２パドル５１４のポケット５１８を膨張させることができる。
【０２２３】
図５４の線５５−５５に沿って取り出されたマスクアセンブリ５００を通る断面である図５５を参照すると、マスクシール５０４はまた、好ましくは上面５１６を備えている。パドル５１２、５１４は、上面５１６から概して上方に延在している。好ましくは、パドル５１２、５１４内に画定されたポケット５１８は、上面５１６の上方に延在している。より好ましくは、ポケット５１８は、側方部分に画定されており、それにより、ポケット５１８は、鼻の側面に沿って上方に延在する。ポケット５１８を上面５１６の上方にかつ鼻の側面に沿って延在させることにより、膨らみ効果を用いて、鼻の外面に対する封止を強化するように内側に向けられた膨らみ効果を大幅に向上させることができる。合わせて、上面５１６およびパドル５１２、５１４により、圧力関連皮膚問題の発生を低減するかまたはなくすように、鼻との封止を強化することができる。より詳細には、図示する構成は、鼻梁領域において鼻を左から右に横切らないため、図示するマスク構成５００は、鼻梁に沿った圧力関連皮膚問題の発生をなくす。
【０２２４】
再び図５４を参照すると、第１パドル５１２および第２パドル５１４は、上面５１６とともに谷部５２２を画定している。谷部５２２は、好ましくは、前方に配置された開口部を画定する。言い換えれば、図示する谷部５２２は、図示するマスクシール５０４の正面から背面まで延在する通路を画定している。さらに、谷部５２２は、好ましくは、使用者の完全なサイズ範囲に適応し、そのため、鼻は、正面から背面まで概して開放している領域内に受け入れられ、それにより、鼻の少なくとも先端は、谷部５２２によって画定される前方開口部を通って突出することができる。
【０２２５】
図５４および図５５に示すように、谷部５２２は、好ましくは、使用者の鼻の少なくとも先端を収容し、それにより、上面５１６が鼻の下に位置する。好ましくは、正面から見ると、パドル５１２、５１４の間に、約５ｍｍ〜約３０ｍｍの間の間隙Ｇが画定されている。より好ましくは、パドル５１２、５１４の間の間隙Ｇは、約１０ｍｍ〜約２５ｍｍの間である。一構成では、間隙Ｇは、約１５ｍｍである。上面５１６は、鼻の下にあることにより、マスク構成５００と使用者の顔面との間に一次シールを画定する。
【０２２６】
パドル５１２、５１４は、好ましくは、鼻の側面に沿って幾分かの程度まで上方に延在している。いくつかの構成では、パドル５１２、５１４は、封止する上面５１６より上方に延在している。パドル５１２、５１４を、図示するように短くすることができ、または図示するより長くすることができる。上面５１６の上方を上向きに延在することにより、かつ鼻に沿って上方に延在することにより、パドル５１２、５１４は、使用者の顔面との二次シールをもたらす。好ましくは、パドル５１２、５１４は、図７０において線Ａによって表す、少なくとも鼻翼の線維脂肪組織ＦＦＴまで上方に延在するように適合されている。より好ましくは、パドル５１２、５１４は、図７０において線Ｂによって表す、小鼻翼軟骨ＭＡＣの領域内に線維脂肪組織ＦＦＴを越えて上方に延在するように適合されている。さらにより好ましくは、パドル５１２、５１４は、図７０において線Ｃによって表す、鼻中隔軟骨ＳＮＣの横突起の領域内に小鼻翼軟骨ＭＡＣを越えて上方に延在するように適合されている。いくつかの構成では、パドル５１２、５１４は、パドル５１２、５１４の少なくとも一部が、図７０において線Ｄによって表す、使用者の鼻骨ＮＢ（すなわち、鼻梁）を越えて上方に延在するように、上方に延在する。いくつかの構成では、パドル５１２、５１４は、鼻の外側縁の外側部分に沿って延在するように適合されている。
【０２２７】
パドル５１２、５１４は、好ましくは、概して鼻に隣接する顔の表面に沿って延在するように構成されている。図５５に示すように、側面から見ると、パドル５１２、５１４は、いくつかの構成では、略三角形、またはフィン形状である。こうした構成により、鼻の側面に対してパドル５１２、５１４を封止する広い表面積が提供される一方で、パドル５１２、５１４が睡眠中に、左右に寝返りをうつ場合等、接触によって鼻から引き離される可能性を低減するように、側面の厚みも低減される。図示する構成は２つの別個のパドル５１２、５１４を備えているが、パドル５１２、５１４を合わせて接続して、鼻の少なくとも一部を概して密閉することができる。
【０２２８】
図５５および図５７に示すように、上面５１６は、リップ５２４まで後方に（すなわち、使用者の顔面に向かってまたはマスクベース５０２から離れるように）延在する。上面５１６は、リップ５２４の付近で、鼻の下に位置し、好ましくは鼻に対して封止し、一方で、リップ５２４は、赤唇縁の真上の顔面の上唇領域に対して封止することができる。
【０２２９】
上述したように、マスクシール５０４の上面５１６は、リップ５２４と接触するかまたはリップ５２４を画定するように後方に延在している。図５７を参照すると、リップ５２４は、好ましくは、マスクシール５０４内に画定されたチャンバ５２０内への開口部５２６を取り囲み、マスクシール５０４の側壁５２８の一部と接続するかまたはそれを画定する。
【０２３０】
図５７に示すように、上面５１６は、１つまたは複数の鼻開口部５３０の少なくとも一部を含む。鼻開口部５３０を、パドル５１２、５１４の間に横方向に位置決めすることができ、マスクシールのチャンバ５２０との連通を提供するように、上面５１６を通して画定することができる。鼻開口部５３０は、好ましくは実質的に上方向に開放しており、口開口部５２６は、好ましくは実質的後方向に開放している。図示する構成では、マスクシール５０４は、口開口部５２６および別個の鼻開口部５３０を備えている。他の構成は、（たとえば、図５９に示すような）結合された鼻および口開口部を有しているが、図５８に示すような別個の開口部５２６、５３０は、図示するマスク構成５００をいかに適切に着用するかを学習する際に使用者に対して有用かつ有益であり得る。
【０２３１】
上面５１６は、好ましくは、実質的に平坦であり、概して、鼻腔内を上方に突出しない。好ましくは、鼻開口部５３０は、使用者の鼻腔の最前部である鼻前庭内を上方に延在しない。より好ましくは、鼻開口部５３０は、鼻前庭の下に延在するが、内部を上方には延在しない。鼻開口部５３０は、好ましくは、他の何らかの上部構造内に上方に延在するのではなく、上面と概して同一平面である。いくつかの構成では、上面５１６は、１つまたは複数の鼻プロング、１つまたは複数の鼻ピロー等を備えることができる。図示する構成では、上面５１６は、パドル５１２、５１４によって支持され、パドル５１２、５１４の最上端に対する幾分かアーチ状のリンクを画定する。アーチ状リンクは、上面５１６を、より高い枢支点から吊り下げることにより支持し、それにより、上面５１６に沿って画定された鼻封止面が、周囲の形状とともに、幅、深さおよび他の幾何学的特徴が異なる鼻まで伸長し、移動し、かつ／またはねじ曲がるのを可能にする。
【０２３２】
図５７に示すように、リップ５２４は、口開口部５２６と鼻開口部５３０との間に配置されるバンド５３２を画定することができる。図５８に示す実施形態を図５９に示す実施形態と比較することによって示すように、バンド５３２と、バンド５３２と鼻開口部５３０との間に延在する上面５１６の部分とを省略することができ、それにより、口開口部５２４および鼻開口部５３０が、結合された口鼻開口部５３４に一体化する。
【０２３３】
図６０に示すように、結合された口−鼻開口部５３４を特徴とするいくつかの構成では、リップ５２４の２つの側面をクリップ５３６で相互接続することができる。図示するクリップ５３６は、概して、オメガ（Ω）のような形状を備えている。図６０に示すように、クリップ５３６は、クリップ５３６の本体５４４によって相互接続される第１脚部５４０および第２脚部５４２を備えることができる。本体５４４は、あらゆる好適な形状および構成を有することができる。たとえば、限定されないが、図示する本体５４４はＵ字型またはＣ字型を備えているが、本体５４４は、Ｖ字型等であり得る。いくつかの構成では、クリップを、シリコーンまたは他のあらゆる好適な材料から形成することができる。
【０２３４】
再び図５７を参照すると、側壁５２８は、上面５１６より垂直方向に高く延在することができる。好ましくは、側壁５２８は、リップ５２４に接続し、概して口開口部５２６を取り囲み、第１パドル５１２および第２パドル５１４の領域において使用者の鼻の側面まで上方に延在する。側壁５２８は、図示する構成ではバンド５３２を越えて上方に延在するため、マスク構成５００を側面から見た時（たとえば、図６１）、より高いプラットフォームを提供し、それにより、マスクシール５０４のバランスの維持が向上し、略水平軸を中心とするマスク構成５００の揺動が低減する。
【０２３５】
バンド５３２は、図５７に示すように、口開口部５２６と鼻開口部５３０との間に延在している。したがって、図示するバンド５３２は、２つの開口部５２６、５３０の間の位置で側壁５２８を接続する。いくつかの構成では、クリップ５３６は、結合された口−鼻開口部５３４を画定する２つの部分の間の位置で側壁５２８を接続する。他の構成では、概して、開口部５２６、５３０または開口部５３４の反対側から側壁５２８を接続するあらゆる好適な接続構造を使用することができる。接続構造の位置は、開口部５２４、５３０または開口部５３４の上縁と下縁との間であり得る。言い換えれば、いくつかの構成では、側壁５２８の第１側面は、結合された開口部５３４にかかる領域において側壁５２８の第２側面に接続される。
【０２３６】
側壁５２８の側方部分を接続することにより、側壁５２８の側方部分は、有効に互いにつながれる。側壁５２８の側方部分を合わせてつなげることにより、睡眠中、たとえば、使用者が１つの睡眠位置から別の睡眠位置まで（たとえば、仰臥位から横臥位まで）寝返りをうつ可能性がある（それにより、マスクがＣＰＡＰチューブによって引っ張られることにより、または枕と接触することにより、マスク構成５００の横方向移動がもたらされる可能性がある）場合、マスクシール５０４の安定性が向上する。さらに、つなぎ（たとえば、バンド５３２またはクリップ５３６）の可撓性により、より広範囲の顔の輪郭に適応することができる。たとえば、依然として、シールが、欧州の人々において多く見られる彫の深い顔の輪郭に自動調整することができるようにしながら、より平坦な顔の輪郭に適応することができる。
【０２３７】
たとえば、バンド５３２またはクリップ５３６によって提供されるつなぎはまた、側壁５２８のローリングに役立つことも可能である。図５７を参照すると、バンド５３２が横方向に延在し、側壁５２８と接続するため、バンド５３２の前方押下により、側壁５２８の内側のローリングがもたらされ、それにより、マスクシール５０４の種々の顔の形状に対する形状適合性が向上する。さらに、上面５１６が下方に押下される際、第１パドル５１２および第２パドル５１４が内側に枢動し、それにより、パドル５１２、５１４の頂部の間隙Ｇは、パドル５１２、５１４の基部における間隙Ｇに対して低減する。
【０２３８】
ここで図６２〜図６５を参照すると、図示するマスクシール５０４は、マスクシール５０４の形状適合性をさらに向上させるように、種々の剛性または種々の可撓性の程度を備えており、その形状適合性の向上が、マスク構成５００が陽圧用途で使用される場合に漏れを低減するのに役立つ。
【０２３９】
図示するマスクシール５０４の上方部分は、相対的に剛性が高い支持領域５５０と膨らみまたは撓曲領域５５２とを備えている。図示する構成では、支持領域５５０は、断面がより厚いためより剛性が高く、膨らみまたは撓曲領域５５２は、断面がよりより薄いため剛性が低い。剛性または可撓性を変更するために他の技法を用いることも可能である。たとえば、マスクシール５０４の種々の領域の剛性または可撓性を調整するために、材料選択、材料混合等を調整することができる。さらなる例として、いくつかの領域を、要求に応じて補強するように、マスクベース５０２または他の構成要素によって支持することができる。
【０２４０】
図６４に最もよく示す図示する相対的に剛性の高い支持領域５５０を、第１パドル５１２および第２パドル５１４の前方に面する面に配置することができる。相対的に剛性の高い支持領域５５０はまた、マスクベース５０２の溝５１０に接続するマスクシール５０４のフランジ５０６を含む部分でもある。支持領域５５０は、図示する構成では、膨らみまたは撓曲領域５５２の上に位置する。図示する構成は、膨らみまたは撓曲領域５５２の膨らみおよび撓曲を、膨らみ作用を使用者に向かってよりよく向けることができるように制御するのに役立つように望まれる。
【０２４１】
続けて図６３〜図６５を参照すると、支持領域５５０および膨らみまたは撓曲領域５５２に加えて、図示するマスクシール５０４はまた、下隅補強材５５４および撓曲顎領域５５６も備えている。支持領域５５０および膨らみまたは撓曲領域５５２と同様に、隅補強材５５４は、撓曲顎領域５５６より堅い。相対的に堅い隅補強材５５４は、マスクシール５０４の領域の膨らみを制御および／または指示するのに役立ち、一方で、より可撓性の高い顎領域５５６は、多種多様の顔の形状を有する使用者に適応するようにより容易に変形することができる。
【０２４２】
図示するように、下隅補強材５５４は、上面５１６の垂直位置においてまたはそのすぐ下方に下向きに延在し、下隅補強材は、マスクシール５０４を概して二分する略垂直中心面に向かって内側に折り返している。さらに、図示する構成では、下隅補強材は、マスクシール５０４の側壁５２８に沿って位置決めされている。
【０２４３】
図示する顎領域５５６は、下隅補強材の間に位置決めされている。好ましくは、顎領域５５６はまた、側壁５２８の少なくとも一部の上で折り返している。さらに、可撓性顎領域５５６は、好ましくは、上方に、かつマスクシール５０４のチャンバ５２０内への開口部５２６を画定するリップ５２４の少なくとも一部の周囲に延在している。図示する構成では、可撓性顎領域５５６は、下隅補強材５５４と実質的に同じ程度まで垂直方向を上方に延在している。このように、下隅補強材５５４は、可撓性顎領域５５６の側方向部分を補強することができる。
【０２４４】
さらに、図示する構成では、マスクシール５０４は、前方に面するスチフナパネル５６０を備えている。スチフナパネル５６０は、概して、マスクベース５０２と嵌合する領域を取り囲む。スチフナパネル５６０が嵌合領域を取り囲むため、マスクベース５０２への接続をより安定したものとすることができる。
【０２４５】
いくつかの実施形態では、厚さは、以下のように互いに関連する。すなわち、撓曲領域５５０＜顎領域５５６＜下隅補強材５５４＜スチフナパネル５５６＜支持領域５５０である。いくつかの実施形態では、撓曲領域５５０は、厚さが約０．３ｍｍと約１．２５ｍｍとの間、好ましくは約０．８ｍｍであり、顎領域５５６は、厚さが約０．５ｍｍであり、下隅補強材は、厚さが約１．２５ｍｍであり、スチフナパネル５６０は、厚さが約２．０ｍｍであり、支持領域５５０は、厚さが約２．５ｍｍである。好ましくは、マスクシール５０４の相対的に厚い部分（たとえば、支持領域５５０）は、相対的に厚さの薄い部分（たとえば、撓曲領域５５２）に対向する。いくつかの構成では、最も厚い部分（たとえば、支持領域５５０）少なくとも一部が、最も薄い部分（たとえば、撓曲領域５５２）の少なくとも一部の上に重なる。こうした構成により、所望の方向の（すなわち、使用者の顔面に向かう）膨らみが可能になる。好ましくは、遷移枠５５８が、さまざまな領域５５０、５５２、５５４、５５６を接続する。
【０２４６】
撓曲領域５５２および顎領域５５６の相対的に薄い断面により、使用者の顔面に接触するように適合される軟性かつ可撓性領域が提供される。有利には、撓曲領域５５２の相対的に薄い断面により、谷部５２２によって画定されたその形状が、伸長し、移動し、変形することができ、それによって、より多くの人口が同じマスクを使用することができる。好ましくは、伸長、移動および変形は、広範囲の鼻の幅に適応する。同様に、撓曲領域５５２の相対的に薄い断面により、マスクシール５０４の顎あて領域の形状が、伸長し、移動し、変形することができる。言い換えれば、撓曲領域５５２および顎領域５５６のうちの１つまたは複数の相対的に薄い断面により、マスクシール５０４は、非常に多種多様の顔の形状に一致することができる。
【０２４７】
上述したようにかつ再び図５５を参照すると、マスクベース５０２は、好ましくはマスクシール５０４のフランジ５０６に固定される溝５１０を特徴とする。いくつかの構成では、マスクベース５０２は、相対的に厚いスチフナパネル５６０の少なくとも一部および／または支持領域５５０の少なくとも一部の上に重なることができる。マスクシール５０４のそれらの部分を重ねることにより、マスクベース５０２はそれらの領域を補強することができる。
【０２４８】
依然として図５５を参照すると、マスクベース５０２は、コネクタ５７２を受け入れる中心開口部５７０を備えている。コネクタ５７２および中心開口部５７０は、限定されないが、本明細書内に記載されるあらゆる構成を含む、あらゆる好適な構成を有することができる。図５４には、コネクタ５７２の一部のみを示す。他の方式のコネクタ５７２も使用することができる。
【０２４９】
中心開口部５７０を、曲線状内面を備える壁５７４によって画定することができる。壁５７４の曲線状面に対して、スイベルエルボを備えることができるコネクタ５７２のボール端５７６を受け入れるように丸みを与えることができる。ボール端５７６は、壁５７４によって画定される曲線状面にスナップフィットすることができる曲線状面を有している。２つの曲線状面の間の接続により、それらの面は互いに相対的に自由に摺動することができ、それにより、スイベルコネクタ５７２の位置を、マスクベース５０２に対して容易に変化させることができる。いくつかの構成では、スイベルコネクタ５７２を、玉継手構成なしに回転または旋回するように構成することができる。
【０２５０】
図示するマスクベース５０２はまた、１つまたは複数のストラップ接続部５８０（図５９を参照）も備えている。ストラップ接続部５８０は、限定されないが、本明細書内に記載されるクリップ等に接続するあらゆる構造を含む、あらゆる好適な構成を有することができる。たとえば、図示するマスクベース５０２は、少なくとも２つのポケット５８２を備えている。
【０２５１】
ポケット５８２は、図５６に示すように、マスクベース５０２内に引っ込み、マスクベース５０２から後方に突出している。図示するポケット５８２は、１つのポケット５８２が、マスクベース５０２の各側面に形成されるように形成されている。ポケット５８２を、中心略垂直面に対して対称であるように位置決めすることができ、中心垂直面は、マスクベース５０２を実質的に二分する。いくつかの構成では、図５６に示すように、ポケット５８２は、横切る方向または横方向の寸法に対して縦方向が拡大している。
【０２５２】
図示するマスクベース５０２では、各ポケット５８２の横方向内側部分は、図６１に最もよく示す支持壁５８４を備えている。支持壁５８４は、中心面に向かって位置決めされている。ポケット５８２の各々は、たとえば、限定されないが、図２２に示すクリップ２５２等のクリップを受け入れるように構成されている。クリップ２５２がポケット５８２内に設置されると、支持壁５８４は、ポケット５８２に対してクリップ２５２の回転を制限するのに役立つ。さらに、縦寸法の方が大きいことが、使用者が、設置中にクリップ２５２とともにポケット５８２を配置するのに役立つ。
【０２５３】
続けて図６１を参照すると、ポケット５８２の各々は、好ましくは、関連するクリップ２５２の噛合い機構２６４と係合することができるタブ５８６を備えている。クリップ２５２をポケット５８２と噛み合わせる他の方法も使用することができる。さらに、マスクベース５０２またはマスクシール５０４をヘッドギアアセンブリ６００（図６７〜図６９を参照）に固定する他のあらゆる好適な方法を使用することができる。
【０２５４】
ここで図６６を参照すると、さらなるマスク構成５００’が、別の方式のストラップ接続を示すが、その短の点では、図５４〜図６５に関して図示し説明したマスク構成５００と同じである。図示するマスクベース５０２’は、４つのストラップ接続部５８０’を備えている。図６６に示すように、図示する構成では、ストラップ接続部５８０’は、マスク構成５００’の各側面に位置決めされた２つの接続部５８０’を有している。図示するストラップ接続部５８０’は、あらゆる好適なヘッドギアアセンブリ６００からのストラップ６０２を通すことができ、かつ／またはストラップ６０２を固定することができるループを備えている。
【０２５５】
図６７〜図６９を参照すると、ストラップ６０２に加えて、ヘッドギアアセンブリ６００はまた、後部ストラップアセンブリ６０４および頂部ストラップ６０６も備えている。ヘッドギアアセンブリ６００を使用することができるが、限定されることなく本明細書に開示するあらゆる構造を含む他のあらゆる好適なヘッドギアアセンブリも使用することができる。
【０２５６】
後部ストラップ６０４は、概して首の首筋の上方であるが概して後頭隆起の下方の位置で使用者の頭部の後部の周囲に延在している。したがって、後部ストラップ６０４は、好ましくは、上方に弧状に進み、後部ストラップ６０４が使用者の首の首筋に接触する可能性を低減するかまたはなくす。使用者の耳の後方の位置で、後部ストラップ６０４は、上部アーム６１０および下部アーム６１２に分岐する。
【０２５７】
上部アーム６１０は、使用者の耳の上方の位置まで上向きに弓状に進み、その後、使用者の耳の概して前方の位置まで下向きに弓状に進む。上部アーム６１０の相対的に剛性の高い材料と組み合わせた場合、下向きの弓により、上部アーム６１０とストラップ６０２との間の取付点を下降させることができ、それにより、ストラップ６０２は、マスク構成５００’に対して所望の力ベクトルＵＦＶを提供することができる。取付点が高すぎる場合、ヘッドギアアセンブリ６００は、マスク構成５００’に対して過大な上向きの力を与え、それにより、マスク構成５００’の安定性が脆弱化する。さらに、図６８に示すように、下降した取付点により、ストラップ６０２が使用者の眼より概して低く位置決めされ、それにより、使用者に対して視界が広がり、使用者に対する快適さが向上する。
【０２５８】
図６８に示すように、下部アーム６１２は、耳のわずかに後方の位置まで下方にかつ前方に延在する。下部アーム６１２の相対的に剛性の高い材料と組み合わせた場合、耳より低くかつそのわずかに後方の位置により、下部アーム６１２は、使用者の首上部領域に沿って相対的に平坦に載り、それにより、使用者に対する快適さが向上する。下部アーム６１２に接続されると、ストラップ６０２は、マスク構成５００’に対する所望の下方の力ベクトルＬＦＶを提供することができる。
【０２５９】
ストラップ６０２を、後部ストラップアセンブリ６０４にあらゆる好適な方法で接続することができる。図示する構成では、ストラップ６０２は、上部アーム６１０および下部アーム６１２にそれぞれ接続する。好ましくは、上部アーム６１０および下部アーム６１２は、ストラップ６０４より剛性が高く、それにより、ヘッドギアアセンブリ６００が着用されている時、アーム６１０、６１２は概して形状を維持する。いくつかの構成では、上部アーム６１０および下部アーム６１２はそれ自体の重量を支持する。いくつかの構成では、上部アーム６１０および下部アーム６１２の各々は、着用中にもつれがないような構造になっている。たとえば、アーム６１０、６１２は、装着されている時にもつれの可能性を低減するように十分なねじり剛性を有している。
【０２６０】
好ましくは、ストラップ６０２は、耳の前方に位置において上部アーム６１０および下部アーム６１２の少なくとも一方に接続する。こうした構成は、使用者が、それほど困難なくストラップ６０２の位置を定めるのに役立つ。さらに、上部アーム６１０および下部アーム６１２の端部はそれぞれの溝穴６１４、６１６を備えており、それにより、ストラップ６０２を溝穴６１４、６１６に通すことができる。さらに、ストラップ６０２は、Ｖｅｌｃｒｏ（登録商標）またはバックル構成等、調整機構６２０を備えることができる。調整機構６２０は、マスクシール５０４と使用者の顔面との間の力が調整されるのを可能にする。あらゆる好適な調整機構６２０を使用することができる。
【０２６１】
図６８を参照すると、頂部ストラップ６０６は、上方にかつ使用者の頭部の頂部にわたって延在することできる。好ましくは、頂部ストラップ６０６は、可撓性を有し、長さが調整可能である。頂部ストラップ６０６は、溝穴６２２を通して上部アーム６１０に接続することができ、上部アーム６１０が使用者の頭部から滑り落ちて使用者の耳に接触する可能性を低減する。好ましくは、頂部ストラップ６０６は、使用者の耳の概して上方の位置において上部アーム６１０に接続する。
【０２６２】
図６８を参照すると、上方力ベクトルＵＦＶと下方力ベクトルＬＦＶとの間で画定された角度αは、約２５度と約７０度との範囲内にあり得る。好ましくは、角度αは、約３０度と約６０度との範囲内にあり得る。より好ましくは、角度αは、約３５度と約５０度との範囲内にあり得る。いくつかの実施形態では、角度αは約４０°であり得る。
【０２６３】
有利には、パドル５１２、５１４を含むマスク構成５００、５００’と使用する場合、ヘッドギアアセンブリ６００の上部アーム６１０に接続されるストラップ６０２の張力に対する比較的小さい調整（すなわち、上方力ベクトルＵＦＶに沿った張力に対する調整）により、使用者の眼の領域内への漏れを大幅に低減しまたはなくすことができる。言い換えれば、パドル５１２、５１４および上面５１６により、上部ストラップ６０２が締め付けられると、マスク構成５００’は、使用者の鼻の底部に対して上方に引っ張られ、それにより、マスクシール５０４の上面５１６が押下され、それにより、パドル５１２、５１４は使用者の鼻に向かって内側に枢動する。したがって、上方に向けられた力は、眼の付近で使用者の顔面に対してパドル５１２、５１４によって提供される力を増大させるのに役立つことができる。初期の試験により、所望の封止レベルを達成するために必要な力の約７５％が下部ストラップ６０２によって提供され、上部ストラップ６０２が、眼の領域内への漏れを最小限にするかまたなくすように調整可能であることが示された。
【０２６４】
ここで図７１および図７２を参照すると、さらなるマスクアセンブリ７００が使用者の顔面の適所に示されている。図示するマスクアセンブリ７００は、結合された口および鼻マスクである。図示するマスクアセンブリ７００は、使用者の鼻の下で、鼻に対して横方向に延在する顔面の一部に沿って、かつ使用者の口の周囲で封止するように設計されている。
【０２６５】
マスクアセンブリ７００は、有利には、使用者の鼻梁ＮＢと接触する必要はない。図示する構成では、マスクアセンブリ７００は、使用者の鼻梁ＮＢの上を延在しない。より詳細には、図示するマスクアセンブリ７００は、使用者の鼻梁と接触しない。さらにより詳細には、図示するアセンブリ７００は、使用者の鼻梁の前方に面する部分と接触しない。いくつかの構成では、アセンブリ７００は、使用者の眼の下縁に沿って延在する略水平面ＬＥより垂直方向に高い領域において顔と接触しない。
【０２６６】
図示する構成では、マスクアセンブリ７００は、使用者の鼻の先端ＮＴの上を延在しない。いくつかの構成では、図示するマスクアセンブリ７００は、好ましくは、使用者の鼻の先端ＮＴを覆い隠さない。いくつかの構成では、使用者の鼻の先端ＮＴは、マスクアセンブリ７００の隣接部分の上を延在する。いくつかの構成では、マスクアセンブリ７００は、鼻の先端を覆う。いくつかの構成では、マスクアセンブリのシールは、鼻の先端を覆う。
【０２６７】
図示するように、マスクアセンブリ７００は、好ましくは、鼻孔の周囲に丸い隆起を形成するように広がっている、鼻の翼ＮＷまたは鼻翼の周囲に延在しかつその上で封止するように適合されている。図示するマスクアセンブリ７００は、鼻柱と呼ばれることがある、鼻中隔の肉質の外端を含む、鼻孔に対する開口部を画定する表面の周囲を封止するように適合されている。いくつかの構成では、マスクアセンブリ７００は、使用者の鼻の左右背側壁ＮＤＳの少なくとも一部に沿って封止するように上方に延在するように適合されている。いくつかの構成では、マスクアセンブリ７００は、使用者の鼻梁ＮＢの領域まで上方に延在することなく、左右背側壁ＮＤＳの少なくとも一部に沿って上方に延在するように適合されている。
【０２６８】
図示するように、マスクアセンブリ７００は、マスクベース７０２と、マスクベース７０２に取り付けられたマスクシール７０４と、同様にマスクベース７０２に取り付けられたコネクタ７０６とを備えている。コネクタ７０６を、限定されないが本明細書内の他の場所で述べるあらゆる方法を含むあらゆる好適な方法で、ベース７０２に接続することができる。たとえば、限定されないが、コネクタ７０６をベース７０２に、コネクタ７０６がベース７０２に対して、旋回し、枢動し、回転することができるように接続することができる。いくつかの構成では、コネクタ７０６は、たとえば、限定されないが他方の部分を画定するマスクベース７０２との玉継手の一部を画定することができる。玉継手は、あらゆる好適な構成を有することができ、本明細書内の他の場所で述べるボール・ソケット構成の説明に従って構成することができる。コネクタ７０６は、加圧呼吸ガスの供給のために供給導管等への接続を容易にする。あらゆる好適なコネクタ７０６を使用することができる。
【０２６９】
図示する構成では、コネクタ７０６は、バイアス流穴７１０を含む、たとえば、限定されないがポリカーボネートエルボ等のエルボを備えている。バイアス流穴７１０は、空気を循環させ、かつ使用者が吐いた二酸化炭素を再び吸う可能性を低減するように構成されているオリフィスの集まりである。バイアス流穴７１０は、コネクタ７０６に排他的に示されているが、いくつかの構成では、バイアス流穴７１０を、マスクベース７０２に、マスクシール７０４に、またはコネクタ７０６、ベース７０２およびシール７０４のあらゆる組合せに設けることができる。バイアス流穴７１０は、あらゆる好適な断面を有することができ、円筒状、砂時計形状、いずれかの方向に先細り、完全にまたは部分的に先細り、完全にまたは部分的に円筒状、断面が変化するような輪郭等であり得る。
【０２７０】
図７３を参照して、マスクベース７０２についてより詳細に説明する。マスクベース７０２は、概してマスクアセンブリ７００に対するより詳細にはマスクシール７０４に対するある種の支持構造を提供する。マスクベース７０２を、あらゆる好適な材料から形成することができる。いくつかの構成では、マスクベース７０２は、完全剛性材料から形成される。いくつかの構成では、マスクベース７０２は、ポリカーボネート材料等のプラスチック材料から形成される。いくつかの構成では、上記図１３の構成と同様に、マスクアセンブリ７００は、マスクベースとは別個であるがそれに取付可能であるマスクシールクリップを含むマスクシールを備えることができる。こうした構成では、マスクシールクリップは、マスクシール７０４をマスクベース７０２に接続する。こうした構成では、マスクシールおよびマスクシールクリップを別個に形成して、合わせて固定することができ、またはマスクシールおよびマスクシールクリップを単一構成要素に統合することができる。いくつかの構成では、マスクシールを、マスクシールクリップ上にオーバモールドすることができ、いくつかの構成では、マスクシールを、マスクベースに直接オーバモールドすることができる。
【０２７１】
図７３および図７４を参照すると、図示する構成では、マスクベース７０２は、一対のウイング７１４とともに中心部分７１２から後方に伸びている。図示するように、ウイング７１４は、マスクベース７０２の中心部分７１２に対して後方にかつ上方に延在することができる。したがって、図示するウイング７１４は、上方突出部分７１６を含む。概して、マスクベース７０２および例としてウイング７１４の上方突出部分７１６は、マスクシール７０４の側方部分に対して補強を提供することができる。
【０２７２】
中心部分７１２は、ウイング７１４の上方突出部分７１６の高さより低い垂直方向の広がりを有することができる。したがって、図７３を参照すると、正面から見た場合、マスクベース７０２は、略Ｍ字型外観を有する縁を備えている。さらに、正面から見ると、マスクベース７０２の中心領域の上縁は、略Ｕ字型外観を備えている。一対のウイング７１４の間に凹状中心部分７１２を組み込むことにより、マスクベース７０２は、使用者の鼻に対して適切な隙間を提供しながら、マスクシール７０４に対して所望の支持を提供することができる。
【０２７３】
マスクベース７０２およびマスクシール７０４を、あらゆる好適な方法で接続することができる。図７５に示す構成では、マスクベース７０２は、概して周囲を囲むフランジ７２０を備え、マスクシール７０４を、マスクベース７０２のフランジ７２０にオーバモールドすることができる。マスクシール７０４とマスクベース７０２との間に接合部を形成するために、他のあらゆる好適な技法を用いることができる。
【０２７４】
いくつかの構成では、マスクシール７０４を、マスクベース７０２からの除去を可能にするように形成することができる。たとえば、マスクシール７０４は溝を含むことができ、マスクベース７０２は、フランジまたは他のあらゆる協働構造を含むことができ、それにより、マスクシール７０４をマスクベース７０２に取外し可能に接続することができる。
【０２７５】
図７５に示すように、図示するマスクシール７０４は、マスクベース７０２との接合部に隣接して、断面が相対的に厚い肉厚化領域７２１を備えている。こうした構成により、マスクシール７０４の耐用年数が長くなるとともに、マスクシール７０４とマスクベース７０２との間の接続の完全性が向上する。いくつかの構成では、マスクシール７０４の最も厚い領域は肉厚化領域７２１である。
【０２７６】
マスクシール７０４は、使用者の顔面に対して封止するように設計されている。マスクシール７０４は、好ましくは、たとえば、限定されないがシリコーン等の軟質材料から形成されている。いくつかの構成では、マスクシール７０４の少なくとも一部に対して、使用者に対する快適さを向上させるように凹凸をつけることができる。たとえば、いくつかの構成では、図示するマスクシール７０４を形成するために使用される金型の少なくとも一部をビードブラスト加工して、少なくとも、使用者の皮膚に接触するマスクシール７０４の領域に表面凹凸を提供することができる。マスクシール７０４の１つまたは複数の表面に凹凸をつける他の技法を使用することができる。
【０２７７】
図７６に示すように、図示するマスクシール７０４は、口−鼻マスクシールを備え、したがって、少なくとも１つの口開口部７２２および少なくとも１つの鼻開口部７２４を備えている。いくつかの構成では、マスクシール７０４は、結合された口−鼻開口部を備えることができる。いくつかの構成では、マスクシール７０４は、２つ以上の鼻開口部７２４を備えることができる。いくつかの構成では、マスクシール７０４は、ピロー、プロング等、上部構造内に画定される鼻開口部７２４を備えることができる。
【０２７８】
少なくとも１つの口開口部７２２および少なくとも１つの鼻開口部７２４は、好ましくは、マスクアセンブリ７００内に画定される単一チャンバ７２５と連通している。図示するマスクアセンブリ７００のチャンバ７２５は、少なくとも部分的に、マスクベース７０２およびマスクシール７０４によって画定されている。少なくとも１つの口開口部７２２は、実質的に、コネクタ７０６を受け入れる開口部７２８に対して対向している。少なくとも１つの鼻開口部７２４は、少なくとも１つの口開口部７２２の垂直方向に上方であり得る。少なくとも１つの鼻開口部７２４を、コネクタ７０６用の開口部７２８と少なくとも１つの口開口部７２２との間に配置することができる。少なくとも１つの口開口部は、垂線に対して傾斜しかつ概してコネクタ７０６用の開口部７２８と通って延在する、軸ＯＡを有することができる。
【０２７９】
再び図７３を参照すると、マスクシール７０４は、好ましくは、上面７３０の上方に上向きに延在する一対のパドル７２６を備えている。パドル７２６は、鼻孔に沿って、いくつかの構成では鼻孔の上方に上向きに延在するように構成されている。いくつかの構成では、パドル７２６は、各々、マスクアセンブリを通ってコネクタから少なくとも１つの鼻開口部および少なくとも１つの口開口部まで空気路と直接流体連通する空気ポケットを備えている。好ましくは、図７６に示すように、上面７３０は、パドル７２６の内側部分７３３の間にハンモック状につるされている。こうした構成では、上面７３０に加えられる下方の圧力により、パドル７２６が最上部において内側に枢動することができる。したがって、使用者の鼻と上面７３０との間の力が増大することにより、使用者の鼻の側面とパドル７２６との間に加えられている封止力が増大する結果となる可能性がある。枢動作用により力が増大することになる程度を、構造によって変化させることができる。言い換えれば、パドル７２６が長いほど、短いパドル７２６に比較して枢動の程度が増大することが示される。一方、短いパドル７２６ほど、長いパドル７２６に比較して鼻形状のより大きい変化に適応することができ、マスクアセンブリ７００の顔面への装着がより容易になる。
【０２８０】
図７５を参照すると、４つの異なる平面ＨＰ１、ＨＰ２、ＨＰ３、ＨＰ４が示されている。平面ＨＰ１、ＨＰ２、ＨＰ３、ＨＰ４は、互いに対して略平行に延在し、かつマスクシール７０４の最後領域７３４に沿って画定された平面ＲＰに対して略垂直に延在するように示されている（たとえば、最後領域７３４は、マスクシール７０４がテーブルの上に載っていた場合に、マスクシール７０４を支持するテーブル面等の平面に対応することができる）。いくつかの構成では、約８０度と約１００度との間の角度βが、４つの平面ＨＰ１、ＨＰ２、ＨＰ３、ＨＰ４のうちの少なくとも１つと背面ＲＰとの間で画定される。いくつかの構成では、角度βは、約８５度と約９５度との間である。図示する構成では、角度βは約９０度である。
【０２８１】
図示するように、第１平面ＨＰ１は、マスクベース７０２の上方部分の最前領域または最下領域を通って延在し、第２平面ＨＰ２は、マスクシール７０４の上面７３０の最上部分を通って延在し、第３平面ＨＰ３は、パドル７２６の最上部分に沿って延在し、ダイ４平面ＨＰ４は、マスクシール７０４の顔接触面の最下部分に沿って延在する。図示する構成では、第２平面ＨＰ２はまた、ウイング７１４の上方突出部分７１６の最上部分を通って延在している。いくつかの構成では、上方突出部分７１６は、上面７３０の上方に延在することができ、いくつかの構成では、マスクベース７０２の上方突出部分７１６は、上面７３０ほど上方には延在することができない。図示する構成では、平面は、頂部から底部に以下の順序、すなわちＨＰ３、ＨＰ２、ＨＰ１およびＨＰ４の順序を有している。好ましくは、ＨＰ２は、ＨＰ１とＨＰ３との間に位置決めされる。いくつかの構成では、平面ＨＰ２と平面ＨＰ３との間の距離は、約１０ｍｍと約２５ｍｍとの間である。いくつかの構成では、平面ＨＰ２と平面ＨＰ３との間の距離は、約１５ｍｍと約２２ｍｍとの間である。いくつかの構成では、平面ＨＰ２と平面ＨＰ３との間の距離は約１７ｍｍである。
【０２８２】
パドル７２６および上面７３０は、谷部７３２を画定している。谷部７３２を、図７１および図７２に示すように、使用者の鼻の先端を受け入れるように適合させることができる。図示する構成での谷部７３２は、上方向に開放している。言い換えれば、鼻を収容する図示するマスクアセンブリ７００の領域は、頂部から密閉されておらず、鼻の下に載るように構成されている。図示する構成では、谷部は、マスクベース７０２の中心部分７１２の最高部分を通って延在する平面ＨＰ１より垂直方向に高く位置決めされる。図示する構成では、谷部７３２は、マスクベース７０２の最上方部分に沿って延在する第２平面ＨＰ２の領域内を下方に延在することができる。いくつかの構成では、谷部７３２は、第２平面ＨＰ２の垂直方向すぐ下の位置まで下方に延在している。いくつかの構成では、谷部７３２は、第２平面ＨＰ２より垂直方向にわずかに高い位置まで下方に延在している。いくつかの構成では、谷部と第２平面ＨＰ２との間の距離は、約−５ｍｍと約５ｍｍとの間である。
【０２８３】
図７５を参照すると、マスクシール７０４の最後部分７３４は、好ましくは、少なくとも２つの突起７３６を備えている。突起７３６を、マスクシール７０４の周囲部分と一体的に形成することができ、またはマスクシール７０４の周囲部分に固定される別個の構成要素とすることができる。図示する構成では、突起７３６は、マスクシール７０４の周囲部分と一体成形で形成され、それにより、マスクシールの耐用年数が延長され、製造が簡略化する。いくつかの構成では、突起７３６を、快適さのためにより軟質のグレードのシリコーン等、より軟質の材料から形成することができる。いくつかの構成では、突起７３６を、より断面が薄いように形成することができる。しかしながら、図示する構成では、突起は、断面厚さが、マスクシール７０４の周囲部分と実質的に一貫している。いくつかの構成では、突起７３６を、より優れた封止のために、より硬質のグレードのシリコーン等、より硬質の材料から形成することができる。いくつかの構成では、突起７３６を、周囲領域より断面が厚いように形成することができ、それにより、知覚される堅さまたは剛性が増大する。
【０２８４】
突起７３６は、概して顔面の鼻に隣接して直面するポケット（たとえば、眼窩下孔のすぐ下の上顎骨によって画定される凹部）を充填するのに役立つことにより、使用者の顔面との封止を向上させるように構成されており、したがって、突起７３６は、使用者の鼻に隣接する領域において顔の輪郭と封止する手段を形成する。突起７３６は、マスクシール７０４の周囲部分から後方に（すなわち、使用者に向かって）延在する。突起７３６は、マスクシール７０４の周囲部分に対して約０ｍｍと約５ｍｍとの間の高さを有することができる（すなわち、そうした距離によってすぐ周囲の部分から離れるように延在することができる）。いくつかの構成では、突起７３６は、約１．０ｍｍと約３．０ｍｍとの間の高さを有することができる。いくつかの構成では、突起７３６は、約２．０ｍｍの高さを有することができる。
【０２８５】
突起７３６の各々の少なくとも一部を、垂直方向に平面ＨＰ２と平面ＨＰ１との間に位置決めすることができる。いくつかの構成では、突起７３６の少なくとも一部は、垂直方向に上面７３０（少なくとも、最上の広がり）と口開口部７２２の最上部分との間に位置決めされる。いくつかの構成では、突起７３６の各々は、１つまたは複数のピーク７３８を有し、ピーク７３８は、垂直方向に上面７３０（少なくとも最上の広がり）と口開口部７２２の最上部分との間に位置決めされる。いくつかの構成では、ピーク７３８は、垂直方向に鼻開口部７２４の一部と口開口部７２２の一部との間に位置決めされる。いくつかの構成では、ピーク７３８は、口開口部７２２より鼻開口部７２４に近接して位置決めされる。
【０２８６】
図示するマスクシール７０４は、使用者の顔面の２つの位置、すなわち、鼻の下および下唇の下方で係留されるように設計されている。いくつかの構成では、マスクシール７０４は、鼻の下でかつ下唇と顎との間で係留されるように構成されている。図示する構成では、マスクシール７０４は、第２平面ＨＰ２および第４平面ＨＰ４に近接して係留されるように設計されている。いくつかの構成では、係留点は、第２平面ＨＰ２と第４平面ＨＰ４との間に位置決めされる。いくつかの構成では、上方係留点ＡＰ１および下方係留点ＡＰ２が、約４０ｍｍと約６５ｍｍとの間の間隙によって互いに垂直方向に分離されている。いくつかの構成では、上方係留点ＡＰ１および下方係留点ＡＰ２は、約６５ｍｍ未満の間隙によって分離されている。いくつかの構成では、上方係留点ＡＰ１および下方係留点ＡＰ２は、約６０ｍｍ未満、分離されている。図示する構成では、マスクシール７０４はまた、パドル７２６により第２平面ＨＰ２の上に延在している。いくつかの構成では、マスクは、係留点のすべてより高い位置で使用者の顔面に対して封止することにより、マスクアセンブリ７００を通して空気流を密封するように設計されている。したがって、図示するマスクシール７０４の少なくともいくつかの封止部分は、係留点より垂直方向に高く位置決めされる。
【０２８７】
マスクシール７０４は、種々のサイズおよび／または形状を有する顔面で使用するために種々のサイズを有することができる。いくつかの構成では、マスクシール７０４の種々の部分を、種々のサイズおよび／または形状を有する使用者に適応するようにサイズを決めかつ構成することができる。たとえば、マスクシール７０４の一部は、種々の使用者に対して種々の程度まで上方に延在することができる。図７５を参照すると、概して平面ＳＰ１に対して平行に延在する傾斜面ＳＰ２が、パドル７２６の外縁に沿って延在することができる。いくつかの構成では、傾斜平面ＳＰ２を、約１０ｍｍと約３０ｍｍとの間で平面ＳＰ１から間隔を空けて配置することができる。いくつかの構成では、傾斜平面ＳＰ２を、約１５ｍｍと約２５ｍｍとの間、平面ＳＰ１から間隔を空けて配置することができる。いくつかの構成では、傾斜平面ＳＰ２を、約２１ｍｍ、平面ＳＰ１から間隔を空けて配置することができる。平面間の距離は、垂直方向の顔面との接触の程度に関連する。いくつかの構成では、すべてのサイズおよび形状に対して単一サイズのマスクシール７０４を提供することができる。
【０２８８】
いくつかの構成では、マスクシール７０４は、種々の材料および／または種々のショア硬度で形成された複数の構成要素を備えている。たとえば、いくつかの構成では、マスクシール７０４のいくつかの構成要素をシリコーンから形成することができ、他の構成要素は、発泡体、ゲル、布または他の好適な高コンプライアンスの材料から形成される。たとえば、図示する構成では、マスクシール７０４は、種々の材料および／または種々のショア硬度から形成される鼻パッドインサート７４０を備えている。
【０２８９】
鼻パッドインサート７４０は、図７７および図７８において、マスクシール７０４から分解されて示されている。鼻パッドインサート７４０を、マスクシール７０４の他の部分に対して異なるグレードのシリコーンから形成することができる。いくつかの構成では、鼻パッドインサート７４０を、マスクシール７０４の他の顔面接触部分に対してより軟質なグレードのシリコーンから形成することができる。
【０２９０】
さらに、いくつかの構成では、鼻パッドインサート７４０は、マスクシール７０４の他のあらゆる顔面接触部分より断面が厚い部分を有している。いくつかの構成では、鼻パッドインサート７４０は、鼻パッドインサート７４０を包囲するマスクシール７０４のあらゆる部分より厚い最大厚さを有している。いくつかの構成では、鼻パッドインサート７４０は、鼻パッドインサートを包囲するマスクシール７０４のあらゆる部分より厚い最小厚さを有している。いくつかの構成では、鼻パッドインサート７４０は、マスクシール７０４の他のあらゆる部分より厚い最大厚さを有している。厚さに関して、厚さが増大すると、鼻パッドインサート７４０がより軟質なグレードのシリコーンから形成される場合であっても、知覚される硬さは増大するものと考えられる。したがって、いくつかの構成では、鼻パッドインサート７４０の顔面接触部分は、特にシリコーンから形成される場合、厚さが、約１．０ｍｍと約８．０ｍｍとの間、または約２．０ｍｍと約５．０ｍｍとの間である。いくつかの構成では、鼻パッドインサートは、快適さのために断面が相対的に薄い領域を有している。いくつかの構成では、鼻パッドインサートの少なくとも一部は、鼻パッドインサートのその部分の膨張を可能にするのに十分小さい厚さを有することができる。いくつかの構成では、鼻パッドインサートは、少なくとも、約０．３ｍｍ未満である部分を有することができる。いくつかの構成では、鼻パッドインサートは、少なくとも、約０．２ｍｍ未満の厚さである部分を有することができる。いくつかの構成では、鼻パッドインサートは、鼻パッドインサートの少なくとも一部にわたって可変厚さを含む。
【０２９１】
マスクシール７０４は、鼻パッドインサート７４０と接続するパッド支持領域７４２を備えることができる。パッド支持領域７４２は凹状である場合もあればない場合もある。図示する構成では、パッド支持領域７４２は、鼻パッドインサート７４０を方向付け、位置を定め、かつ／または適所に固定するのに役立つように凹状である。
【０２９２】
鼻パッドインサート７４０を、マスクシール７０４にあらゆる好適な方法で固定することができる。図示する構成では、鼻パッドインサート７４０を、パッド支持領域７４２にあらゆる好適な方法で固定することができる。たとえば、鼻パッドインサート７４０を、マスクシール、またはパッド支持領域７４２等のマスクシール７０４の部分に、共成形し、オーバモールドし、接着し、密着させ、または機械的に結合することができる。
【０２９３】
図７８を参照すると、マスクシール７０４および鼻パッドインサート７４０は、鼻パッドインサート７４０の位置をマスク鼻シール７０４に適合させる（ｋｅｙ）機構を含むことができる。たとえば、少なくとも１つの適合する凹部７４４を、たとえば、限定されないがパッド支持領域７４２の一部に沿って設けることができる。図示する構成では、略三角形パターンで形成される３つの凹部７４４が設けられる。図示する略三角形パターンは、概して少なくとも１つの鼻開口部７２４の上に重なるように配置される。いくつかの構成では、少なくとも１つの鼻開口部７２４は、そのパターン内において中心に位置決めされる。図７７を参照すると、鼻パッドインサート７４０は、凹部７４４と嵌合する突起７４６を備えることができる。いくつかの構成では、突起７４６は、支柱を備えることができる。突起７４４を、鼻パッドインサート７４０と一体的に形成することができ、または別個に形成して鼻パッドインサート７４０に取り付けることができる。マスクシール７０４に対して鼻パッドインサート７４０の位置を定めるために、他のあらゆる好適な嵌合または適合機構を使用することができる。
【０２９４】
図示する構成では、凹部７４４は、鼻パッドインサート７４０がいかなる開口部も完全に封止する必要がないように、底部において閉鎖されている。言い換えれば、凹部が開口部を備えていた場合、鼻パッドインサート７４０は、漏れの可能性を低減するようにそれらの開口部の上を封止しなければならない。しかしながら、いくつかの構成では、凹部７４４は開口部を備えることができる。いくつかのこうした構成では、鼻パッドインサート７４０を、鼻パッドインサート７４０とマスクシール７０４の鼻パッドインサート７４０に対して他方の側の部材との間にマスクシール７０４の少なくとも一部を介挿することによって、適所に固定することができる。たとえば、他方の側の部材を、突起７４４に固定することができる。いずれの場合も、鼻パッドインサート７４０とマスクシール７０４との間の接触面は、好ましくは封止される。より詳細には、鼻開口部７２４等のあらゆる開口部を包囲する領域において、鼻パッドインサート７４０とマスクシール７０４との間の接触面は、好ましくは封止される。
【０２９５】
再び図７８を参照すると、鼻パッドインサート７４０は、好ましくは、使用者の快適さを向上させるようにサイズが決められ、成形され、かつ構成されている。たとえば、限定されないが、図示する鼻パッドインサート７４０は、彫刻された軸方向中心部分７５０を備えることができる。彫刻された軸方向中心部分７５０は、側方外側縁７５２の下方で凹状になっている。軸方向中心部分７５０を、凹状であるように彫刻することにより、鼻パッドインサート７４０は、使用者のより敏感な中隔領域をより適切に載せる（ｃｒａｄｌｅ）ように適合されている。いくつかの構成では、凹状領域の彫刻は、主に、少なくとも１つの鼻開口部７２４の前方である。いくつかの構成では、中心部分７５０は、少なくとも１つの開口部の後方の部分に比較して少なくとも１つの開口部７２４の前方の部分により顕著な凹部を有している。いくつかの構成では、凹状中心部分７５０は、凹状領域において厚さが低減している。
【０２９６】
いくつかの構成では、鼻パッドインサート７４０は、取外し可能または交換可能であり得る。いくつかの構成では、鼻パッドインサート７４０は、マスクアセンブリ７００を、単一鼻開口部、一対の鼻開口部、二対以上の鼻開口部、単一あるいは複数の鼻プロング、単一あるいは複数の鼻ピロー、または他のあらゆる好適なインタフェース構成を含むように変更するように、交換可能であり得る。いくつかの構成では、あらゆる特定の使用者に対して最も望ましいかまたは有効な構成を決定する実験を可能にするように、マスクベース、マスクシール、および複数の鼻マスクインサートを含む、キットを提供することができる。いくつかの構成では、鼻パッドインサート７４０は、マスクシール７０４を損傷せずには取外し可能または交換可能ではないが、種々の鼻パッドインサート７０４（たとえば、先行する文において記載されている構成のうちのいずれか）を、同じ下にある構成要素のうちの多くを使用しながら、インタフェースの方式を単純にかつ容易に変更するように提供することができる。たとえば、快適さのために、場合によっては、プロングなしおよびピローなし構成が望ましい可能性があるが、プロングは、使用者の顔面においてマスクアセンブリ７００の位置を適切に定める能力を向上させることができ、ピローは、使用者の鼻孔も封止しながら、使用者の顔面においてマスクアセンブリ７００の位置を定める能力をさらに向上させることができる。
【０２９７】
図７５を参照すると、鼻開口部７２４を概してまたは実質的に取り囲む鼻接触部分７５４（鼻パッドインサート７４０を含むかまたは備えることができる）は、第２平面ＨＰ２から第１平面ＨＰ１まで後方向において下方に傾斜している。いくつかの構成では、角度γが、鼻接触面ＳＰ１と平面ＨＰ１との間で画定されている。いくつかの構成では、角度γは、約５度と約５０度との間である。いくつかの構成では、角度γは、約１５度と約４０度との間である。一構成では、角度γは３０度である。いくつかの構成では、鼻開口部を概してまたは実質的に取り囲む鼻接触部分は、後平面に対して概して垂直であるか、使用時に概して水平であるか、または図７５に示すものから反対方向に傾斜することができる。
【０２９８】
第２傾斜平面ＳＰ２が、第１傾斜平面ＳＰ１に対して略平行に延在している。いくつかの構成では、第２傾斜平面ＳＰ２および第１傾斜平面ＳＰ１は、約１０ｍｍと約３０ｍｍとの間の距離、分離されている。いくつかの構成では、第２傾斜平面ＳＰ２および第１傾斜平面ＳＰ１は、約１５ｍｍと約２５ｍｍとの間の距離、分離されている。いくつかの構成では、第２傾斜平面ＳＰ２および第１傾斜平面ＳＰ１は、約２１ｍｍ、分離されている。このように、パドル７２６の垂直広がりおよび水平広がりを確定することができ、特定の顔の形状に対して、適切なサイズのパドルを導出することができる。
【０２９９】
マスクアセンブリ７００の図示するマスクシール７０４は、厚さの完全複合範囲および構成を含む。厚さは、図示するマスクシール７０４の種々の領域において種々の特性を利用するように変更される。たとえば、図８０および図８２を参照すると、マスクシール７０４は、肉厚化部分７２１に概して対応する接続領域７６０を示す。接続領域７６０は、概して、マスクベース７０２を受け入れる開口部を取り囲んでいる。接続領域７６０は、いくつかの構成では、シール部材７０４の最も厚い部分であり得る。接続領域７６０は、マスクシール７０４をマスクベース７０２に接合する。したがって、接続領域７６０は、好ましくは、接続のために十分な剛性を提供しかつ耐久性のために十分な厚さを提供するような十分な厚さを有している。いくつかの構成では、接続領域の厚さは、約２ｍｍと約５ｍｍとの間である。図示する構成では、厚さは、約３ｍｍと約３．５ｍｍとの間である。
【０３００】
使用中にマスクシール７０４の顔面接触領域のしわの発生を低減するために、マスクシール７０４の顔面接触部分に概して隣接する外周部分７６２が完全に剛性であるべきであることが分かった。図８１および図８２を参照すると、図示する下方外周部分７６２は、マスクシール７０４の後部において概して垂直に延在する部分に沿って延在し、マスクシール７０４の後部の底部においてわずかに内側に折り返している。さらに、下方外周部分７６２は、マスクシールの後方に面する側からマスクシール７０４の横方向に面する側の少なくとも一部まで折り返している。いくつかの構成では、外周部分の厚さは、約１．０ｍｍと約１．５ｍｍとの間であり得る。図示する構成では、外周部分７６２は、厚さが、接続領域７６０の厚さより小さく、好ましくは約１．２５ｍｍの厚さである。上方外周部分７６３を、下方周辺部分７６２から分離することができ、上方外周部分７６３は異なる厚さを有することができる。いくつかの構成では、上方外周部分７６３は、下方外周部分７６２より厚さが小さい。いくつかの構成では、上方外周部分７６３は、約０．５ｍｍと約１．２５ｍｍとの間の厚さを有することができる。図示する構成では、上方外周部分７６３は、約０．８ｍｍの厚さを有することができる。
【０３０１】
図８１を参照すると、図示するマスクシール７０４は、ピーク７３８を含む、突起７３６に概して対応する突出部分７６４も有している。突出部分７６４を、上述したように、周囲部分と同じ厚さとすることができ、または周囲部分より厚くまたは薄くすることができる。図示する構成では、突出部分７６４は、厚さが、外周部分７６２より小さい。いくつかの構成では、突出部分は、厚さが、約０．２ｍｍと約１．５ｍｍとの間である。図示する構成では、突出部分は、厚さが約０．７ｍｍである。
【０３０２】
図８１を参照すると、図示するマスクシール７０４は、口領域７６６も備えている。図示するマスクシール７０４における口領域７６６は、口開口部７２２の少なくとも一部に沿って延在している。図示する構成では、口領域７６６は、口開口部７２２の少なくとも下方部分に沿って延在している。図示する構成では、口領域７６６は、口開口部７２２の少なくとも側部および底部に沿って延在している。口領域７６６は、顔面と接触する相対的に軟性の領域を提供する。したがって、口領域７６６は、相対的に薄い断面を有することができる。たとえば、いくつかの構成では、口領域７６６は、厚さが外周部分７６２の厚さより小さく、いくつかの構成では、約０．２ｍｍと約１．０ｍｍとの間の厚さである。図示する構成では、口領域の厚さは約０．５ｍｍである。
【０３０３】
図８０および図８１を参照すると、鼻領域７６８は、マスクシール７０４の背面から正面に向かって折り返すことができる。鼻領域７６８は、鼻パッドインサート７４０を含むかまたはその下に位置することができる。しかしながら、好ましくは、鼻領域７６８は、鼻パッドインサート７４０の下に位置し、パッド支持領域７４２を含む。鼻の下方部分に対してやさしく封止することが望まれことを考慮すると、図示する構成の鼻領域７６８は厚さが完全に小さい。いくつかの構成では、鼻領域７６８は、マスクシール７０４の最小厚さを有している。図示する構成では、鼻領域７６８は、口領域７６６より厚さが小さい。いくつかの構成では、鼻領域７６８の厚さは、約０．１ｍｍと約０．５ｍｍとの間である。いくつかの構成では、鼻領域７６８の厚さは約０．３ｍｍである。
【０３０４】
続けて図８０〜図８２を参照すると、厚さが遷移する遷移部分７７０を、鼻領域７６８と外周部分７６２との間、鼻領域７６８と接続領域７６０との間、鼻領域７６８と口領域７６６との間、口領域７６６と外周部分７６２との間、口領域７６６と接続領域７６０との間、外周部分７６２と接続領域７６０との間等に画定することができる。図示する構成では、突出部分７６４は、概して、遷移部分７７０によって包囲される。他の構成もまた可能である。
【０３０５】
図８１および図８３〜図８８を参照すると、図８１に示すマスクシール７０４を通るさまざまな断面が提示されている。これらの断面は、図８０〜図８２に示すマスクシール７０４内で発生するさまざまな遷移を例示するのに役立つ。
【０３０６】
図８７および図８８を参照すると、断面で示すようなパドル。そこに示すように、パドル７２６は、相対的に薄い断面を有することができる。いくつかの構成では、パドルを、少なくとも部分的に、典型的な治療圧力（たとえば、約３ｃｍＨ2Ｏ〜約２５ｃｍＨ2Ｏ）での制御された膨張または制御された拡張を可能にするように十分薄い断面で形成することができる。いくつかの構成では、こうした厚さは、使用される材料に応じて、約０．３ｍｍ未満であるかまたは約０．２ｍｍ未満であり得る。いくつかの構成では、顔面と接触するパドル７２６の部分は、概して一定の断面を有している。
【０３０７】
一構成では、パドルは、横方向外側部分および横方向内側部分を接合する隆起に沿って断面が厚くなっている。したがって、パドル７２６は、内側部分および外側部分を接合する丸み部分において相対的に厚い断面を有することができる。いくつかの構成では、その肉厚化領域は、約０．３ｍｍと約１．２５ｍｍとの間であり得る。いくつかの構成では、肉厚化領域は、約０．５ｍｍまたは約１．０ｍｍである。その肉厚化領域は、横方向内側部分が要求通りに薄いことを可能にしながら、使用中にパドル７２６の顔面接触部分のしわまた折目がつく可能性を低減するのに役立つ。
【０３０８】
いくつかの構成では、パドル７２６は、横方向内側部分の断面が相対的に薄く、横方向外側部分は相対的に断面が厚い。図８７に示すように、パドル７２６の横方向外側壁７７２は、同じ高さでパドル７２６の残りの部分より厚い断面を備えることができる。パドル７２６の相対的に厚い部分は、パドル７２６の形状を支持し、使用時にパドル７２６の形状を制御するように補強を提供する。他の技法を使用することも可能であるが、相対的に厚い断面を使用することは、十分に軟質な構造に対して、構造的性能に対して十分な補強を提供するという利点がある。
【０３０９】
ここで図８９〜図１０９を参照して、マスクアセンブリ７００、または本明細書に記載するマスクアセンブリのいずれかと使用することができるヘッドギアのいくつかの方式について説明する。図７１を参照すると、マスクアセンブリ７００は、好ましくは、上方、後方、または上方および後方の組合せである力ベクトルがマスクアセンブリ７００に対して発生するように、ヘッドギアを用いて固定される。マスクアセンブリ７００は、鼻の下で係留されるように構成されるため、かつパドル７２６の封止力が、鼻の底部に対するマスクアセンブリ７００の上方圧力によって増大するため、マスクアセンブリは、マスクアセンブリ７００に最も適した力ベクトルにおいて極めて一意である。それにも関らず、いくつかの構成では、マスクアセンブリを、他の方向の力ベクトルを発生させるヘッドギアで使用することができる。
【０３１０】
図８９〜図１０９を参照して明らかとなるように、それらの図に示す図示するヘッドギアは、有利には、Ｔ字部品、または関連するマスクアセンブリ７００から鼻梁にわたって上方に（またはそれより高く）延在する他のいかなる部品も特徴としない。いくつかの構成では、マスクアセンブリもヘッドギアアセンブリも、眼より垂直方向に高いかまたは水平方向に眼の外縁の間で使用者の顔面と接触する。マスクアセンブリ７００の構造のために、マスクアセンブリと使用されるヘッドギアは、使用者の顔面領域をまったく接触する必要がない。いくつかの構成では、ヘッドギアは、使用者の顔面と接触しない。いくつかの構成では、マスクアセンブリ７００は、鼻梁の下の位置で顔面に係留される。いくつかの構成では、マスクアセンブリ７００は、鼻の最下面より下方の位置で顔面に係留される。いくつかの構成では、マスクアセンブリ７００は、鼻の最下面より下方の位置でのみ顔面に係留され、ヘッドアセンブリは、使用者の顔面と接触しない。いくつかの構成では、マスクアセンブリ７００は、上顎骨に沿って下顎骨および鼻に係留され、ヘドギアは、鼻の最下方部分より垂直方向に高い領域において顔面と接触しない。いくつかの構成では、マスクアセンブリ７００は、上顎骨に沿って下顎骨および鼻に係留され、ヘッドギアは、耳の底部より垂直方向に高い領域で顔面に接触しない。いくつかの構成では、マスクアセンブリ７００は、上顎骨に沿って下顎骨および鼻に係留され、ヘッドギアは、眼より垂直方向に高い領域で顔面と接触しない。いくつかの構成では、マスクアセンブリ７００は、鼻より垂直方向に低い少なくとも２つの位置で係留され、ヘッドギアは、マスクアセンブリ７００の垂直方向に真上に画定された領域で顔面と接触しない。いくつかの構成では、マスクアセンブリ７００は、使用者の顔の特徴によって上方移動しないように固定され、ヘッドギアアセンブリは、マスクアセンブリ７００に対して上方に向けられた力を加える。いくつかのこうした構成では、顔の特徴は、鼻の下方部分である。いくつかのこうした構成では、鼻の下方部分は鼻中隔を含む。
【０３１１】
最初に図８９〜図９１を参照すると、ヘッドギアアセンブリ８００は、マスクアセンブリ７００に接続されて示されている。ヘッドギアアセンブリ８００は、概して、後部ストラップ８０２および頂部ストラップ８０４を備えている。後部ストラップ８０２および／または頂部ストラップ８０４は、長さが調整可能であり得る。いくつかの構成では、後部ストラップ８０２および頂部ストラップ８０４の少なくとも一方の長さを固定することができる。図示する構成では、後部ストラップ８０２は、使用者の耳の概して下方の位置で頭部の後部の周囲を通るように構成され、頂部ストラップは、耳の概して前方の位置で頭部の頂部の上を通るように構成されている。他の位置および構成が可能である。さらに、図示する構成では、後部ストラップ８０２および頂部ストラップ８０４を一体的に形成することができる。いくつかの構成では、ストラップ８０２、８０４は、別個に形成され、バックルまたは別の他の好適な構成を用いて互いに取り付けられる。
【０３１２】
続けて図８９〜図９１を参照すると、延長部８０６が、後部ストラップ８０２および頂部ストラップ８０４の一方または両方に接続する。２つのアーム８０８が、図示する構成では延長部８０６をマスクアセンブリ７００に接続する。いくつかの構成では、２つのアーム８０８は単一ストラップから形成されている。いくつかの構成では、２つのアーム８０８は、２つのストラップから形成されている。有利には、図示する構成の２つのアーム８０８の長さを別個に調整することができ、したがって、２つのアーム８０８は、好ましくは、２つの別個のストラップから形成される。それにも関らず、アーム８０８の各々は別個に調整可能であって、両アーム８０８を単一構成要素から形成することができる。別個に調整可能であることにより、アーム８０８によって、図示するヘッドギアアセンブリ８００はマスクの角度を調整することができる。言い換えれば、マスクアセンブリ７００を、アーム８０８を用いて所望の角度方向に傾斜させることができる。さらに、アーム８０８が別個に調整可能であるため、シール７０４の下方部分のフィット性を、シール７０４の上方部分のフィット性とは別個に調整することができる。
【０３１３】
ここで図９２〜図９４を参照すると、そこには別のヘッドギアアセンブリ８１０が示されている。図示するヘッドギアアセンブリ８１０は、上方部分８１２および下方部分８１４を備えている。図示する上方部分８１２は下方部分８１４から別個であるが、いくつかの構成では、上方部分８１２および下方部分８１４を合わせて接合することができる。たとえば、いくつかの構成では、ストラップが、上方部分８１２および下方部分８１４を接続して、単一の統合されたヘッドギアアセンブリ８１０を形成することができる。いくつかのこうした構成では、相互接続するストラップを、耳の後方にまたは耳のすぐ前方に配置されるように位置決めすることができる。他の構成が可能である。
【０３１４】
図示する構成では、下方部分８１４は、マスクアセンブリ７００にあらゆる好適な方法で接続する部材８１６を備えている。いくつかの構成では、部材８１６は、フック、スナップ、または他の好適なタイプのコネクタで接続する。いくつかの構成では、部材８１６は、ループを通して延在し、それ自体の上に戻って固定される。図示する構成では、部材８１６は単一構成要素である。いくつかの構成では、部材８１６は、複数の構成要素を備えることができる。好ましくは、部材８１６は、概して使用者の耳の下方の位置において頭部の後部の周囲を通る。
【０３１５】
さらに図９２〜図９４を参照すると、上方部分８１２は、概して部材８２０および頂部部材８２２を備えている。部材８２０および／または頂部部材８２２は、長さが調整可能であり得る。いくつかの構成では、部材８２０および頂部部材８２２のうちの少なくとも一方の長さを固定することができる。図示する構成では、部材８２０は、使用者の耳の少なくとも一部を概して二分する位置で頭部の後部の周囲を通るように構成され、頂部部材８２２は、同様に耳の上を垂直方向に概して二分する位置で頭部の頂部の上を通るように構成されている。図示するように、部材８２０は、上がって耳の上で折り返すように構成された部分８２４を有することができる。他の位置および構成が可能である。さらに、図示する構成では、部材８２０および頂部部材８２２を、一体的に形成することができ、それらは、使用者の耳の概して上の位置で接触することができる。いくつかの構成では、部材８２０、８２２は、別個に形成され、バックルまたは別の他の好適な構成を用いて互いに取り付けられる。
【０３１６】
ヘッドギアアセンブリ８１０は、上方部分８１２および下方部分８１４の別個の調整を可能にする。上述したように、別個に調整可能であることにより、上方部分８１２および下方部分８１４は、図示するヘッドギアアセンブリ８１０が、図９３に示すようにマスクアセンブリ７００の角度を調整するのを可能にする。言い換えれば、マスクアセンブリ７００を、別個の調整可能な上方部分８１２および下方部分８１４を用いて所望の角度方向に傾斜させることができる。さらに、上方部分８１２および下方部分８１４が別個に調整可能であるため、シール７０４の下方部分のフィット性を、シール７０４の上方部分のフィット性と別個に調整することができる。
【０３１７】
ここで、図９５〜図９７を参照すると、さらなるヘッドギアアセンブリ８３０が示されている。ヘッドギアアセンブリ８３０は、マスクアセンブリ７００に接続されて示されている。図示するヘッドギアアセンブリ８３０は、上方部分８３２および下方部分８３４を備えている。図９７に示すように、少なくとも１つの相互接続部材８３６は、上方部部分８３２を下方部分８３４に接続する。図示する構成の少なくとも１つの相互接続部材８３６は、使用者の頭部の後部の領域において上方部分８３２を下方部分８３４に接合する後部パネルを備えている。図示する相互接続部材８３６は、概して形状が砂時計である。他の構成が可能である。
【０３１８】
図示する構成では、下方部分８３４は、マスクアセンブリ７００にあらゆる好適な方法で接続する少なくとも１つの部材８３８を備えている。いくつかの構成では、少なくとも１つの部材８３８は、フック、スナップ、または他の好適なタイプのコネクタで接続する。いくつかの構成では、少なくとも１つの部材８３８は、ループを通って延在し、それ自体の上に戻って固定される。図示する構成では、少なくとも１つの部材８３８は単一構成要素である。いくつかの構成では、少なくとも１つの部材８３８は、複数の構成要素を備えることができる。たとえば、２つの構成要素が、相互接続部材８３６から前方に延在することができる。好ましくは、少なくとも１つの部材８３８は、マスクアセンブリ７００から、使用者の耳の概して下方の位置で頭部の後部に向かって延在している。
【０３１９】
さらに図９５〜図９７を参照すると、上方部分８３２は、概して、少なくとも１つの部材８４０および頂部部材８４２を備えている。少なくとも１つの部材８４０および／または頂部部材８４２は、長さが調整可能であり得る。いくつかの構成では、少なくとも１つの部材８４０および頂部部材８４２の少なくとも一方の長さを固定することができる。図示する構成では、少なくとも１つの部材８４０は、概して、マスクアセンブリ７００から直接、使用者の耳の垂直方向上方の位置に沿って頭部の後部まで通るように構成だれ、頂部部材８４２は、耳の上で垂直方向に概して二分する位置で頭部の頂部の上を通るように構成されている。他の位置および構成が可能である。さらに、図示する構成では、部材８４０および頂部部材８４２を、一体的に形成することができ、それらは、使用者の耳の概して上方の位置で接触することができる。いくつかの構成では、部材８４０、８４２は、別個に形成され、バックルまたは別の他の好適な構成を用いて互いに取り付けられる。
【０３２０】
ヘッドギアアセンブリ８３０は、上方部分８３２および下方部分８３４の別個の調整を可能にする。上述したように、別個に調整可能であることにより、上方部分８３２および下方部分８３４は、図示するヘッドギアアセンブリ８３０がマスクアセンブリ７００の角度を調整するのを可能にする。言い換えれば、マスクアセンブリ７００を、別個に調整可能な上方部分８３２および下方部分８３４を用いて所望の角度方向に傾斜させることができる。さらに、上方部分８３２および下方部分８３４が別個に調整可能であるため、シール７０４の下方部分のフィット性を、シール７０４の上方部分のフィット性と別個に調整することができる。
【０３２１】
ここで図９８〜図１００を参照すると、さらなるヘッドギアアセンブリ８５０が示されている。ヘッドギアアセンブリ８５０は、マスクアセンブリ７００に接続されて示されている。図示するヘッドギアアセンブリ８５０は、上方部分８５２および下方部分８５４を備えている。概して、図９８〜図１００のヘッドギアアセンブリ８５０は、相互接続部材を有していないことを除き、図９５〜図９７のヘッドギア８３０と同様である。したがって、図９５〜図９７のヘッドギア８３０に関して上述した詳細は、概して、図９９〜図１００のヘッドギア８３０に同様に適用される。
【０３２２】
図９８〜図１００の図示する構成では、ヘッドギアアセンブリ８５０の上方部分８５２および下方部分８５４を、単一の一体化した構成要素から形成することができる。いくつかの構成では、第１部材８５６および第２部材８５８を、単一構成要素から形成することができる。たとえば、材料の単一ループは、マスクのループ等を通して延在して、第１部材８５６および第２部材８５８の両方を画定することができる。いくつかの構成では、別個の頂部部材８５９を、第１部材８５６および第２部材８５８を画定する単一構成要素から別個にすることができ、または単一構成要素の一部として一体的に形成することができる。あらゆる好適な構成要素を使用することができる。
【０３２３】
ここで、図１０１〜図１０３を参照すると、さらなるヘッドギアアセンブリ８６０が示されている。ヘッドギアアセンブリ８６０は、マスクアセンブリ７００に接続されて示されている。図９８〜図１００および図１０１〜図１０３の比較から明らかとなるように、図１０１〜図１０３に示すヘッドギアアセンブリ８６０は、ヘッドギアアセンブリ８６０が頂部部材のない上方部分８６２を備えることを除き、図９８〜図１００に示すヘッドギアアセンブリ８５０と概して同じである。したがって、ヘッドギアアセンブリ８６０はまた、図９８〜図１００に示すヘッドギアアセンブリ８５０の下方部分８５４と概して同じである下方部分８６４を備えている。
【０３２４】
ここで図１０４〜図１０６を参照すると、さらなるヘッドギアアセンブリ８７０が示されている。ヘッドギアアセンブリ８６０は、マスクアセンブリ７００に接続されて示されている。図１０１〜図１０３および図１０４〜図１０６の比較から明らかとなるように、図１０４〜図１０６に示すヘッドギアアセンブリ８７０は、ヘッドギアアセンブリ８７０に下方部分がないことを除き、図１０１〜図１０３に示すヘッドギアアセンブリ８６０（上方部分８６２を有することを含む）と概して同じである。
【０３２５】
ここで図１０７〜図１０９を参照すると、さらなるヘッドギアアセンブリ８８０が示されている。ヘッドギアアセンブリ８６０は、マスクアセンブリ７００に接続されて示されている。図１０４〜図１０６に示すヘッドギア８７０と同様に、図１０７〜図１０９に示すヘッドギア８８０は、下方部分を含まずに上方部分８８２を備えている。図示する構成での上方部分８８２は、マスクアセンブリ７００から上方にかつ後方に延在する部材８８４を備えている。部材８８４は、耳収容機構８８６を含むことができる。耳収容機構８８６は、使用者の耳の正面から使用者の耳の背面まで力を伝達するように適合されている。したがって、耳収容機構８８６により、部材８８４は使用者の頭部の下方に位置し、それにより耳収容機構８８６がなければ、部材８８４は使用者の耳を二分することになる。
【０３２６】
図１０８および図１０９を参照すると、図示する構成では、部材８８４は、使用者の耳のすぐ後方の位置で上方部材８８６および下方部材８８８に分岐している。図示する構成では、分岐位置は、使用者の耳より垂直方向に高いように適合されている。部材８８４を少なくとも上方部材８８６および下方部材８８８に分岐することにより、安定性を向上させることができる。限定されないが、上方部材８８６と下方部材８８８との間にパネルを組み込む等、少なくとも２つの部材８８６、８８８の代りの幅広ストラップを使用することを含む、他の構成も使用することができる。さらに、図１０８および図１０９に示す構成では、ヘッドギアとマスクアセンブリとの間の接続点は、図１０４〜図１０６に示す構成より低い。
【０３２７】
本開示を通して、種々のヘッドギアアセンブリについて説明した。ヘッドギアアセンブリの各々において、同じヘッドギアアセンブリ内で他のものより可撓性が高いように形成された、１つまたは複数のストラップ、部材、構成要素等があることが可能である。たとえば、限定されないが、いくつかの構成では、頭部の後部の周囲に延在するヘッドギアアセンブリの部分を、耳の前方に延在するヘッドギアアセンブリの部分より弾性または可撓性を高くすることができる。いくつかの構成では、耳の前方に延在するヘッドギアアセンブリの部分を、耳の後方に延在するヘッドギアアセンブリの部分より弾性または可撓性を高くすることができる。いくつかの構成では、ヘッドギアアセンブリのより弾性が高いか、可撓性が高いかまたは伸縮性が高い部分は、より弾性が低く、可撓性が低く、または伸縮性が低い部分と重なる部分を有している。
【０３２８】
ここで図１１０を参照すると、追加のマスクアセンブリ９００が示されている。図示するマスクアセンブリ９００は、結合された口鼻マスクであり、使用者の鼻の下で（かつ／または鼻の中で）、鼻に対して外側に延在する顔面の部分に沿って、かつ使用者の口の周囲で封止するように設計されている。いくつかの構成では、マスクアセンブリ９００を、鼻の先端の上に行くように設計することができ、こうした構成では、マスクアセンブリ９００は、使用者の鼻に対して外側かつ口の周囲に延在する顔面の部分に沿った、鼻の下、鼻の中以外の領域で、封止することができる。
【０３２９】
図７１に示すマスクアセンブリ７００と同様に、マスクアセンブリ９００は、有利には、使用者の鼻梁と接触する必要はない。図示する構成では、マスクアセンブリ９００は、使用者の鼻梁の上に延在しない。より詳細には、図示するマスクアセンブリ９００は、使用者の鼻梁と接触しない。さらにより詳細には、図示するアセンブリ９００は、使用者の鼻梁の前方に面する部分と接触しない。いくつかの構成では、アセンブリ９００は、使用者の眼の下縁に沿って延在する略水平面ＬＥより垂直方向に高い領域において顔面と接触しない。
【０３３０】
いくつかの構成では、マスクアセンブリ９００は、使用者の鼻の先端の上に延在しない。いくつかの構成では、マスクアセンブリ９００は、好ましくは、使用者の鼻の先端を覆い隠さない。いくつかの構成では、使用者の鼻の先端は、マスクアセンブリ９００の隣接する部分の上に延在する。いくつかの構成では、マスクアセンブリ９００を、鼻の先端の上に行くように設計することができる。いくつかの構成では、マスクアセンブリ９００を、鼻の先端を覆い隠すように設計することができる。
【０３３１】
マスクアセンブリ９００は、好ましくは、鼻孔の周囲に丸い隆起を形成するように広がる、鼻の翼または鼻翼の周囲に延在しかつその上で封止するように適合されている。マスクアセンブリ９００を、鼻柱と呼ぶこともある鼻中隔の肉質の外端を含む、鼻孔に対する開口部を画定する表面の中でかつその周囲を封止するように適合させることができる。いくつかの構成では、マスクアセンブリ９００は、使用者の鼻の左右背側壁の少なくとも一部に沿って封止するように上方に延在するように適合されている。いくつかの構成では、マスクアセンブリ９００は、使用者の鼻梁の領域に対して上方に延在することなく、左右背側壁の少なくとも一部に沿って上方に延在するように適合されている。図７１に示すマスクアセンブリ７００と比較すると、図１１０に示すマスクアセンブリ９００は、要求に応じて鼻空気通路内に延在しかつ鼻空気通路に沿って封止することができる。
【０３３２】
図示するように、マスクアセンブリ９００は、マスクベース９０２と、マスクベース９０２に取り付けられたマスクシール９０４とを備え、図示しないが、コネクタをマスクベース９０２に取り付けることができる。コネクタを、限定されないが本明細書内の他の場所で考察するあらゆる方法を含むあらゆる好適な方法で、ベース９０２に接続することができる。たとえば、限定されないが、コネクタをベース９０２に、コネクタがベース９０２に対して旋回し、枢動し、かつ回転することができるように接続することができる。いくつかの構成では、コネクタは、他方の部分を画定する、たとえば、限定されないがマスクベース９０２との玉継手の一部を画定することができる。玉継手は、あらゆる好適な構成を有することができ、本明細書の他の場所で述べるボール・ソケット構成の説明に従って構成することができる。コネクタは、加圧呼吸ガスの供給のために供給導管等への接続を容易にする。あらゆる好適なコネクタを使用することができる。
【０３３３】
図１１０を参照して、マスクベース９０２についてより詳細に説明する。マスクベース９０２は、概してマスクアセンブリ９００に対するより詳細にはマスクシール９０４に対するある種の支持構造を提供する。マスクベース９０２を、あらゆる好適な材料から形成することができる。いくつかの構成では、マスクベース９０２は、完全剛性材料から形成される。いくつかの構成では、マスクベース９０２は、ポリカーボネート材料等のプラスチック材料から形成される。
【０３３４】
図１１０を参照すると、図示する構成では、マスクベース９０２は、一対のウイング９１４とともに中心部分９１２から後方に伸びている。図示するように、ウイング９１４は、マスクベース９０２の中心部分９１２に対して後方にかつ上方に延在することができる。したがって、図示するウイング９１４は、上方突出部分９１６を含む。概して、マスクベース９０２および例としてウイング９１４の上方突出部分９１６は、マスクシール９０４の側方部分に対して補強を提供することができる。
【０３３５】
中心部分９１２は、ウイング９１４の上方突出部分９１６の高さより低い垂直方向の広がりを有することができる。したがって、正面から見た場合、マスクベース９０２は、略Ｍ字型外観を有する縁を備えている。さらに、正面から見ると、マスクベース９０２の中心領域の上縁は、略Ｕ字型外観を備えている。一対のウイング９１４の間に凹状中心部分９１２を組み込むことにより、マスクベース９０２は、使用者の鼻に対して適切な隙間を提供しながら、マスクシール９０４に対して所望の支持を提供することができる。
【０３３６】
マスクベース９０２およびマスクシール９０４を、あらゆる好適な方法で接続することができる。図１１２を参照すると、マスクベース９０２は、概して周囲を囲むフランジ９２０を備え、マスクシール９０４を、マスクベース９０２のフランジ９２０にオーバモールドすることができる。マスクシール９０４とマスクベース９０２との間に接合部を形成するために、他のあらゆる好適な技法を用いることができる。いくつかの構成では、マスクシール９０４を、マスクベース９０２からの除去を可能にするように形成することができる。たとえば、限定されないが、マスクシール９０４は溝を含むことができ、マスクベース９０２は、フランジまたは他のあらゆる協働構造を含むことができ、それにより、マスクシール９０４をマスクベース９０２に取外し可能に接続することができる。
【０３３７】
図１１２に示すように、図示するマスクシール９０４は、マスクベース９０２との接合部に隣接して、断面が相対的に厚い肉厚化領域９２１を備えている。こうした構成により、マスクシール９０４の耐用年数が延長されるとともに、マスクシール９０４とマスクベース９０２との間の接続の完全性が向上する。いくつかの構成では、マスクシール９０４の最も厚い領域は肉厚化領域９２１である。
【０３３８】
マスクシール９０４は、使用者の顔面に対して封止するように設計されている。マスクシール９０４は、好ましくは、たとえば、限定されないがシリコーン等の軟質材料から形成されている。いくつかの構成では、マスクシール９０４の少なくとも一部に、使用者に対する快適さを向上させるように凹凸をつけることができる。たとえば、いくつかの構成では、図示するマスクシール９０４を形成するために使用される金型の少なくとも一部をビードブラスト加工して、少なくとも、使用者の皮膚に接触するマスクシール９０４の領域に表面凹凸を提供することができる。マスクシール９０４の１つまたは複数の表面に凹凸をつける他の技法を使用することができる。
【０３３９】
図１１０に示すように、図示するマスクシール９０４は、口−鼻マスクシールを備え、したがって、少なくとも１つの口開口部９２２および少なくとも１つの鼻開口部９２４を備えている。いくつかの構成では、マスクシール９０４は、結合された口−鼻開口部を備えることができる。図示する実施形態等、いくつかの構成では、マスクシール９０４は、２つ以上の鼻開口部９２４を備えることができる。図示する構成では、マスクシール９０４は、ピロー、プロング等、上部構造内に画定される鼻開口部９２４を備えている。図示する構成は、プロング９２７を備えている。いくつかの構成では、単一プロング（または他の上部構造）を使用することができる。他の用途では、２つ以上のプロング（または上部構造）を使用することができる。１つまたは複数のプロング（または他の上部構造）により、マスクシール９０４を、使用者の顔面に対して要求に応じてより容易に位置決めすることができる。さらに、たとえば、限定されないがプロング等の上部構造の使用者を通して、マスクはより容易に封止が可能であり（たとえば、上部構造は、鼻孔の下でのまたは顔面に沿った封止ではなく、鼻孔内で封止することができ）、マスクシール９０４は、少なくとも１つの開口部９２４が使用者の顔の特徴によって部分的にまたは完全に遮られる可能性が低い。
【０３４０】
あらゆる好適なプロング９２７構成を使用することができる。図示する構成では、プロング９２７は、概して、球状ベース９２９から同じ開口部９２４まで上方向に先細りになっている。開口部９２４を、略楕円形または卵形の形状とすることができる。さらに、プロング９２７の底部から頂部までの遷移を、多くの異なる鼻開口部形状に対して改善された封止を提供するような形状とすることができる。したがって、各プロング９２７を、略垂直中心面（たとえば、使用者の正中矢状面に対応する平面）に向かって傾斜させることができる。さらに、プロング９２７は、図１１４に最もよく示すように、非均一に外側寸法が増大する形状を有することができる。言い換えれば、ベース９２９は、左右より前後にサイズが増大することができる。さらに、ベース９２９は、正面より背面に寸法が増大することができる。他の構成が可能である。
【０３４１】
少なくとも１つの口開口部９２２および少なくとも１つの鼻開口部９２４は、好ましくは、マスクアセンブリ９００内に画定される単一チャンバ９２５と連通している。図示するマスクアセンブリ９００のチャンバ９２５は、マスクベース９０２およびマスクシール９０４によって少なくとも部分的に画定されている。少なくとも１つの口開口部９２２は、コネクタを受け入れる開口部９２８に対して実質的に対向している。少なくとも１つの鼻開口部９２４は、少なくとも１つの口開口部９２２の垂直方向に上方であり得る。少なくとも１つの鼻開口部９２４を、コネクタ用の開口部９２８と少なくとも１つの口開口部９２２との間に位置決めすることができる。
【０３４２】
再び図１１０を参照すると、マスクシール９０４は、好ましくは、上面９３０の上方に上向きに延在する一対のパドル９２６を備えている。パドル９２６は、鼻孔に沿って、いくつかの構成では鼻孔の上方に上向きに延在するように構成されている。好ましくは、図１１１に示すように、上面９３０は、パドル９２６の内側部分９３３の間にハンモック状につるされている。こうした構成では、上面９３０に加えられる下方の圧力により、パドル９２６が最上部において内側に枢動することができる。したがって、使用者の鼻と上面９３０との間の力が増大することにより、使用者の鼻の側面とパドル９２６との間に加えられている封止力が増大する結果となる可能性がある。枢動作用により力が増大することになる程度を、構造によって変化させることができる。言い換えれば、パドル９２６が長いほど、短いパドル９２６に比較して枢動の程度が増大することが示される。一方、短いパドル９２６ほど、長いパドル９２６に比較して鼻形状のより大きい変化に適応することができ、マスクアセンブリ９００の顔面への装着がより容易になる。
【０３４３】
パドル９２６および上面９３０は、谷部９３２を画定している。谷部９３２を、使用者の鼻の先端を受け入れるように適合させることができる。図示する構成での谷部９３２は、上方向に開放している。言い換えれば、鼻を収容する図示するマスクアセンブリ９００の領域は、頂部から密閉されておらず、鼻の下に載るように構成されている。
【０３４４】
図示する構成では、図１１２に示すように、プロング９２７は、少なくとも１つの鼻開口部９２４が、肉厚化領域９２１の最上広がりより垂直方向に低く位置決めされるように位置決めされている。いくつかの構成では、プロング９２７を、少なくとも１つの鼻開口部９２４が、肉厚化領域９２１の最上広がりより垂直方向に高くまたはそれと同じ高さに位置決めされるように位置決めすることができる。
【０３４５】
図示するように、プロング９２７の前方で、マスクシール９０４は、先細りになり、プロング９２７に向かって下方にカールして上面９３０および谷部９３２を画定している。先細りおよびカールにより、偏向領域９３５が形成される。偏向領域９３５を、マスクシール９０４が鼻領域において少なくとも偏向領域９３５において膨張することができるように十分に薄くかつ／または伸縮性があり得る。いくつかの構成では、内側部分９３３の少なくとも一部および偏向領域９３５の両方が、使用者の鼻領域の周囲での膨張を可能にするのに十分薄い。いくつかの構成では、材料は、約０．３ｍｍ未満の厚さであり、より好ましくは、約０．２ｍｍ未満の厚さである。偏向領域９３５を、マスクシール９０４が鼻領域において少なくとも偏向領域９３５においてその形状を維持することができるように十分より厚くかつ／またはより剛性を高くすることができる。いくつかの構成では、内側部分９３３の少なくとも一部および偏向領域９３５の両方が、形状維持に対して十分厚い。いくつかの構成では、材料は、約０．７ｍｍ未満の厚さであり、より好ましくは、約０．５ｍｍ未満の厚さである。
【０３４６】
上述したマスクシール７００と同様に、かつ図１１２〜図１２０に示すように、マスクアセンブリ９００の図示するマスクシール９０４は、厚さの完全複合範囲および構成を含む。厚さは、図示するマスクシール９０４の種々の領域において種々の特性を利用するように変更される。たとえば、図１１２を参照すると、マスクシール９０４は、肉厚化部分９２１に概して対応する接続領域９６０を示す。接続領域９６０は、概して、マスクベース９０２を受け入れる開口部を取り囲んでいる。接続領域９６０は、いくつかの構成では、シール部材９０４の最も厚い部分であり得る。接続領域９６０は、マスクシール９０４をマスクベース９０２に接合する。したがって、接続領域９６０は、好ましくは、接続のために十分な剛性を提供しかつ耐久性のために十分な厚さを提供するような十分な厚さを有している。いくつかの構成では、接続領域の厚さは、約２ｍｍと約４ｍｍとの間である。図示する構成では、厚さは、約３．３ｍｍと約３．５ｍｍとの間である。
【０３４７】
主に図１２０を参照すると、マスクシール９０４の顔面接触部分に概して隣接する外周部分９６２は、完全に剛性であり得る。外周部分９６２は、口開口部９２２を包囲する顔面接触部分の下隅から、パドル９２６の開始のすぐ下方の領域まで上方に延在することができる。したがって、外周部分９６２は、マスクシール９０４の後部の略垂直に延在する部分に沿って延在し、マスクシール９０４の後部の底部においてわずかに内側に折り返している。しかしながら、外周部分９６２は、使用者の顔の形状が異なることによって生成されるさまざまな輪郭に適応するようにより軟質である、マスクの下方部分の最も中心部分の手前で終端している。外周部分９６２はまた、マスクシールの後方に面する側からマスクシール９０４の横方向に面する側の少なくとも一部まで理返すことも可能である。いくつかの構成では、外周部分の厚さは、約０．８ｍｍと約１．５ｍｍとの間であり得る。図示する構成では、外周部分９６２は、厚さが、接続領域９６０の厚さより小さく、好ましくは、約１．２ｍｍから約１．３ｍｍの厚さである。
【０３４８】
マスクシール９０４は、口領域９６６も備えている。図示するマスクシール９０４における口領域９６６は、口開口部９２２の少なくとも一部に沿って延在している。図示する構成では、口領域９６６は、口開口部９２２の少なくとも下方部分に沿って延在している。図示する構成では、口領域９６６は、口開口部９２２の少なくとも側部および底部に沿って延在している。口領域９６６は、顔面と接触する相対的に軟質な領域を提供する。したがって、口領域９６６は、相対的に薄い断面を有することができる。たとえば、いくつかの構成では、口領域９６６は、厚さが外周部分９６２の厚さより小さく、いくつかの構成では、約０．３ｍｍと約１．０ｍｍとの間の厚さである。図示する構成では、口領域の厚さは約０．５ｍｍである。
【０３４９】
鼻プロング９２７を、インタフェース領域９６７内に形成することができる。インタフェース領域９６７は、好ましくは、たとえば一晩の使用にわたり使用者に対して十分快適であるように軟らかくかつ変形可能であり続ける一方で、使用者の鼻孔内に位置するように十分剛性が高い。図示する構成では、インタフェース領域は、プロング９２７および隣接する領域の両方を含む。いくつかの構成では、インタフェース領域９６７の厚さは、約０．５ｍｍと約１．５ｍｍとの間である。図示する構成では、厚さは、約０．８ｍｍと約０．５ｍｍとの間である。
【０３５０】
図１２０を参照すると、パドル領域９６８は、パドル９２６の上方部分にわたって折り返すことができる。パドル領域９６８は、概して谷部９３２を包囲することができる。パドル領域９２６は、好ましくは非常に形状適合性があり、したがって、厚さが約０．３ｍｍと約１．２ｍｍとの間である。図示する構成では、パドル領域９６８は、厚さが約０．５ｍｍである。
【０３５１】
パドル領域９６８とプロング９２７との間に、可撓性ゾーン９６９がある。可撓性ゾーン９６９は、好ましくは、パドル９２６の内側部分９３３に沿って形成されている。いくつかの構成では、可撓性ゾーン９６９は、プロング９２７の各外側にある。いくつかの構成では、可撓性ゾーン９６９は、プロング９２７の両外側に延在し、プロング９２７の概して前方の位置まで折り返している。可撓性ゾーン９６９は、パドル９２６内に画定されたポケットの上に重なり、そのポケットは、チャンバ９２５と流体連通している。したがって、チャンバ９２５内からの圧力は、可撓性ゾーン９６９を幾分か膨張させるかまたはその膨らみをもたらして、使用者の鼻との封止を向上させる。可撓性ゾーン９６９は、好ましくは、厚さが約０．５ｍｍ未満である。いくつかの構成では、膨張ゾーン９６９は、約０．２ｍｍと約０．７ｍｍとの間の厚さを有することができる。図示する構成では、膨張ゾーン９６９は、厚さが約０．２ｍｍである。
【０３５２】
続けて図１２０を参照すると、厚さが遷移する遷移部分９７０を、上述した領域の各々の間に画定することができる。他の構成も可能である。
【０３５３】
図１１３〜図１１９を参照すると、図１１０に示すマスクシール９０４を通るさまざまな断面が提示されている。これらの断面は、マスクシール９０４内で発生する様々な遷移を例示するのに役立つ。
【０３５４】
図１１４および図１１５を参照すると、断面で示すようなパドル９２６。そこに示すように、パドル９２６は、内側部分に相対的に薄い断面を有し、一方で実質的に相対的に厚い外側部分を有することができる。相対的に厚い外側部分は、構造および形状を提供することができ、一方で、内側部分は、典型的な治療圧力（たとえば、約３ｃｍＨ2Ｏ〜約２５ｃｍＨ2Ｏ）での制御された膨張または制御された拡張を可能にするように十分薄いままである。いくつかの構成では、顔面に接触するパドル９２６の部分は、概して一定の断面を備えている。図示する構成では、パドル９２６の上方部分において（図１１４を参照）、相対的に厚い断面と相対的に薄い断面との遷移は、内側部分と外側部分との間に画定された半径より以前に発生する。こうした構成は、使用者の顔の形状に対するパドル９２６の一致を向上させる。図示する構成では、パドル９２６の下方部分において（図１１５を参照）、相対的に厚い断面と相対的に薄い断面との遷移は、鼻と頬との間のポケットにける変形に対してより優れた制御を得ることができるように、使用者の顔面に接触する部分に沿って発生する。他の構成が可能である。
【０３５５】
図示するマスクシール９０４は、使用者の顔面の２つの位置、すなわち、鼻の下／中および下唇の下方で係留されるように設計されている。いくつかの構成では、マスクシール９０４は、鼻の下方で（または鼻孔内で）かつ下唇と頬骨との間で係留されるように構成されている。いくつかの構成では、マスクは、係留点のすべてより高い位置で使用者の顔面に対して封止することにより、マスクアセンブリ９００を通る空気流を密封するように設計されている。したがって、図示するマスクシール９０４の少なくともいくつかの封止部分は、係留点より垂直方向に高く位置決めされる。
【０３５６】
マスクシール９０４は、種々のサイズおよび／または形状の顔で使用するために種々のサイズを有することができる。いくつかの構成では、マスクシール９０４の種々の部分を、種々のサイズおよび／または形状の使用者に適応するようにサイズを決めかつ構成することができる。たとえば、マスクシール９０４の一部は、種々の使用者に対して種々の角度で上方に延在することができる。いくつかの構成では、すべての顔のサイズおよび形状に対して単一サイズのマスクシール９０４を提供することができる。
【０３５７】
いくつかの構成では、マスクシール９０４は、種々の材料および／または種々のショア硬度で形成された複数の構成要素を備えている。たとえば、いくつかの構成では、マスクシール９０４のいくつかの構成要素をシリコーンから形成することができ、他の構成要素は、発泡体、ゲル、布または他の好適な高コンプライアンスの材料から形成される。しかしながら、図示する構成では、マスクシール９０４は、たとえば、限定されないがシリコーン等、一様の材料から形成される。
【０３５８】
図１２１および図１２２を参照すると、さらなるマスクアセンブリ１０００が、使用者の顔面の適所に示されている。図示するマスクアセンブリ１０００は、結合された口および鼻マスクであり、図７１〜図８８に示しかつそれらを参照して説明したマスクアセンブリ７００に対して多くの点で類似している。すなわち、図示するマスク１０００は、使用者の鼻の下で、鼻に対して外側に延在する顔面の部分とともに、使用者の口の周囲で封止するように設計されている。好ましくは、マスクアセンブリ１０００はまた、本明細書に開示するマスクアセンブリ（たとえば、図１〜図１６および図２４〜図２７のマスクアセンブリ）のうちのいくつかの他のものに類似する方法でローリングヒンジを利用する等、別の部分に対して変形可能な１つの部分も有している。したがって、詳細には説明しないマスクアセンブリ１０００の特徴、構成要素または部分を、（図１〜図１６、図２４〜図２７および図７１〜図８８等のマスクを含む）本明細書に記載する他のマスクアセンブリと同じであるかまたは類似するように想定することができ、または他のあらゆる好適な構成とすることができる。さらに、マスクアセンブリ１０００を、たとえば、限定されることなく、本明細書に記載するかまたはマスクアセンブリと使用するのに概して好適なヘッドギア構成のいずれか等、本明細書に記載するかまたはマスクアセンブリと一般に使用されるあらゆる補足的な構成要素または他の共通品目とともに使用することができる。
【０３５９】
マスクアセンブリ１０００は、有利には、使用者の鼻梁ＮＢと接触する必要はなく、好ましくは、マスクアセンブリ１０００は、使用者の鼻梁ＮＢの上に延在しない。特に、図示するマスクアセンブリ１０００は、使用者の鼻梁と接触しない。より詳細には、図示するアセンブリ１０００は、使用者の鼻梁の前方に面する部分と接触しない。いくつかの構成では、アセンブリ１０００は、使用者の眼の下縁に沿って延在する略水平面ＬＥより垂直方向に高い領域において顔面と接触しない。図示する構成では、マスクアセンブリ１０００は、好ましくは、使用者の鼻の先端ＮＴの上で延在しない。いくつかの構成では、図示するマスクアセンブリ１０００は、好ましくは、使用者の鼻の先端ＮＴを覆い隠さない。いくつかの構成では、使用者の鼻の先端ＮＴは、マスクアセンブリ１０００の隣接する部分の上に延在する。
【０３６０】
図示するように、マスクアセンブリ１０００は、好ましくは、鼻の翼ＮＷまたは鼻翼の周囲に延在しかつその上で封止するように適合されている。図示するマスクアセンブリ１０００は、鼻中隔または鼻柱の肉質の外端を含む、鼻孔に対する開口部を画定する表面の周囲を封止するように適合されている。いくつかの構成では、マスクアセンブリ１０００は、使用者の鼻の左右背側壁ＮＤＳの少なくとも一部に沿って封止するように上方に延在するように適合されている。いくつかの構成では、マスクアセンブリ１０００は、使用者の鼻梁ＮＢの領域まで上方に延在することなく、左右背側壁ＮＤＳの少なくとも一部に沿って上方に延在するように適合されている。
【０３６１】
図示するように、マスクアセンブリ１０００は、マスクベース１００２と、マスクベース１００２に取り付けられたマスクシール１００４と、同様にマスクベース１００２に取り付けられたコネクタ１００６とを備えている。コネクタ１００６を、限定されないが本明細書内の他の場所で述べるあらゆる方法を含むあらゆる好適な方法で、ベース１００２に接続することができる。たとえば、限定されないが、図１２８に示すように、コネクタ１００６は、ベース１００２に対して、旋回し、枢動し、回転することができる。いくつかの構成では、コネクタ１００６は、他方の部分を画定する、たとえば、限定されないがマスクベース１００２との玉継手の一部を画定することができる。玉継手は、あらゆる好適な構成を有することができ、本明細書内の他の場所で述べるボール・ソケット構成の説明に従って構成することができる。コネクタ１００６は、加圧呼吸ガスの供給のために供給導管等への接続を容易にする。あらゆる好適なコネクタ１００６を使用することができる。
【０３６２】
図示する構成では、コネクタ１００６は、バイアス流穴１０１０を含む、たとえば、限定されないがポリカーボネートエルボ等のエルボを備えている。バイアス流穴１０１０は、コネクタ１００６に排他的にあり得るか、または、いくつかの構成では、バイアス流穴１０１０を、マスクベース１００２に、マスクシール１００４に、またはコネクタ１００６、ベース１００２およびシール１００４のあらゆる組合せに設けることができる。バイアス流穴１０１０は、あらゆる好適な断面を有することができ、円筒状、砂時計形状、いずれかの方向に先細り、完全にまたは部分的に先細り、完全にまたは部分的に円筒状、断面が変化するような輪郭等であり得る。
【０３６３】
さらに図１２３および図１２４を参照して、マスクベース１００２についてより詳細に説明する。マスクベース１００２は、概してマスクアセンブリ１０００に対するより詳細にはマスクシール１００４に対するある種の支持構造を提供する。マスクベース１００２を、あらゆる好適な材料から形成することができる。いくつかの構成では、マスクベース１００２は、完全剛性材料から形成される。いくつかの構成では、マスクベース１００２は、ポリカーボネート材料等のプラスチック材料から形成される。図示する構成では、マスクベース１００２は、一対のウイング１０１４とともに中心部分１０１２から後方に伸びている。図示するように、ウイング１０１４は、マスクベース１００２の中心部分１０１２に対して後方に延在することができる。中心部分１０１２は、ウイング１０１４の高さに等しいかまたはそれより大きい縦寸法または高さを有することができる。いくつかの実施形態では、ウイング１０１４の高さは、中心部分１０１２の高さより大きい。したがって、図１２３を参照すると、正面から見た場合、マスクベース１００２は、実質的に水平面に向けられる略直線上縁を備えている。
【０３６４】
マスクベース１００２およびマスクシール１００４を、あらゆる好適な方法で接続することができる。図１２７および図１２８に示すように、マスクベース１００２は、概して周囲を囲むフランジ１０２０を備えており、マスクシール１００４を、マスクベース１００２のフランジ１０２０にオーバモールドすることができる。図示する構成では、フランジ１０２０は、マスクシール１００４の後方に位置決めされ、マスクベース１００２およびマスクシール１００４の外側または前方に面する面は、それらの交差部において互いに実質的に同一平面にある。さらに、図示するように、フランジ１０２０は、マスクシール１００４に隣接して位置決めされているが、フランジ１０２０はまた、マスクシール１００４の一部を受け入れる溝も有することができる。あらゆる他の好適な技法を用いて、マスクシール１００４とマスクベース１００２との間の接合部を形成することができ、それにより、マスクシール１００４を、マスクベース１００２に対して取外し可能または取外し不能とすることができる。
【０３６５】
本明細書に記載したマスクシール７０４と同様に、マスクシール１００４は、使用者の顔面に対して封止するように設計されている。マスクシール１００４は、好ましくは、たとえば、限定されないが、シリコーン等の軟質材料から形成されている。いくつかの構成では、マスクシール１００４の少なくとも一部（たとえば、使用者の皮膚に接触するマスクシール１００４の領域）に、使用者に対する快適さを向上させるように（たとえば、ビードブラスト加工された金型形面を介して）凹凸をつけることができる。マスクシール１００４の１つまたは複数の表面に凹凸をつけるあらゆる好適な技法を使用することができる。
【０３６６】
図１２５を参照すると、マスクシール１００４は、口−鼻マスクシールを備え、したがって、少なくとも１つの口開口部１０２２および少なくとも１つの鼻開口部１０２４を備えている。図示する構成では、マスクシール１００４は、結合された口−鼻開口部を備え、そこでは、少なくとも１つの口開口部１０２２および少なくとも１つの鼻開口部１０２４は、協働して単一開口部を画定している。したがって、少なくとも１つの口開口部１０２２および少なくとも１つの鼻開口部１０２４は、各々、単一開口部の一部であり得る。いくつかの構成では、少なくとも１つの口開口部１０２２および少なくとも１つの鼻開口部１０２４は、図１３７に示す構成のように、互いに別個であり得る。いくつかの構成では、マスクシール１００４は、２つ以上の鼻開口部１０２４を備えることができる。いくつかの構成では、マスクシール１００４は、ピロー、プロング等、上部構造内に画定される鼻開口部１０２４を備えることができる。
【０３６７】
少なくとも１つの口開口部１０２２および少なくとも１つの鼻開口部１０２４は、好ましくは、マスクアセンブリ１０００内に画定される単一チャンバ１０２５と連通している。図示するマスクアセンブリ１０００のチャンバ１０２５は、少なくとも部分的に、マスクベース１００２およびマスクシール１００４によって画定されている。少なくとも１つの口開口部１０２２は、実質的に、コネクタ１００６を受け入れる開口部１０２８に対して対向している。少なくとも１つの鼻開口部１０２４は、少なくとも１つの口開口部１０２２の垂直方向に上方であり得る。少なくとも１つの鼻開口部１０２４を、前後方向においてコネクタ１００６用の開口部１０２８と少なくとも１つの口開口部１０２２との間に位置決めすることができる。少なくとも１つの口開口部１０２２は、垂線に対して傾斜しかつ概してコネクタ１００６用の開口部１０２８と通って延在する、軸を有することができる。他の点では、マスクアセンブリ１０００の基本的な空間的形状は、限定されることなく、図７５に示しかつ主に図７５に関して説明した構成を含むマスクアセンブリ７００と同じかまたは同様であり得る。たとえば、本明細書では具体的に識別していないが、マスクアセンブリ１０００は、マスクアセンブリ７００の突起７３６と構造および位置が同じかまたは同様の突起を有することができる。マスクアセンブリ１０００はまた、マスクアセンブリ７００の係留点ＡＰ１およびＡＰ２と同じかまたは同様の係留点も有することができる。
【０３６８】
図１２３〜図１２５を参照すると、マスクシール１００４は、好ましくは、マスクアセンブリ１０００の上方中心部分に画定された鼻先端収容空間または谷部１０３２の上面または上方支持面１０３０の上方を上向きに延在する一対のパドル１０２６を備えている。パドル１０２６は、鼻孔に沿って、いくつかの構成では鼻孔の上方を上向きに延在している。いくつかの構成では、パドル１０２６は、各々、マスクアセンブリ１０００を通ってコネクタ１００６から少なくとも１つの鼻開口部１０２４および少なくとも１つの口開口部１０２２まで空気路と直接流体連通する空気ポケットを備えている。好ましくは、図１２５に示すように、上面１０３０は、パドル１０２６の内側部分１０３３の間にハンモック状につるされている。したがって、上面１０３０に加えられる下方の圧力は、パドル１０２６を最上部において内側に枢動させる傾向があり得る。したがって、使用者の鼻と上面１０３０との間の力が増大することにより、使用者の鼻の側面とパドル１０２６との間に加えられている封止力が増大する結果となる可能性がある。パドル１０２６を、マスクアセンブリ７００に関して説明したものと同じかまたは同様の方法で、封止性能と鼻の形状の変化の適応とのバランスをとるように構成することができる。
【０３６９】
上述したように、いくつかの構成では、マスクアセンブリ１０００は、別の部分に対して変形可能であり、より具体的には、上述したように、少なくとも１つまたは好ましくは一対の境界に沿う等、変形の位置に影響を与えるように構成される、１つの部分を有している。いくつかの構成では、マスクシール１００４の上方部分は、マスクシール１００４の下方部分に対して変形可能である。特に、上面１０３０は、マスクベース１００２を包囲する部分等、マスクシール１００４の下方部分に対して変形可能であり得る。いくつかの構成では、変形を、ローリングヒンジ構成によって提供することができる。マスクアセンブリ１０００の変形により、快適さが増大し、かつ／またはマスクアセンブリ１０００がより広範囲の使用者に適応することを可能にすることができる。すなわち、変形により、マスクアセンブリ１０００は、より多くの種々の顔の形状、特に、鼻先端長および／または鼻先端角度等、鼻の形状に適応することを可能にすることができる。
【０３７０】
マスクアセンブリ１０００を、マスクシール１００４の特定の位置または領域に変形をもたらすように構成することができる。いくつかの構成では、変形は、谷部１０３２の上面１０３０およびマスクベース１００２の上面においてまたはそれらの間で発生することができる。図示する構成では、変形は、マスクベース１００２の上面（または、マスクベース１００２とマスクシール１００４との交差部）の上方に間隔が空けられ、かつ谷部１０３２の上面１０３０の下方に間隔が空けられた位置で発生する。特に、変形は、マスクベース１００２の上面との間の実質的に中間であり、かつ谷部１０３２の上面１０３０の下方に間隔が空けられた位置で発生することができる。したがって、マスクベース１００２の上方に位置するマスクシール１００４の部分は、変形位置の上方の位置と変形位置の下方の位置とをともに画定する。
【０３７１】
変形は、局所的な箇所で、またはあらゆる形状の領域に沿ってあるいは領域内で発生することができる。図示する構成では、変形は、主に、便宜上単に線１０４０として本明細書では言及する可能性がある、略直線領域に沿って発生する。したがって、本開示において「変形線」という用語を使用する場合、それは、特に、具体的に別段の指示がなく、かつ本開示の文脈から別段の指示がない限り、図示する略直線変形領域、またはより詳細には、他のあらゆる形状の変形点、ゾーンまたは領域を指すことができる。特に、変形線１０４０は、横方向に延在している。変形線１０４０は、たとえば、限定されることなく、壁厚さまたは堅さ等、変形に影響を与える傾向があるマスクアセンブリ１０００の他の特性を考慮して、所望の程度の変形をもたらすようにあらゆる好適な長さであり得る。したがって、変形線１０４０は、マスクシール１００４またはマスクアセンブリ１０００の最大幅の少なくとも半分である長さを有することができる。いくつかの構成では、変形線１０４０は、マスクシール１００４またはマスクアセンブリ１０００の最大幅の少なくとも約３／４または少なくとも約４／５の長さを有することができる。図示する構成では、変形線１０４０は、マスクシール１００４およびマスクアセンブリ１０００の最大幅の実質的に全体を横切って延在している。特に、変形線１０４０は、マスクベース１００２の最大幅におよそ等しい長さを有している。より詳細には、変形線１０４０は、マスクベース１００２の上面の端点に対応することができる、マスクベース１００２の上隅１０４４に隣接して位置する端点１０４２を画定している。
【０３７２】
図１２６において一点鎖線によって示すように、変形線１０４０により、マスクシール１００４の上方部分は、マスクベース１００２および／またはマスクシール１００４の下方部分に対して前方および／または下方方向に偏向することができる。特に、変形線１０４０により、少なくとも、少なくとも１つの鼻開口部１０２４に隣接する表面が、マスクシール１００４のマスクベース１００２および／または別の部分（たとえば、下方部分）に対して変形または偏向することができる。より詳細には、変形線１０４０により、少なくとも、少なくとも１つの鼻開口部１０２４の前方の表面（たとえば、上面１０３０）が、マスクシール１００４のマスクベース１００２および／または別の部分に対して変形または偏向することができる。こうした構成は、使用者の鼻の先端に対する圧力を低減するのに役立つか、またはより多種多様の鼻の形状に対して少なくとも許容可能な程度の快適さを可能にすることができる。いくつかの構成では、変形線１０４０により、マスクシール１００４の上方部分は、変形線１０４０の真下のマスクシール１００４の部分に対して変形または偏向することができる。
【０３７３】
図１２７および図１２９を参照すると、マスクアセンブリ１０００またはより詳細にはマスクシール１００４は、マスクシール１００４の変形あるいはローリングを容易にするかまたは変形の位置に影響を与える機構を含むことができる。こうした機構は、図１〜図１６および図２４〜図２７に関して本明細書で記載したものに類似し得る。たとえば、マスクシール１００４は、所望の位置に変形をもたらすように構成された可変厚さまたは可変堅さを有することができる。図示する構成では、マスクシール１００４は、変形線１０４０に沿いかつ隣接する厚／薄／厚配置を含む。より詳細には、図示するマスクシール１００４は、たとえば、上述したバンド１７４に類似し得るバンド１０４６等の１つまたは複数の補強構成要素を含む。バンド１０４６を、変形線１０４０の上方に位置決めすることができ、バンド１０４６はまた、横方向にも延在することができる。バンド１０４６は、変形線１０４０と実質的に同じ長さ等、あらゆる好適な長さであり得る。しかしながら、いくつかの構成では、バンド１０４６を、変形線１０４０より短くまたは長くすることができる。バンド１０４６を、変形線１０４０に対して略平行に向けることができる。
【０３７４】
バンド１０４６はあらゆる好適な形状を有することができる。いくつかの構成では、バンド１０４６は、略矩形断面形状を有している。しかしながら、他の形状を使用することも可能である。バンド１０４６は、その長さを通して一貫したまたは可変の断面サイズおよび／または形状を有することができる。図示する構成では、バンド１０４６は、バンド１０４６の端部分１０５２に対して高さまたは縦寸法が小さい、中心部分１０５０を有している。相対的に大きい端部分１０５２により、パドル１０２６に対してさらなる支持を提供することができる。したがって、いくつかの構成では、バンド１０４６の上面は、概して、マスクシール１００４の上縁の形状に対応することができる。いくつかの構成では、バンド１０４６の少なくとも一部（たとえば、中心部分１０５０）を、谷部１０３２の上面１０３０の下方に間隔を空けて配置することができる。いくつかの構成では、バンド１０４６の少なくとも一部（たとえば、外端１０５２）を、谷部１０３２の上面１０３０と同一平面とするか、またはその上方に間隔を空けて配置することができる。図示する構成では、中心部分１０５０の上面は、谷部１０３２の上面１０３０の下方に間隔を空けて配置され、端部１０５２の上面は、谷部１０３２の上面１０３０の上方に間隔を空けて配置されている。
【０３７５】
上述したように、マスクシール１００４は、壁厚さの変化を有することができ、いくつかの構成では、壁厚さの厚／薄／厚配置を含むことができる。図示する構成では、バンド１０４６は、厚い部分を画定し、変形線１０４０は、薄い部分の少なくとも一部を画定する。いくつかの構成では、遷移領域１０５４もまた、変形線１０４０とともに薄い領域の一部も画定することができる。図示する遷移領域１０５４は、変形線１０４０からバンド１０４６に向かう方向に進んで厚さが増大する。厚さの変化を、連続させることができ、または段状に行うことができる。いくつかの構成では、変形線１０４０とバンド１０４６との間の空間全体が、遷移領域１０５４を画定することができる。
【０３７６】
変形線１０４０の下方では、マスクシール１００４は、開口部を画定しかつフランジ１０２０に結合されるマスクシール１００４の中心部分の一部を形成することができる、肉厚化部分１０５６を画定することができる。図示する構成では、相対的に剛性が高いバンド１０４６および肉厚化部分１０５６は、変形線１０４０および遷移領域１０５４の一方または両方等、バンド１０４６と肉厚化部分１０５６との間の領域において、マスクシール１００４の変形またはローリングをもたらすことができる。いくつかの構成では、変形線１０４０は、変形線１０４０、遷移部分１０５４、バンド１０４６および肉厚化部分１０５６の最小壁厚さを画定し、それにより、変形は、変形線１０４０内で開始し、その後、マスクシール１００４は、次に小さい壁厚さを有することができる遷移領域１０５４内でロールし続ける。バンド１０４６および肉厚化部分１０５６のより剛性の高い、大きい壁厚さは、変形線１０４０および遷移領域１０５４より高い程度まで変形に耐えることができる。いくつかの構成では、バンド１０４６および肉厚化部分１０５６は、同じかまたは同様の壁厚さを有することができる。他の構成では、バンド１０４６および肉厚化部分１０５６は、異なる壁厚さを有することができる。
【０３７７】
図１３０〜図１３３は、マスクアセンブリ１０００の頂部から底部に向かう方向に移動する、図１２５に示す水平面に沿って取り出されたマスクアセンブリ１０００のさまざまな断面を示す。図１３０〜図１３３は、特に、マスクアセンブリ１０００の上述した特徴を示す。たとえば、図１３０は、パドル１０２６の壁厚さを示す。図示する構成では、パドル１０２６は、内側壁における壁厚さに対して外側壁における壁厚さがわずかに大きい。他の構成では、たとえば、限定されることなく、この配置を反転させることができ、またはパドル１０２６は一定の壁厚さを有することができる。いくつかの構成では、パドル１０２６は、たとえば、限定されることなく、形状、サイズおよび壁厚さを含むことができる、図７１〜図８８を参照して説明したパドル７２６の特徴のいくつかまたはすべてを含む。
【０３７８】
図１３１を参照すると、バンド１０４６の外端１０５２の断面が、変形線１０４０および／または遷移領域１０５４の一部がそれらの間に延在して示されている。さらに、図１３１は、図１３６に関して本明細書においてさらに説明する、少なくとも１つの鼻通路１０２４を包囲する薄壁領域１０６０を示す。
【０３７９】
図１３２を参照すると、マスクベース１００２の上方かつ近くのマスクシール１００４の断面が示されている。肉厚化部分１０５６の断面は、マスクシール１００４の中心から遷移領域１０５４および変形線１０４０に対して横方向にかつ後方に延在して示されている。
【０３８０】
図１３３は、マスクベース１００２、マスクシール１００４およびコネクタ１００６の部分を含むマスクアセンブリ１０００の断面を示す。マスクベース１００２とマスクシール１００４と交差部、特に、マスクシール１００４のフランジ１０２０とのオーバラップが示されている。さらに、コネクタ１００６を受け入れる開口部１０２８が示されている。
【０３８１】
マスクシール７０４と同様に、マスクシール１００４は、厚さの完全複合範囲および構成を含み、その一部を本明細書において説明した。いくつかの構成では、マスクシール１００４は、可変厚さのマスクシール７０４と同じ変化および領域のうちの多くを含む。マスクシール１００４の図示する構成は、マスクシール１００４の所望のローリングまたは変形作用を容易にするように設計されたマスクシール７０４からの幾分かの相違を含む。特に、図１３４〜図１３６を参照すると、マスクシール１００４の構成は、図８０〜図８２に示すように、マスクシール７０４の接続領域７６０、外周部分７６２、突出部分７６４、口領域７６６、鼻領域７６８および遷移部分７７０にそれぞれ対応する接続領域、外周部分１０６２、突出部分、口領域１０６６、鼻領域１０６０および遷移部分１０７０のうちの１つまたは複数を含むことができる。接続領域および突出部分は、図１３４〜図１３６に具体的に識別されていない。接続領域を、接続領域７６０に対して多くの点で同様とすることができるが、好ましくは、接続領域は、マスクベース１００２の外側形状に対応するように変更される。接続領域は、図１２７および図１２８に関して例示され記載されている。突出部分を、マスクシール７０４の突出部分７６４と同じかまたは実質的に同様とすることができる。
【０３８２】
外周部分１０６２、口領域１０６６、鼻領域１０６０および遷移部分１０７０を、マスクシール７０４の対応する部分／領域と同じかまたは同様とすることができる。すなわち、これらの部分／領域は、マスクシール１００４とマスクシール７０４との間の適合の目的および方式が共有されるため、概して、同じかまたは同様の、たとえば、限定されることなく、マスクシール７０４の対応する部分／領域の形状、サイズ、位置および厚さを有することができる。
【０３８３】
しかしながら、上述したように、マスクシール１００４はまた、マスクシール１００４の変形またはローリング動作を容易にするように、マスクシール７０４に対して相違を有し、それらの多くについて説明した。たとえば、図示する鼻領域１０６０は、少なくともマスクシール７０４の鼻領域７６８と比較して、マスクシール１００４の前方に面する面内に著しく延在することはない。図示する構成では、鼻領域１０６０は、谷部１０３２の上面１０３０を画定する。いくつかの構成では、鼻領域１０６０は、上面１０３０のすぐ前方で終端する。いくつかの構成では、鼻領域１０６０は、鼻領域７６８と同様に上面１０３０からかつパドル１０２６に沿って上方に延在している。図１３６には図示しないが、鼻領域１０６０は、少なくとも１つの鼻開口部１０２４を画定することができ、かつ／または別個の鼻封止構造を支持することができる。
【０３８４】
マスクシール１０００はまた、上述した変形線１０４０、遷移領域１０５４およびバンド１０４６も含む。簡単のために線として説明したが、変形線１０４０は、マスクシール１００４を横切って横方向に延在しかつ略水平面に位置する略直線領域であり得る。いくつかの構成では、変形線１０４０は、肉厚化部分１０５６から外側に突出し、それにより、変形線１０４０およびいくつかの構成では遷移領域１０５４は、マスクシール１００４の前方面にロールオーバーする。しかしながら、他の構成では、変形線１０４０／肉厚化部分１０５６は、マスクシール１００４の後方面に（すなわち、その内側に）ロールオーバーすることができる。
【０３８５】
図示する構成では、変形線１０４０は、垂直切断面に沿って見ると湾曲断面形状を有している。したがって、変形線１０４０は、弧長（すなわち、円周長さ）を有することができる。弧長は、変形線１０４０の横長さに沿って一定または可変であり得る。図示する構成では、弧長は、中心で相対的に大きく、変形線１０４０の端点１０４２に向かって進むと低減する。変形線１０４０は、あらゆる好適な壁厚さを有することができ、いくつかの構成では、鼻領域１０６０および／または口領域１０６６と同じかまたは同様の壁厚さを有している。
【０３８６】
上述したように、遷移領域１０５４は、変形線１０４０の上方に延在している。図示する構成では、遷移領域１０５４は、変形線１０４０の横長さ全体に沿って延在している。遷移領域１０５４は、あらゆる好適な厚さを有することができ、いくつかの構成では、変形線１０４０からバンド１０４６に向かって進むと増大する可変厚さを有している。いくつかの構成では、遷移領域１０５４は、遷移部分１０７０と同じ（一定または可変）厚さを有することができる。いくつかの構成では、遷移領域１０５４は、遷移部分１０７０の一部に接続されかつそれを形成している。
【０３８７】
マスクシール１００４はまた、図示する構成では、遷移部分１０７０の上方部分と遷移領域１０５４との間に画定される、バンド１０４６も含む。上述したように、バンド１０４６は、一定または可変のあらゆる好適な厚さを有することができる。いくつかの構成では、バンド１０４６は、接続領域と同じかまたは同様の厚さを有している。
【０３８８】
図１３７は、マスクアセンブリ１１００の別の構成を示す。マスクアセンブリ１１００は、ローリングヒンジ構成の提供を含む、マスクアセンブリ１０００に対して多くの点で実質的に同様である。したがって、記載しないあらゆる特徴が、マスクアセンブリ１０００の対応する特徴と同じかまたは同様であると想定され得る。しかしながら、マスクアセンブリ１１００は、少なくとも１つの鼻開口部１１０４を画定する鼻パッドインサートまたは鼻クッション１１０２を含む。図示する構成では、鼻クッション１１０２は、少なくとも１つの口開口部１１０６とは別個の単一鼻開口部１１０４を画定している。鼻クッション１１０２を、マスクシール１１１０と一体型とすることができ、または、マスクシール１１１０に組み付けられる別個の構成要素とすることができる。一構成では、鼻クッション１１０２およびマスクシール１１１０は、それぞれ鼻パッドインサート７４０およびマスクシール７０４（それらに関連して開示した特徴のあらゆる１つまたは組合せを含む）と、同じかまたは同様である。
【０３８９】
別段文脈から明らかに必要でない限り、明細書および特許請求の範囲を通して、「備える、含む（ｃｏｍｐｒｉｓｅ）」、「備えている、含んでいる（ｃｏｍｐｒｉｓｉｎｇ）」等の語は、排他的または網羅的な意味とは反対に、包括的な意味で、すなわち、「含むが、限定されない」という意味で解釈されるべきである。
【０３９０】
本明細書におけるあらゆる従来技術への言及は、その従来技術が、世界中のいかなる国においても努力傾注分野において共通の一般知識の一部を形成するという承認またはいかなる形態の示唆でもなく、かつそのように解釈されるべきではない。
【０３９１】
本発明が、広く、本出願の明細書において個々にまたはまとめて言及するかまたは示す部分、要素および特徴に（前記部分、要素または特徴のうちの２つ以上のいずれかまたはすべての組合せで）あると言うことも可能である。
【０３９２】
上述した説明において、既知の均等物を有する完全体または構成要素について言及している場合、それらの完全体は、個々に示されているかのように本明細書に組み込まれる。
【０３９３】
本明細書に記載する現時点で好ましい実施形態に対するあらゆる変形および変更は、当業者に明らかとなることが留意されるべきである。こうした変形および変更を、本発明の趣旨および範囲から逸脱することなく、かつその付随する利点を減少させることなく、行うことができる。たとえば、さまざまな構成要素に対して、要求に応じて位置を変えることができる。したがって、こうした変形および変更が、本発明の範囲内に含まれることが意図されている。さらに、本発明を実施するために、特徴、態様および利点のすべてが必ずしも必要ではない。したがって、本発明の範囲は、以下の特許請求の範囲によってのみ定義されるように意図されている。
【図１】
2020151490.tif 000003
【図２】
2020151490.tif 000004
【図３】
2020151490.tif 000005
【図４】
2020151490.tif 000006
【図５】
2020151490.tif 000007
【図６】
2020151490.tif 000008
【図７】
2020151490.tif 000009
【図８】
2020151490.tif 000010
【図９】
2020151490.tif 000011
【図１０】
2020151490.tif 000012
【図１１】
2020151490.tif 000013
【図１２Ａ】
2020151490.tif 000014
【図１２Ｂ】
2020151490.tif 000015
【図１２Ｃ】
2020151490.tif 000016
【図１２Ｄ】
2020151490.tif 000017
【図１３】
2020151490.tif 000018
【図１４】
2020151490.tif 000019
【図１５】
2020151490.tif 000020
【図１６】
2020151490.tif 000021
【図１７】
2020151490.tif 000022
【図１８】
2020151490.tif 000023
【図１９】
2020151490.tif 000024
【図２０】
2020151490.tif 000025
【図２１】
2020151490.tif 000026
【図２２】
2020151490.tif 000027
【図２３】
2020151490.tif 000028
【図２４】
2020151490.tif 000029
【図２５】
2020151490.tif 000030
【図２６】
2020151490.tif 000031
【図２７】
2020151490.tif 000032
【図２８】
2020151490.tif 000033
【図２９】
2020151490.tif 000034
【図３０】
2020151490.tif 000035
【図３１】
2020151490.tif 000036
【図３２】
2020151490.tif 000037
【図３３】
2020151490.tif 000038
【図３４】
2020151490.tif 000039
【図３５】
2020151490.tif 000040
【図３６】
2020151490.tif 000041
【図３７】
2020151490.tif 000042
【図３８】
2020151490.tif 000043
【図３９】
2020151490.tif 000044
【図４０】
2020151490.tif 000045
【図４１】
2020151490.tif 000046
【図４２】
2020151490.tif 000047
【図４３】
2020151490.tif 000048
【図４４】
2020151490.tif 000049
【図４５】
2020151490.tif 000050
【図４６】
2020151490.tif 000051
【図４７】
2020151490.tif 000052
【図４８】
2020151490.tif 000053
【図４９】
2020151490.tif 000054
【図５０】
2020151490.tif 000055
【図５１】
2020151490.tif 000056
【図５２】
2020151490.tif 000057
【図５３】
2020151490.tif 000058
【図５４】
2020151490.tif 000059
【図５５】
2020151490.tif 000060
【図５６】
2020151490.tif 000061
【図５７】
2020151490.tif 000062
【図５８】
2020151490.tif 000063
【図５９】
2020151490.tif 000064
【図６０】
2020151490.tif 000065
【図６１】
2020151490.tif 000066
【図６２】
2020151490.tif 000067
【図６３】
2020151490.tif 000068
【図６４】
2020151490.tif 000069
【図６５】
2020151490.tif 000070
【図６６】
2020151490.tif 000071
【図６７】
2020151490.tif 000072
【図６８】
2020151490.tif 000073
【図６９】
2020151490.tif 000074
【図７０】
2020151490.tif 000075
【図７１】
2020151490.tif 000076
【図７２】
2020151490.tif 000077
【図７３】
2020151490.tif 000078
【図７４】
2020151490.tif 000079
【図７５】
2020151490.tif 000080
【図７６】
2020151490.tif 000081
【図７７】
2020151490.tif 000082
【図７８】
2020151490.tif 000083
【図７９】
2020151490.tif 000084
【図８０】
2020151490.tif 000085
【図８１】
2020151490.tif 000086
【図８２】
2020151490.tif 000087
【図８３】
2020151490.tif 000088
【図８４】
2020151490.tif 000089
【図８５】
2020151490.tif 000090
【図８６】
2020151490.tif 000091
【図８７】
2020151490.tif 000092
【図８８】
2020151490.tif 000093
【図８９】
2020151490.tif 000094
【図９０】
2020151490.tif 000095
【図９１】
2020151490.tif 000096
【図９２】
2020151490.tif 000097
【図９３】
2020151490.tif 000098
【図９４】
2020151490.tif 000099
【図９５】
2020151490.tif 000100
【図９６】
2020151490.tif 000101
【図９７】
2020151490.tif 000102
【図９８】
2020151490.tif 000103
【図９９】
2020151490.tif 000104
【図１００】
2020151490.tif 000105
【図１０１】
2020151490.tif 000106
【図１０２】
2020151490.tif 000107
【図１０３】
2020151490.tif 000108
【図１０４】
2020151490.tif 000109
【図１０５】
2020151490.tif 000110
【図１０６】
2020151490.tif 000111
【図１０７】
2020151490.tif 000112
【図１０８】
2020151490.tif 000113
【図１０９】
2020151490.tif 000114
【図１１０】
2020151490.tif 000115
【図１１１】
2020151490.tif 000116
【図１１２】
2020151490.tif 000117
【図１１３】
2020151490.tif 000118
【図１１４】
2020151490.tif 000119
【図１１５】
2020151490.tif 000120
【図１１６】
2020151490.tif 000121
【図１１７】
2020151490.tif 000122
【図１１８】
2020151490.tif 000123
【図１１９】
2020151490.tif 000124
【図１２０】
2020151490.tif 000125
【図１２１】
2020151490.tif 000126
【図１２２】
2020151490.tif 000127
【図１２３】
2020151490.tif 000128
【図１２４】
2020151490.tif 000129
【図１２５】
2020151490.tif 000130
【図１２６】
2020151490.tif 000131
【図１２７】
2020151490.tif 000132
【図１２８】
2020151490.tif 000133
【図１２９】
2020151490.tif 000134
【図１３０】
2020151490.tif 000135
【図１３１】
2020151490.tif 000136
【図１３２】
2020151490.tif 000137
【図１３３】
2020151490.tif 000138
【図１３４】
2020151490.tif 000139
【図１３５】
2020151490.tif 000140
【図１３６】
2020151490.tif 000141
【図１３７】
2020151490.tif 000142
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
陽圧呼吸療法を提供するために使用されるインタフェースであって、
マスクシールおよびマスクベースを備えるマスクアセンブリであって、使用者の顔面の鼻梁より完全に低く位置決めされるように構成され、前記マスクシールは前記使用者の前記鼻の下に係留されるように構成されている、マスクアセンブリ
を備え、
前記マスクシールが、前記マスクベースに接続されており、前記マスクシールが、下方部分の少なくとも１つの口開口部と上方部分の少なくとも１つの鼻開口部とを備え、前記少なくとも１つの鼻開口部は実質的に上方向に開放するように構成され、前記少なくとも１つの口開口部は後方向に開放するように構成され、
前記マスクシールはさらに、前記マスクベースに結合されている肉厚化部分と、前記マスクシールの幅の少なくとも一部を横切って延在する変形領域であって前記肉厚化部分から外側に突出する変形領域と、前記変形領域の上方に位置決めされた横方向に延在する補強バンドと、前記変形領域の上方に前記変形領域に沿って延在する遷移領域であって前記変形領域から前記補強バンドに向かって増大する可変厚さを有する遷移領域と、を備える、インタフェース。
【請求項２】
前記補強バンドが、第１断面寸法を有する中心部分と、前記第１断面寸法より大きい第２断面寸法を有する外端部分とを有する、請求項１に記載のインタフェース。
【請求項３】
前記補強バンドが、前記マスクシールの内面に位置決めされる、請求項１に記載のインタフェース。
【請求項４】
前記遷移領域が、前記変形領域に厚さが実質的に等しい第１壁厚さを画定し、前記遷移領域が、前記補強バンドに厚さが実質的に等しい第２壁厚さを画定する、請求項１〜３のいずれか一項に記載のインタフェース。
【請求項５】
前記補強バンドは、前記変形領域及び前記遷移領域よりも大きい厚さを有する、請求項１〜３のいずれか一項に記載のインタフェース。
【請求項６】
前記マスクシールが、前記使用者の前記鼻の下で、前記鼻に隣接する前記使用者の顔面の一部に沿って、かつ前記使用者の口の周囲で封止するように適合される、請求項１〜５のいずれか一項に記載のインタフェース。
【請求項７】
前記マスクシールが、前記顔面の２つの位置で係留されるように適合される、請求項１〜６のいずれか一項に記載のインタフェース。
【請求項８】
前記マスクシールが、下唇の下方でかつ前記鼻の下方で係留されるように構成される、請求項７に記載のインタフェース。
【請求項９】
前記マスクシールが、下唇の下方で、ただし顎の上方かつ前記鼻の下方で係留されるように構成される、請求項７に記載のインタフェース。
【請求項１０】
前記２つの位置が、前記鼻の底部より低く、前記マスクシールが、前記鼻の前記底部を越えて上方に延在する、請求項７に記載のインタフェース。
【請求項１１】
前記マスクシールが、前記最上係留位置の垂直方向上方の位置において前記顔面に対して封止するように適合される、請求項１０に記載のインタフェース。
【請求項１２】
前記マスクアセンブリと前記使用者の前記顔面との間にわずかに上方の力を加えるように適合されたヘッドギアアセンブリをさらに備える、請求項１〜１１のいずれか一項に記載のインタフェース。
【請求項１３】
前記ヘッドギアアセンブリが、前記マスクアセンブリの角度を調整するように構成される、請求項１２に記載のインタフェース。
【請求項１４】
前記ヘッドギアが、Ｔ字部品を含まない、請求項１２に記載のインタフェース。
【請求項１５】
前記マスクアセンブリおよび前記ヘッドギアアセンブリが、前記マスクアセンブリまたは前記ヘッドギアアセンブリのいかなる部分も、水平方向に前記眼の外側の間の位置において前記眼の垂直方向上方のいかなる位置においても前記使用者の前記顔面に接触しないように構成される、請求項１２に記載のインタフェース。
【請求項１６】
前記マスクアセンブリが、少なくとも１つの鼻プロングを備える、請求項１〜１５のいずれか一項に記載のインタフェース。
【請求項１７】
前記少なくとも１つの鼻プロングが、前記マスクアセンブリの正中垂直面に向かって傾斜している、請求項１６に記載のインタフェース。
【外国語明細書】
2020151490000001.pdf